【手続補正書】
【提出日】平成16年12月20日(2004.12.20)
【手続補正１】
【補正対象書類名】明細書
【補正対象項目名】特許請求の範囲
【補正方法】変更
【補正の内容】
【特許請求の範囲】
【請求項１】
一般式(I)
【化１】
1999240857.tif 000001
｛式中、Ｒ1 、Ｒ2 及びＲ3 は同一又は異なっても良く、水素原子、シアノ基、 C3-C6シクロアルキル基、ハロC3-C6シクロアルキル基、 C3-C6シクロアルケニル基、ハロC3-C6 シクロアルケニル基又は−Ａ1-Ｑl（式中、Ａ1 は−Ｏ−、−Ｓ−、−ＳＯ2-、−Ｃ（＝Ｏ）−、−Ｎ（Ｒ4)−（式中、Ｒ4は C1-C6アルキルカルボニル基、ハロC1-C6 アルキルカルボニル基、C1-C6アルコキシカルボニル基、フェニルカルボニル基又は同一若しくは異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロC2-C6アルキニル基、 C1-C6アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する置換フェニルカルボニル基を示す。）、 C1-C8アルキレン基、C3-C6アルケニレン基又はC3-C6 アルキニレン基を示し、
(1) Ａ1 が−Ｏ−又は−Ｎ（Ｒ4)−（式中、Ｒ4 は前記に同じ。）を示す場合、Ｑは水素原子、C1-C6アルキル基、ハロC1-C6 アルキル基、 C3-C6アルケニル基、ハロC3-C6アルケニル基、 C3-C6アルキニル基、フェニル基、同一又は異なっても良く、ハロゲン原子、シアノ基、ニトロ基、C1-C6アルキル基、ハロC1- C6アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1- C6アルキルスルホニル基、モノC1-C6アルキルアミノ基又は同一若しくは異なっても良いジC1-C6 アルキルアミノ基から選択される１以上の置換基を有する置換フェニル基、フェニルC1-C4アルキル基又は同一若しくは異なっても良く、ハロゲン原子、シアノ基、ニトロ基、 C1-C6アルキル基、ハロC1-C6アルキル基、C2-C6 アルケニル基、ハロ C2-C6アルケニル基、C2-C6アルキニル基、ハロ C2-C6アルキニル基、 C1-C6アルコキシ基、ハロC1-C6アルコキシ基、 C1-C6アルキルチオ基、ハロC1-C6 アルキルチオ基、C1-C6アルキルスルフィニル基、ハロC1- C6アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を環上に有する置換フェニルC1-C4アルキル基を示し、
(2) Ａ1 が−Ｓ−、−ＳＯ2-又は−Ｃ（＝Ｏ）−を示す場合、ＱはC1-C6アルキル基、ハロC1-C6 アルキル基、 C3-C6アルケニル基、ハロC3-C6アルケニル基、 C3-C6アルキニル基、 C1-C6アルコキシ基、モノC1-C6アルキルアミノ基、同一又は異なっても良いジC1-C6 アルキルアミノ基、C1-C6アルコキシカルボニルアミノ基、 C1-C6アルコキシカルボニルC1-C6アルキルアミノ基、フェニル基、同一又は異なっても良く、ハロゲン原子、シアノ基、ニトロ基、 C1-C6アルキル基、ハロC1-C6アルキル基、 C2-C6アルケニル基、ハロ C2-C6アルケニル基、C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換フェニル基、フェニルアミノ基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を環上に有する置換フェニルアミノ基、ナフチル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6アルキルスルフィニル基、 C1-C6アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する置換ナフチル基、複素環基（複素環基とはピリジル基、ピリジン−Ｎ−オキシド基、ピリミジニル基、フリル基、テトラヒドロフリル基、チエニル基、テトラヒドロチエニル基、テトラヒドロピラニル基、テトラヒドロチオピラニル基、オキサゾリル基、イソキサゾリル基、オキサジアゾリル基、チアゾリル基、イソチアゾリル基、チアジアゾリル基、イミダゾリル基、トリアゾリル基又はピラゾリル基を示す。）又は同一若しくは異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する複素環基（前記に同���。）を示し、
(3) Ａ1 が C1-C8アルキレン基、 C3-C6アルケニレン基又はC3-C6アルキニレン基を示す場合、Ｑは水素原子、ハロゲン原子、シアノ基、ニトロ基、ハロC1-C6アルキル基、 C3-C6シクロアルキル基、ハロ C3-C6シクロアルキル基、C1-C6アルコキシカルボニル基、同一又は異なっても良いジC1-C6 アルコキシホスホリル基、同一又は異なっても良いジC1-C6アルコキシチオホスホリル基、ジフェニルホスフィノ基、ジフェニルホスホノ基、フェニル基、同一又は異なっても良く、ハロゲン原子、シアノ基、ニトロ基、C1-C6アルキル基、ハロC1- C6アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換フェニル基、ナフチル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、C2-C6 アルキニル基、ハロC2-C6アルキニル基、 C1-C6アルコキシ基、ハロC1-C6アルコキシ基、C1- C6アルキルチオ基、ハロC1-C6 アルキルチオ基、C1-C6アルキルスルフィニル基、ハロC1-C6 アルキルスルフィニル基、C1-C6アルキルスルホニル基、ハロ C1-C6アルキルスルホニル基、モノC1-C6アルキルアミノ基又は同一若しくは異なっても良いジC1-C6 アルキルアミノ基から選択される１以上の置換基を有する置換ナフチル基、複素環基（前記に同じ。）、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロC2-C6アルキニル基、C1-C6 アルコキシ基、ハロC1-C6アルコキシ基、C1- C6アルキルチオ基、ハロC1-C6 アルキルチオ基、C1-C6アルキルスルフィニル基、ハロC1-C6 アルキルスルフィニル基、 C1-C6アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する複素環基（前記に同じ。）又は−Ｚ3-Ｒ5 （式中、Ｚ3は−Ｏ−又は−Ｎ（Ｒ6)−（式中、Ｒ6 は水素原子、C1-C6アルキルカルボニル基、ハロC1-C6 アルキルカルボニル基、 C1-C6アルコキシカルボニル基、フェニルカルボニル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1- C6アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換フェニルカルボニル基、フェニルC1-C4アルコキシカルボニル基又は同一若しくは異なっても良く、ハロゲン原子、シアノ基、ニトロ基、C1-C6アルキル基、ハロC1-C6 アルキル基、C2-C6 アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1- C6アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を環上に有する置換フェニルC1-C4アルコキシカルボニル基を示す。）を示し、Ｒ5 は水素原子、 C1-C6アルキル基、ハロC1-C6アルキル基、 C3-C6アルケニル基、ハロC3-C6 アルケニル基、C3-C6アルキニル基、ハロC3-C6 アルキニル基、 C3-C6シクロアルキル基、ハロC3-C6シクロアルキル基、 C1-C6アルキルカルボニル基、ハロC1-C6アルキルカルボニル基、 C1-C6アルコキシカルボニル基、フェニル基、同一又は異なっても良く、ハロゲン原子、シアノ基、ニトロ基、C1-C6アルキル基、ハロC1- C6アルキル基、 C2-C6アルケニル基、ハロC2-C6アルケニル基、C2-C6 アルキニル基、ハロ C2-C6アルキニル基、C1-C6アルコキシ基、ハロC1-C6 アルコキシ基、 C1-C6アルキルチオ基、ハロC1-C6アルキルチオ基、C1-C6 アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換フェニル基、フェニルC1-C4アルキル基、同一又は異なっても良く、ハロゲン原子、シアノ基、ニトロ基、 C1-C6アルキル基、ハロC1-C6アルキル基、 C2-C6アルケニル基、ハロ C2-C6アルケニル基、C2-C6アルキニル基、ハロ C2-C6アルキニル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、 C1-C6アルキルスルホニル基、ハロC1-C6アルキルスルホニル基、モノC1-C6 アルキルアミノ基又は同一若しくは異なっても良いジC1-C6アルキルアミノ基から選択される１以上の置換基を環上に有する置換フェニルC1-C4 アルキル基、ナフチル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、C1-C6 アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する置換ナフチル基、複素環基（前記に同じ。）又は同一若しくは異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、C1-C6アルキルチオ基、ハロC1-C6 アルキルチオ基、C1-C6アルキルスルフィニル基、ハロC1-C6 アルキルスルフィニル基、 C1-C6アルキルスルホニル基、ハロC1-C6アルキルスルホニル基、モノC1-C6 アルキルアミノ基又は同一若しくは異なっ���も良いジC1-C6アルキルアミノ基から選択される１以上の置換基を有する複素環基（前記に同じ。）を示す。）を示す。
ｌは１〜４の整数を示す。）を示す。又、Ｒ1 及びＲ2 は互いに結合して１〜３個の同一又は異なっても良く、酸素原子又は窒素原子により中断されても良い４〜７員環を形成することもできる。
Ｘは同一又は異なっても良く、水素原子、ハロゲン原子、シアノ基、ニトロ基、 C3-C6シクロアルキル基、ハロC3-C6シクロアルキル基、フェニル基、同一又は異なっても良く、ハロゲン原子、シアノ基、ニトロ基、 C1-C6アルキル基、ハロC1-C6アルキル基、 C2-C6アルケニル基、ハロ C2-C6アルケニル基、C2-C6アルキニル基、ハロ C2-C6アルキニル基、 C1-C6アルコキシ基、ハロC1-C6アルコキシ基、C1-C6 アルキルチオ基、ハロC1-C6 アルキルチオ基、C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換フェニル基、ナフチル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換ナフチル基、複素環基（前記に同じ。）、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する複素環基（前記に同じ。）又は−Ａ2-Ｒ7（式中、Ａ2 は−Ｏ−、−Ｓ−、−ＳＯ−、−ＳＯ2-、−Ｃ（＝Ｏ）−、−Ｃ（＝ＮＯＲ8)−（式中、Ｒ8は水素原子、 C1-C6アルキル基、ハロC1-C6 アルキル基、C3-C6アルケニル基、ハロC3-C6 アルケニル基、 C3-C6アルキニル基、C3-C6シクロアルキル基、フェニルC1-C4 アルキル基又は同一若しくは異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、C1-C6 アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を環上に有する置換フェニルC1-C4アルキル基を示す。）、C1-C6 アルキレン基、ハロC1-C6 アルキレン基、C2-C6アルケニレン基、ハロC2-C6 アルケニレン基、C2-C6 アルキニレン基又はハロC3-C6アルキニレン基を示し、
(1) Ａ2 が−Ｏ−、−Ｓ−、−ＳＯ−又は−ＳＯ2-を示す場合、Ｒ7 は水素原子、C1-C6アルキル基、ハロC1-C6 アルキル基、 C3-C6アルケニル基、ハロC3-C6アルケニル基、 C3-C6アルキニル基、ハロC3-C6 アルキニル基、C3-C6シクロアルキル基、ハロC3-C6 シクロアルキル基、 C3-C6シクロアルケニル基、ハロC3-C6シクロアルケニル基、同一又は異なっても良いジC1-C6 アルコキシホスホリル基、同一又は異なっても良いジC1-C6アルコキシチオホスホリル基、フェニル基、同一又は異なっても良く、ハロゲン原子、シアノ基、ニトロ基、 C1-C6アルキル基、ハロC1-C6アルキル基、 C2-C6アルケニル基、ハロ C2-C6アルケニル基、C2-C6アルキニル基、ハロ C2-C6アルキニル基、C1-C6アルコキシ基、ハロC1- C6アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換フェニル基、ナフチル基、同一又は異なっても良く、ハロゲン原子、シアノ基、ニトロ基、C1-C6アルキル基、ハロC1-C6 アルキル基、C2-C6 アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1- C6アルキルスルフィニル基、C1-C6アルキルスルホニル基、ハロC1-C6 アルキルスルホニル基、モノC1-C6 アルキルアミノ基又は同一若しくは異なっても良いジC1-C6アルキルアミノ基から選択される１以上の置換基を有する置換ナフチル基、複素環基（前記に同じ。）、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6アルキルスルフィニル基、C1-C6 アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する複素環基（前記に同じ。）又は−Ａ3-Ｒ9 （式中、Ａ3は−Ｃ（＝Ｏ）−、−ＳＯ2-、 C1-C6アルキレン基、ハロC1-C6アルキレン基、 C2-C6アルケニレン基、ハロC2-C6 アルケニレン基、C3-C6アルキニレン基又はハロC3-C6 アルキニレン基を示し、
(i) Ａ3 が−Ｃ（＝Ｏ）−又は−ＳＯ2-を示す場合、Ｒ9 はC1-C6アルキル基、ハロC1-C6 アルキル基、 C1-C6アルコキシ基、モノC1-C6アルキルアミノ基、同一又は異なっても良いジC1-C6 アルキルアミノ基、フェニル基、同一又は異なっても良く、ハロゲン原子、シアノ基、ニトロ基、C1-C6アルキル基、ハロC1- C6アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6アルキルスルフィニル基、 C1-C6アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する置換フェニル基、ナフチル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換ナフチル基、複素環基（前記に同じ。）又は同一若しくは異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する複素環基（前記に同じ。）を示し、
(ii)Ａ3 が C1-C6アルキレン基、ハロC1-C6 アルキレン基、C2-C6アルケニレン基、ハロC2-C6 アルケニレン基、 C3-C6アルキニレン基又はハロC3-C6アルキニレン基を示す場合、Ｒ9 は水素原子、ハロゲン原子、シアノ基、 C3-C6シクロアルキル基、ハロC3-C6シクロアルキル基、 C1-C6アルコキシカルボニル基、フェニル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、C2-C6 アルキニル基、ハロ C2-C6アルキニル基、C1-C6アルコキシ基、ハロC1-C6 アルコキシ基、C1-C6アルキルチオ基、ハロC1-C6 アルキルチオ基、C1-C6 アルキルスルフィニル基、ハロC1-C6アルキルスルフィニル基、 C1-C6アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する置換フェニル基又は−Ａ4-Ｒ10（式中、Ａ4は−Ｏ−、−Ｓ−、−ＳＯ−、−ＳＯ2-、−Ｃ（＝Ｏ）−又は−Ｎ（Ｒ11）−（式中、Ｒ11は水素原子、C1-C6アルキル基、ハロC1-C6 アルキル基、 C3-C6アルケニル基、C3-C6アルキニル基、C3-C6 シクロアルキル基、フェニル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換フェニル基、ナフチル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6アルキルスルフィニル基、 C1-C6アルキルスルホニル基、ハロC1-C6アルキルスルホニル基、モノC1-C6 アルキルアミノ基又は同一若しくは異なっても良いジ C1-C6アルキルアミノ基から選択される１以上の置換基を有する置換ナフチル基、複素環基（前記に同じ。）又は同一若しくは異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基、ハロ C1-C6アルキルスルホニル基、モノC1-C6アルキルアミノ基又は同一若しくは異なっても良いジC1-C6 アルキルアミノ基から選択される１以上の置換基を有する複素環基（前記に同じ。）を示す。）を示し、Ｒ10は水素原子、C1-C6アルキル基、ハロC1-C6 アルキル基、C3-C6 アルケニル基、ハロC3-C6アルケニル基、C3- C6アルキニル基、ハロC3-C6 アルキニル基、C3-C6シクロアルキル基、ハロC3-C6 シクロアルキル基、C3-C6 シクロアルケニル基、ハロC3-C6シクロアルケニル基、フェニル基、同一又は異なっても良く、ハロゲン原子、シアノ基、ニトロ基、 C1-C6アルキル基、ハロC1-C6アルキル基、 C2-C6アルケニル基、ハロ C2-C6アルケニル基、C2-C6アルキニル基、ハロ C2-C6アルキニル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基、ハロC1-C6 アルキルスルホニル基、モノC1-C6 アルキルアミノ基又は同一若しくは異なっても良いジC1-C6アルキルアミノ基から選択される１以上の置換基を有する置換フェニル基、ナフチル基、同一又は異なっても良く、ハロゲン原子、シアノ基、ニトロ基、 C1-C6アルキル基、ハロC1-C6アルキル基、 C2-C6アルケニル基、ハロC2-C6 アルケニル基、C2-C6アルキニル基、ハロC2-C6 アルキニル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換ナフチル基、複素環基（前記に同じ。）又は同一若しくは異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロC2-C6アルキニル基、C1-C6 アルコキシ基、ハロC1-C6 アルコキシ基、C1-C6アルキルチオ基、ハロC1-C6 アルキルチオ基、C1-C6 アルキルスルフィニル基、ハロC1-C6アルキルスルフィニル基、C1-C6 アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する複素環基（前記に同じ。）を示す。）を示す。）を示す。
(2) Ａ2 が−Ｃ（＝Ｏ）−又は−Ｃ（＝ＮＯＲ8)−（式中、Ｒ8 は前記に同じ。）を示す場合、Ｒ7はC1-C6 アルキル基、ハロC1-C6 アルキル基、 C2-C6アルケニル基、ハロC2-C6アルケニル基、 C3-C6シクロアルキル基、ハロC3-C6 シクロアルキル基、C1-C6アルコキシ基、 C1-C6アルキルチオ基、モノC1-C6アルキルアミノ基、同一又は異なっても良いジC1-C6 アルキルアミノ基、フェニル基、同一又は異なっても良く、ハロゲン原子、シアノ基、ニトロ基、C1-C6アルキル基、ハロC1- C6アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換フェニル基、フェニルアミノ基、同一又は異なっても良く、ハロゲン原子、シアノ基、ニトロ基、C1-C6アルキル基、ハロC1- C6アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基、ハロC1-C6アルキルスルホニル基、モノC1-C6 アルキルアミノ基又は同一若しくは異なっても良いジC1-C6アルキルアミノ基から選択される１以上の置換基を環上に有する置換フェニルアミノ基、ナフチル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロC2-C6アルキニル基、C1-C6 アルコキシ基、ハロC1-C6アルコキシ基、 C1-C6アルキルチオ基、ハロC1- C6アルキルチオ基、C1-C6アルキルスルフィニル基、ハロC1-C6 アルキルスルフィニル基、 C1-C6アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する置換ナフチル基、複素環基（前記に同じ。）又は同一若しくは異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、C1-C6 アルキルチオ基、ハロC1-C6アルキルチオ基、C1-C6 アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する複素環基（前記に同じ。）を示し、
(3) Ａ2 が C1-C6アルキレン基、ハロC1-C6 アルキレン基、C2-C6アルケニレン基、ハロC2-C6 アルケニレン基、 C2-C6アルキニレン基又はハロC3-C6アルキニレン基を示す場合、Ｒ7 は水素原子、ハロゲン原子、 C3-C6シクロアルキル基、ハロC3-C6シクロアルキル基、C1-C6 アルコキシカルボニル基、フェニル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する置換フェニル基、ナフチル基、同一又は異なっても良く、ハロゲン原子、シアノ基、ニトロ基、 C1-C6アルキル基、ハロC1-C6アルキル基、 C2-C6アルケニル基、ハロ C2-C6アルケニル基、C2-C6アルキニル基、ハロ C2-C6アルキニル基、 C1-C6アルコキシ基、ハロC1-C6アルコキシ基、 C1-C6アルキルチオ基、ハロC1-C6 アルキルチオ基、C1-C6アルキルスルフィニル基、ハロC1- C6アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換ナフチル基、複素環基（前記に同じ。）、同一又は異なっても良く、ハロゲン原子、シアノ基、ニトロ基、C1-C6アルキル基、ハロC1-C6 アルキル基、 C2-C6アルケニル基、ハロC2-C6アルケニル基、C2-C6 アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1- C6アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する複素環基（前記に同じ。）又は−Ａ5-Ｒ12（式中、Ａ5は−Ｏ−、−Ｓ−、−ＳＯ−、−ＳＯ2-又は−Ｎ（Ｒ13）−（式中、Ｒ13は水素原子、C1-C6アルキル基、ハロC1-C6 アルキル基、 C2-C6アルケニル基、 C2-C6アルキニル基、C3-C6シクロアルキル基、フェニル基、同一又は異なっても良く、ハロゲン原子、シアノ基、ニトロ基、 C1-C6アルキル基、ハロC1-C6アルキル基、 C2-C6アルケニル基、ハロ C2-C6アルケニル基、C2-C6アルキニル基、ハロ C2-C6アルキニル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1- C6アルキルアミノ基から選択される１以上の置換基を有する置換フェニル基、ナフチル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する置換ナフチル基、複素環基（前記に同じ。）又は同一若しくは異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノ C1-C6アルキルアミノ基又は同一若しくは異なっても良いジC1-C6アルキルアミノ基から選択される１以上の置換基を有する複素環基（前記に同じ。）を示す。）を示し、Ｒ12は水素原子、 C3-C6シクロアルキル基、ハロC3-C6シクロアルキル基、フェニル基、同一又は異なっても良く、ハロゲン原子、シアノ基、ニトロ基、 C1-C6アルキル基、ハロC1-C6アルキル基、 C2-C6アルケニル基、ハロ C2-C6アルケニル基、C2-C6アルキニル基、ハロ C2-C6アルキニル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換フェニル基、ナフチル基、同一又は異なっても良く、ハロゲン原子、シアノ基、ニトロ基、C1-C6アルキル基、ハロC1- C6アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、C1-C6 アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換ナフチル基、複素環基（前記に同じ。）、同一又は異なっても良く、ハロゲン原子、シアノ基、ニトロ基、C1-C6アルキル基、ハロC1-C6 アルキル基、C2-C6アルケニル基、ハロC2-C6 アルケニル基、 C2-C6アルキニル基、ハロC2-C6アルキニル基、 C1-C6アルコキシ基、ハロC1-C6アルコキシ基、 C1-C6アルキルチオ基、ハロC1-C6 アルキルチオ基、C1-C6アルキルスルフィニル基、ハロC1- C6アルキルスルフィニル基、 C1-C6アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する複素環基（前記に同じ。）又は−Ａ6-Ｒ14（式中、Ａ6は−Ｃ（＝Ｏ）−、−ＳＯ2-、 C1-C6アルキレン基、ハロC1-C6アルキレン基、 C2-C6アルケニレン基、ハロC2-C6 アルケニレン基、C2-C6アルキニレン基又はハロC3-C6 アルキニレン基を示し、
(i) Ａ6 が−Ｃ（＝Ｏ）−又は−ＳＯ2-を示す場合、Ｒ14はC1-C6アルキル基、ハロC1-C6 アルキル基、フェニル基、同一又は異なっても良く、ハロゲン原子、シアノ基、ニトロ基、 C1-C6アルキル基、ハロC1-C6アルキル基、 C2-C6アルケニル基、ハロ C2-C6アルケニル基、C2-C6アルキニル基、ハロ C2-C6アルキニル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換フェニル基、ナフチル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換ナフチル基、複素環基（前記に同じ。）又は同一若しくは異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する複素環基（前記に同じ。）を示し、
(ii)Ａ6 が C1-C6アルキレン基、ハロC1-C6 アルキレン基、C2-C6アルケニレン基、ハロC2-C6 アルケニレン基、 C2-C6アルキニレン基又はハロC3-C6アルキニレン基を示す場合、Ｒ14は水素原子、ハロゲン原子、シアノ基、 C3-C6シクロアルキル基、ハロC3-C6シクロアルキル基、 C1-C6アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基、ハロC1-C6アルキルスルホニル基、 C1-C6アルキルカルボニル基、ハロC1-C6アルキルカルボニル基、 C1-C6アルコキシカルボニル基、フェニル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6 アルキルアミノ基又は同一若しくは異なっても良いジC1-C6アルキルアミノ基から選択される１以上の置換基を有する置換フェニル基、フェノキシ基、同一又は異なっても良く、ハロゲン原子、シアノ基、ニトロ基、 C1-C6アルキル基、ハロC1-C6アルキル基、 C2-C6アルケニル基、ハロ C2-C6アルケニル基、C2-C6アルキニル基、ハロ C2-C6アルキニル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基、ハロC1-C6 アルキルスルホニル基、モノC1 -C6アルキルアミノ基又は同一若しくは異なっても良いジC1-C6アルキルアミノ基から選択される１以上の置換基を有する置換フェノキシ基、フェニルチオ基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、C1-C6 アルキルチオ基、ハロC1-C6アルキルチオ基、C1-C6 アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換フェニルチオ基、ナフチル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、C1-C6 アルキルチオ基、ハロC1-C6アルキルチオ基、C1-C6 アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換ナフチル基、複素環基（前記に同じ）又は同一若しくは異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、C1-C6 アルキルチオ基、ハロC1-C6アルキルチオ基、C1-C6 アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する複素環基（前記に同じ）を示す。）を示す。）を示す。）を示す。
ｎは１〜４の整数を示す。又、Ｘはフェニル環上の隣り合った炭素原子と一緒になって縮合環（縮合環とはナフタレン、テトラヒドロナフタレン、インデン、インダン、キノリン、キナゾリン、クロマン、イソクロマン、インドール、インドリン、ベンゾジオキサン、ベンゾジオキソール、ベンゾフラン、ジヒドロベンゾフラン、ベンゾチオフェン、ジヒドロベンゾチオフェン、ベンゾオキサゾール、ベンゾチアゾール、ベンズイミダゾール又はインダゾールを示す。）を形成することができ、該縮合環は同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基、同一又は異なっても良いジC1-C6 アルキルアミノ基、フェニル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6アルキルスルフィニル基、 C1-C6アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する置換フェニル基、ナフチル基、同一又は異なっても良く、ハロゲン原子、シアノ基、ニトロ基、 C1-C6アルキル基、ハロC1-C6アルキル基、 C2-C6アルケニル基、ハロ C2-C6アルケニル基、C2-C6アルキニル基、ハロ C2-C6アルキニル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換ナフチル基、複素環基（前記に同じ）又は同一若しくは異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する複素環基（前記に同じ。）から選択される１以上の置換基を有することもできる。
Ｙは同一又は異なっても良く、水素原子、ハロゲン原子、シアノ基、ニトロ基、 C3-C6シクロアルキル基、ハロC3-C6シクロアルキル基、同一又は異なっても良いジC1-C6 アルコキシホスホリル基、同一又は異なっても良いジC1-C6アルコキシチオホスホリル基、フェニル基、同一又は異なっても良く、ハロゲン原子、シアノ基、ニトロ基、 C1-C6アルキル基、ハロC1-C6アルキル基、 C2-C6アルケニル基、ハロ C2-C6アルケニル基、C2-C6アルキニル基、ハロ C2-C6アルキニル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換フェニル基、ナフチル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、C1-C6 アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換ナフチル基、複素環基（前記に同じ。）、同一又は異なっても良く、ハロゲン原子、シアノ基、ニトロ基、C1-C6アルキル基、ハロC1- C6アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する複素環基（前記に同じ。）又は−Ａ2-Ｒ7（式中、Ａ2 及びＲ7 は前記に同じ。）を示し、ｍは１〜５の整数を示す。
又、Ｙはフェニル環上の隣り合った炭素原子と一緒になって縮合環（前記に同じ。）を形成することができ、該縮合環は同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基、同一又は異なっても良いジC1-C6 アルキルアミノ基、フェニル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換フェニル基、ナフチル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、C1-C6 アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換ナフチル基、複素環基（前記に同じ。）又は同一若しくは異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する複素環基（前記に同じ。）から選択される１以上の置換基を有することもできる。 Ｚ1 及びＺ2は酸素原子又は硫黄原子を示す。但し、
(1) Ｘ、Ｒ1 及びＲ3 が同時に水素原子を示し、ｍが２の整数を示し、Ｙは２位がフッ素原子であり３位が塩素原子を示す場合、Ｒ2はエチル基、イソプロピル基、シクロヘキシル基、２−プロペニル基、メチルチオプロピル基及びα−メチルベンジル基を除く。
(2) Ｘ及びＲ3 が同時に水素原子を示し、ｍが２の整数を示し、Ｙは２位がフッ素原子であり３位が塩素原子を示す場合、Ｒ1 及びＲ2が互いに結合して形成する５〜７員環のうちモルホリノ基を除く。
(3) Ｘ、Ｒ1 及びＲ3 が同時に水素原子を示し、Ｒ2 が１，２，２−トリメチルプロピル基を示す場合、Ｙは水素原子を除く。
(4) Ｘ、Ｒ1 及びＲ3 が同時に水素原子を示し、Ｒ2 が２，２−ジメチルプロピル基を示し、ｍが１の整数を示す場合、Ｙは２−エトキシ基を除く。
(5) Ｘ、Ｒ1 及びＲ3 が同時に水素原子を示し、Ｒ2 がターシャリーブチル基を示し、ｍが１の整数を示す場合、Ｙは４−塩素原子、２−ニトロ基、４−ニトロ基、３−メトキシ基、４−メトキシ基又は２，６−ジメチル基を除く。｝
で表されるフタル酸ジアミド誘導体。
【請求項２】
Ｒ1 、Ｒ2 及びＲ3 は同一又は異なっても良く、水素原子、 C3-C6シクロアルキル基、ハロC3-C6シクロアルキル又は−Ａ1-Ｑl （式中、Ａ1 は C1-C8アルキレン基、C3-C6アルケニレン基又はC3-C6 アルキニレン基を示し、Ｑは水素原子、ハロゲン原子、シアノ基、ニトロ基、ハロC1-C6アルキル基、C3- C6シクロアルキル基、ハロ C3-C6シクロアルキル基、C1-C6アルコキシカルボニル基、同一又は異なっても良いジC1-C6 アルコキシホスホリル基、同一又は異なっても良いジC1-C6アルコキシチオホスホリル基、ジフェニルホスフィノ基、ジフェニルホスホノ基、フェニル基、同一又は異なっても良く、ハロゲン原子、C1-C6アルキル基、ハロC1- C6アルキル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、複素環基（複素環基とはピリジル基、ピリジン−Ｎ−オキシド基、ピリミジニル基、フリル基、テトラヒドロフリル基、チエニル基、テトラヒドロチエニル基、テトラヒドロピラニル基、テトラヒドロチオピラニル基、オキサゾリル基、イソキサゾリル基、オキサジアゾリル基、チアゾリル基、イソチアゾリル基、チアジアゾリル基、イミダゾリル基、トリアゾリル基又はピラゾリル基を示す。）、同一又は異なっても良く、ハロゲン原子、C1-C6アルキル基、ハロC1-C6 アルキル基、 C1-C6アルコキシ基、ハロC1-C6アルコキシ基、C1- C6アルキルチオ基、ハロC1-C6 アルキルチオ基、C1-C6アルキルスルフィニル基、ハロC1-C6 アルキルスルフィニル基、 C1-C6アルキルスルホニル基又はハロC1-C6アルキルスルホニル基から選択される１以上の置換基を有する複素環基（前記に同じ。）又は−Ｚ3-Ｒ5（式中、Ｚ3 は−Ｏ−又は−Ｎ（Ｒ6)−（式中、Ｒ6 は水素原子、C1-C6アルキルカルボニル基、ハロC1-C6 アルキルカルボニル基、C1-C6アルコキシカルボニル基、フェニルカルボニル基、同一又は異なっても良く、ハロゲン原子、C1-C6アルキル基、ハロC1-C6 アルキル基、 C1-C6アルコキシ基、ハロC1-C6アルコキシ基、 C1-C6アルキルチオ基、ハロC1-C6 アルキルチオ基、C1-C6アルキルスルフィニル基、ハロC1- C6アルキルスルフィニル基、C1-C6アルキルスルホニル基又はハロC1- C6アルキルスルホニル基から選択される１以上の置換基を有する置換フェニルカルボニル基、フェニルC1-C4アルコキシカルボニル基又は同一若しくは異なっても良く、ハロゲン原子、C1-C6 アルキル基、ハロC1-C6アルキル基、 C1-C6アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基又はハロC1-C6アルキルスルホニル基から選択される１以上の置換基を環上に有する置換フェニルC1-C4 アルコキシカルボニル基を示す。）を示し、Ｒ5は水素原子、 C1-C6アルキル基、ハロC1-C6 アルキル基、C3-C6アルケニル基、ハロC3-C6 アルケニル基、C3-C6アルキニル基、ハロC3-C6 アルキニル基、 C3-C6シクロアルキル基、ハロC3-C6シクロアルキル基、C1-C6 アルキルカルボニル基、ハロC1-C6アルキルカルボニル基、 C1-C6アルコキシカルボニル基、フェニル基、同一又は異なっても良く、ハロゲン原子、C1-C6アルキル基、ハロC1- C6アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、フェニルC1-C4アルキル基、同一又は異なっても良く、ハロゲン原子、C1-C6 アルキル基、ハロC1-C6アルキル基、C1-C6 アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基又はハロC1-C6アルキルスルホニル基から選択される１以上の置換基を環上に有する置換フェニルC1-C4 アルキル基、複素環基（前記に同じ。）又は同一若しくは異なっても良く、ハロゲン原子、C1-C6アルキル基、ハロC1-C6 アルキル基、 C1-C6アルコキシ基、ハロC1-C6アルコキシ基、C1-C6 アルキルチオ基、ハロC1-C6アルキルチオ基、C1- C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）を示す。）を示す。
ｌは１〜４の整数を示す。）を示し、又、Ｒ1 及びＲ2 は互いに結合して１〜３個の同一又は異なっても良く、酸素原子又は窒素原子により中断されても良い４〜７員環を形成することもでき、
Ｘは同一又は異なっても良く、水素原子、ハロゲン原子、シアノ基、ニトロ基、 C3-C6シクロアルキル基、ハロC3-C6シクロアルキル基、フェニル基、同一又は異なっても良く、ハロゲン原子、C1-C6 アルキル基、ハロC1-C6アルキル基、C1-C6 アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基又はハロC1-C6アルキルスルホニル基から選択される１以上の置換基を有する置換フェニル基、複素環基（前記に同じ。）、同一又は異なっても良く、ハロゲン原子、C1-C6アルキル基、ハロC1-C6 アルキル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）又は−Ａ2-Ｒ7（式中、Ａ2 は−Ｏ−、−Ｓ−、−ＳＯ−、−ＳＯ2-、−Ｃ（＝Ｏ）−、−Ｃ（＝ＮＯＲ8)−（式中、Ｒ8は水素原子、 C1-C6アルキル基、ハロC1-C6 アルキル基、C3-C6アルケニル基、ハロC3-C6 アルケニル基、 C3-C6アルキニル基、シクロC3-C6アルキル基、フェニルC1-C4 アルキル基又は同一又は異なっても良く、ハロゲン原子、C1-C6アルキル基、ハロC1-C6 アルキル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、 C1-C6アルキルスルホニル基又はハロC1-C6アルキルスルホニル基から選択される１以上の置換基を環上に有する置換フェニルC1-C4 アルキル基を示す。）、C1-C6アルキレン基、ハロC1-C6 アルキレン基、C2-C6 アルケニレン基、ハロC2-C6アルケニレン基、C2-C6 アルキニレン基又はハロC3-C6 アルキニレン基を示し、
(1) Ａ2 が−Ｏ−、−Ｓ−、−ＳＯ−又は−ＳＯ2-を示す場合、Ｒ7 はハロC3-C6シクロアルキル基、ハロC3-C6 シクロアルケニル基、フェニル基、同一又は異なっても良く、ハロゲン原子、C1-C6アルキル基、ハロC1-C6 アルキル基、C1- C6アルコキシ基、ハロC1-C6アルコキシ基、 C1-C6アルキルチオ基、ハロC1- C6アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、複素環基（前記に同じ。）、同一又は異なっても良く、ハロゲン原子、C1-C6アルキル基、ハロC1-C6 アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）又は−Ａ3-Ｒ9（式中、Ａ3 はC1-C6 アルキレン基、ハロC1-C6アルキレン基、 C3-C6アルケニレン基、ハロC3-C6 アルケニレン基、C3-C6アルキニレン基又はハロC3-C6 アルキニレン基を示し、Ｒ9 は水素原子、ハロゲン原子、C3-C6シクロアルキル基、ハロC3-C6 シクロアルキル基、 C1-C6アルコキシカルボニル基、フェニル基、同一又は異なっても良く、ハロゲン原子、C1-C6アルキル基、ハロC1- C6アルキル基、C1-C6 アルコキシ基、ハロC1-C6アルコキシ基、C1-C6 アルキルチオ基、ハロC1-C6 アルキルチオ基、C1-C6アルキルスルフィニル基、ハロC1- C6アルキルスルフィニル基、 C1-C6アルキルスルホニル基又はハロC1-C6アルキルスルホニル基から選択される１以上の置換基を有する置換フェニル基又は−Ａ4-Ｒ10（式中、Ａ4は−Ｏ−、−Ｓ−、−ＳＯ−、−ＳＯ2-又は−Ｃ（＝Ｏ）を示し、Ｒ10はC1-C6アルキル基、ハロC1-C6 アルキル基、C3-C6 アルケニル基、ハロC3-C6アルケニル基、 C3-C6シクロアルキル基、ハロC3-C6 シクロアルキル基、フェニル基、同一又は異なっても良く、ハロゲン原子、C1-C6アルキル基、ハロC1- C6アルキル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基又はハロC1- C6アルキルスルホニル基から選択される１以上の置換基を有する置換フェニル基、複素環基（前記に同じ。）又は同一若しくは異なっても良く、ハロゲン原子、C1-C6アルキル基、ハロC1-C6 アルキル基、 C1-C6アルコキシ基、ハロC1-C6アルコキシ基、C1-C6 アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）を示す。）を示す。）を示し、
(2) Ａ2 が−Ｃ（＝Ｏ）−又は−Ｃ（＝ＮＯＲ8)−（式中、Ｒ8 は前記に同じ。）を示す場合、Ｒ7はC1-C6 アルキル基、ハロC1-C6 アルキル基、 C2-C6アルケニル基、ハロC2-C6アルケニル基、 C3-C6シクロアルキル基、ハロC3-C6 シクロアルキル基、C1-C6アルコキシ基、 C1-C6アルキルチオ基、モノC1-C6 アルキルアミノ基、同一又は異なっても良いジC1-C6アルキルアミノ基、フェニル基、同一又は異なっても良く、ハロゲン原子、C1-C6 アルキル基、ハロC1-C6アルキル基、C1-C6 アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基又はハロC1-C6アルキルスルホニル基から選択される１以上の置換基を有する置換フェニル基、フェニルアミノ基、同一又は異なっても良く、ハロゲン原子、 C1-C6アルキル基、ハロC1-C6アルキル基、C1-C6 アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基又はハロC1-C6アルキルスルホニル基から選択される１以上の置換基を環上に有する置換フェニルアミノ基、複素環基（前記に同じ。）又は同一若しくは異なっても良く、ハロゲン原子、C1-C6アルキル基、ハロC1-C6 アルキル基、C1-C6 アルコキシ基、ハロC1-C6アルコキシ基、C1-C6 アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）を示し、
(3) Ａ2 が C1-C6アルキレン基、ハロC1-C6 アルキレン基、C2-C6アルケニレン基、ハロC2-C6 アルケニレン基、 C2-C6アルキニレン基又はハロC3-C6アルキニレン基を示す場合、Ｒ7 は水素原子、ハロゲン原子、 C3-C6シクロアルキル基、ハロC3-C6シクロアルキル基、 C1-C6アルコキシカルボニル基、フェニル基、同一又は異なっても良く、ハロゲン原子、C1-C6アルキル基、ハロC1-C6 アルキル基、C1-C6アルコキシ基、ハロC1-C6 アルコキシ基、C1-C6 アルキルチオ基、ハロC1-C6アルキルチオ基、 C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、複素環基（前記に同じ。）、同一又は異なっても良く、ハロゲン原子、C1-C6アルキル基、ハロC1-C6 アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1- C6アルキルスルフィニル基、C1-C6アルキルスルホニル基又はハロC1-C6 アルキルスルホニル基から選択される１以上の置換基を有する複素環基（前記に同じ。）又は−Ａ5-Ｒ12（式中、Ａ5は−Ｏ−、−Ｓ−、−ＳＯ−又は−ＳＯ2-を示し、Ｒ12はC3-C6シクロアルキル基、ハロC3-C6 シクロアルキル基、フェニル基、同一又は異なっても良く、ハロゲン原子、 C1-C6アルキル基、ハロC1-C6アルキル基、C1-C6 アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基又はハロC1-C6アルキルスルホニル基から選択される１以上の置換基を有する置換フェニル基、複素環基（前記に同じ。）、同一又は異なっても良く、ハロゲン原子、 C1-C6アルキル基、ハロC1-C6アルキル基、 C1-C6アルコキシ基、ハロC1-C6 アルコキシ基、C1-C6アルキルチオ基、ハロC1-C6 アルキルチオ基、C1-C6アルキルスルフィニル基、ハロC1-C6 アルキルスルフィニル基、 C1-C6アルキルスルホニル基又はハロC1-C6アルキルスルホニル基から選択される１以上の置換基を有する複素環基（前記に同じ。）又は−Ａ6-Ｒ14（式中、Ａ6はC1-C6 アルキレン基、ハロC1-C6 アルキレン基、C2-C6アルケニレン基、ハロC2-C6 アルケニレン基、 C2-C6アルキニレン基又はハロC3-C6アルキニレン基を示し、Ｒ14は水素原子、ハロゲン原子、C3- C6シクロアルキル基、ハロC3-C6シクロアルキル基、 C1-C6アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基、ハロC1-C6アルキルスルホニル基、フェニル基、同一又は異なっても良く、ハロゲン原子、C1-C6 アルキル基、ハロC1-C6アルキル基、C1- C6アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、C1-C6 アルキルスルホニル基又はハロC1-C6アルキルスルホニル基から選択される１以上の置換基を有する置換フェニル基、フェノキシ基、同一又は異なっても良く、ハロゲン原子、C1-C6アルキル基、ハロC1-C6 アルキル基、C1- C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェノキシ基、フェニルチオ基、同一又は異なっても良く、ハロゲン原子、C1-C6アルキル基、ハロC1-C6 アルキル基、C1-C6 アルコキシ基、ハロC1-C6アルコキシ基、C1-C6 アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニルチオ基、複素環基（前記に同じ）又は同一若しくは異なっても良く、ハロゲン原子、C1-C6アルキル基、ハロC1-C6 アルキル基、C1-C6 アルコキシ基、ハロC1-C6アルコキシ基、C1-C6 アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ）を示す。）を示す。）を示し、
ｎは１〜４の整数を示し、又、Ｘはフェニル環上の隣り合った炭素原子と一緒になって縮合環（縮合環とはナフタレン、テトラヒドロナフタレン、インデン、インダン、キノリン、キナゾリン、クロマン、イソクロマン、インドール、インドリン、ベンゾジオキサン、ベンゾジオキソール、ベンゾフラン、ジヒドロベンゾフラン、ベンゾチオフェン、ジヒドロベンゾチオフェン、ベンゾオキサゾール、ベンゾチアゾール、ベンズイミダゾール又はインダゾールを示す。）を形成することができ、該縮合環は同一又は異なっても良く、ハロゲン原子、C1-C6アルキル基、ハロC1-C6 アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基、ハロC1-C6 アルキルスルホニル基、フェニル基、同一又は異なっても良く、ハロゲン原子、C1-C6アルキル基、ハロC1-C6 アルキル基、 C1-C6アルコキシ基、ハロC1-C6アルコキシ基、 C1-C6アルキルチオ基、ハロC1- C6アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、複素環基（前記に同じ）又は同一若しくは異なっても良く、ハロゲン原子、C1-C6アルキル基、ハロC1-C6 アルキル基、C1-C6 アルコキシ基、ハロC1-C6アルコキシ基、C1-C6 アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）から選択される１以上の置換基を有することもでき、
Ｙは同一又は異なっても良く、水素原子、ハロゲン原子、シアノ基、ニトロ基、ハロC3-C6 シクロアルキル基、フェニル基、同一又は異なっても良く、ハロゲン原子、C1-C6アルキル基、ハロC1-C6 アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、複素環基（前記に同じ。）、同一又は異なっても良く、ハロゲン原子、C1-C6アルキル基、ハロC1-C6 アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）又は−Ａ2-Ｒ7（式中、Ａ2 及びＲ7 は前記に同じ。）を示し、ｍは１〜５の整数を示し、
又、Ｙはフェニル環上の隣り合った炭素原子と一緒になって縮合環（前記に同じ。）を形成することができ、該縮合環は同一又は異なっても良く、ハロゲン原子、C1-C6アルキル基、ハロC1-C6 アルキル基、C1-C6 アルコキシ基、ハロC1-C6アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、フェニル基、同一又は異なっても良く、ハロゲン原子、C1-C6アルキル基、ハロC1-C6 アルキル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、複素環基（前記に同じ。）又は同一若しくは異なっても良く、ハロゲン原子、C1-C6アルキル基、ハロC1-C6 アルキル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）から選択される１以上の置換基を有することもでき、。
Ｚ1 及びＺ2 は酸素原子又は硫黄原子を示す請求項１記載のフタル酸ジアミド誘導体。
【請求項３】
一般式(I-1)
【化２】
1999240857.tif 000002
〔式中、Ｒ1 、Ｒ2 及びＲ3 は同一又は異なっても良く、水素原子、 C3-C6シクロアルキル基、ハロC3-C6シクロアルキル又は−Ａ1-Ｑl （式中、Ａ1 は C1-C8アルキレン基、C3-C6アルケニレン基又はC3-C6 アルキニレン基を示し、Ｑは水素原子、ハロゲン原子、シアノ基、ニトロ基、ハロC1-C6アルキル基、C3-C6 シクロアルキル基、ハロ C3-C6シクロアルキル基、C1-C6アルコキシカルボニル基、同一又は異なっても良いジC1-C6 アルコキシホスホリル基、同一又は異なっても良いジC1-C6アルコキシチオホスホリル基、ジフェニルホスフィノ基、ジフェニルホスホノ基、フェニル基、同一又は異なっても良く、ハロゲン原子、C1-C6アルキル基、ハロC1- C6アルキル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、複素環基（複素環基とはピリジル基、ピリジン−Ｎ−オキシド基、ピリミジニル基、フリル基、テトラヒドロフリル基、チエニル基、テトラヒドロチエニル基、テトラヒドロピラニル基、テトラヒドロチオピラニル基、オキサゾリル基、イソキサゾリル基、オキサジアゾリル基、チアゾリル基、イソチアゾリル基、チアジアゾリル基、イミダゾリル基、トリアゾリル基又はピラゾリル基を示す。）、同一又は異なっても良く、ハロゲン原子、C1-C6アルキル基、ハロC1-C6 アルキル基、 C1-C6アルコキシ基、ハロC1-C6アルコキシ基、C1- C6アルキルチオ基、ハロC1-C6 アルキルチオ基、C1-C6アルキルスルフィニル基、ハロC1-C6 アルキルスルフィニル基、 C1-C6アルキルスルホニル基又はハロC1-C6アルキルスルホニル基から選択される１以上の置換基を有する複素環基（前記に同じ。）又は−Ｚ3-Ｒ5（式中、Ｚ3 は−Ｏ−又は−Ｎ（Ｒ6)−（式中、Ｒ6 は水素原子、C1-C6アルキルカルボニル基、ハロC1-C6 アルキルカルボニル基、C1-C6アルコキシカルボニル基、フェニルカルボニル基、同一又は異なっても良く、ハロゲン原子、C1-C6アルキル基、ハロC1-C6 アルキル基、 C1-C6アルコキシ基、ハロC1-C6アルコキシ基、 C1-C6アルキルチオ基、ハロC1-C6 アルキルチオ基、C1-C6アルキルスルフィニル基、ハロC1- C6アルキルスルフィニル基、C1-C6アルキルスルホニル基又はハロC1-C6 アルキルスルホニル基から選択される１以上の置換基を有する置換フェニルカルボニル基、フェニルC1-C4アルコキシカルボニル基又は同一若しくは異なっても良く、ハロゲン原子、C1-C6 アルキル基、ハロC1-C6アルキル基、C1-C6 アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基又はハロC1-C6アルキルスルホニル基から選択される１以上の置換基を環上に有する置換フェニルC1-C4 アルコキシカルボニル基を示す。）を示し、Ｒ5は水素原子、 C1-C6アルキル基、ハロC1-C6 アルキル基、C3-C6アルケニル基、ハロC3-C6 アルケニル基、C3-C6アルキニル基、ハロC3-C6 アルキニル基、 C3-C6シクロアルキル基、ハロC3-C6シクロアルキル基、 C1-C6アルキルカルボニル基、ハロC1-C6アルキルカルボニル基、 C1-C6アルコキシカルボニル基、フェニル基、同一又は異なっても良く、ハロゲン原子、C1-C6アルキル基、ハロC1- C6アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、フェニルC1-C4アルキル基、同一又は異なっても良く、ハロゲン原子、C1-C6 アルキル基、ハロC1-C6アルキル基、C1-C6 アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基又はハロC1-C6アルキルスルホニル基から選択される１以上の置換基を環上に有する置換フェニルC1-C4 アルキル基、複素環基（前記に同じ。）又は同一若しくは異なっても良く、ハロゲン原子、C1-C6アルキル基、ハロC1-C6 アルキル基、 C1-C6アルコキシ基、ハロC1-C6アルコキシ基、C1-C6 アルキルチオ基、ハロC1-C6アルキルチオ基、C1- C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）を示す。）を示す。
ｌは１〜４の整数を示す。）を示す。又、Ｒ1 及びＲ2 は互いに結合して１〜３個の同一又は異なっても良く、酸素原子又は窒素原子により中断されても良い４〜７員環を形成することもできる。
Ｘは水素原子又はニトロ基を示し、Ｙ1 及びＹ3 は同一又は異なっても良く、水素原子、ハロゲン原子、C1-C6アルキル基、ハロC1-C6 アルキル基、C1-C6 アルコキシ基、ハロC1-C6アルコキシ基、 C1-C6アルキルチオ基、ハロC1-C6 アルキルチオ基、フェノキシ基、同一又は異なっても良く、ハロゲン原子、C1-C6アルキル基、ハロC1-C6 アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェノキシ基、ピリジルオキシ基又は同一若しくは異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する置換ピリジルオキシ基を示し、Ｙ2はハロC3-C6 シクロアルキル基、フェニル基、同一又は異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する置換フェニル基、複素環基（前記に同じ）、同一又は異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する複素環基（前記に同じ。）又は−Ａ2-Ｒ7（式中、Ａ2 は−Ｏ−、−Ｓ−、−ＳＯ−、−ＳＯ2-、ハロC1-C6 アルキレン基、C2-C6アルケニレン基、ハロC2-C6 アルケニレン基、C2-C6 アルキニレン基又はハロC3-C6アルキニレン基を示し、
(1) Ａ2 が−Ｏ−、−Ｓ−、−ＳＯ−又は−ＳＯ2-を示す場合、Ｒ7 はハロC3-C6シクロアルキル基、ハロC3-C6 シクロアルケニル基、同一又は異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する置換フェニル基、複素環基（前記に同じ。）、同一又は異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する複素環基（前記に同じ。）又は−Ａ3-Ｒ9（式中、Ａ3 はハロC1-C6 アルキレン基、ハロC3-C6アルケニレン基、C3-C6 アルキニレン基又はハロC3-C6 アルキニレン基を示し、Ｒ9は水素原子、ハロゲン原子、フェニル基、同一又は異なっても良く、ハロゲン原子、ハロC1-C6 アルキル基、ハロC1-C6アルコキシ基、ハロC1-C6 アルキルチオ基、ハロC1-C6 アルキルスルフィニル基又はハロC1-C6アルキルスルホニル基から選択される１以上の置換基を有する置換フェニル基又は−Ａ4-Ｒ10（式中、Ａ4は−Ｏ−、−Ｓ−、−ＳＯ−又は−ＳＯ2-を示し、Ｒ10はC1-C6 アルキル基、ハロC1-C6アルキル基、C3-C6 アルケニル基、ハロC3-C6 アルケニル基、C3-C6シクロアルキル基、ハロC3-C6 シクロアルキル基、フェニル基、同一又は異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する置換フェニル基、複素環基（前記に同じ。）又は同一若しくは異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する複素環基（前記に同じ。）を示す。）を示す。）を示し、
(2) Ａ2 がハロC1-C6 アルキレン基、C2-C6 アルケニレン基、ハロC2-C6アルケニレン基、C2-C6 アルキニレン基又はハロC3-C6 アルキニレン基を示す場合、Ｒ7は水素原子、ハロゲン原子、ハロC3-C6 シクロアルキル基、フェニル基、同一又は異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する置換フェニル基又は−Ａ5-Ｒ12（式中、Ａ5は−Ｏ−、−Ｓ−、−ＳＯ−又は−ＳＯ2-を示し、Ｒ12はC3-C6 シクロアルキル基、ハロC3-C6シクロアルキル基、フェニル基、同一又は異なっても良く、ハロゲン原子、ハロC1-C6 アルキル基、ハロC1-C6アルコキシ基、ハロC1-C6 アルキルチオ基、ハロC1-C6 アルキルスルフィニル基又はハロC1-C6アルキルスルホニル基から選択される１以上の置換基を有する置換フェニル基、複素環基（前記に同じ。）、同一又は異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する複素環基（前記に同じ。）又は−Ａ6-Ｒ14（式中、Ａ6はC1-C6 アルキレン基、ハロC1-C6 アルキレン基、C2-C6アルケニレン基、ハロC2-C6 アルケニレン基、C2-C6 アルキニレン基又はハロC3-C6アルキニレン基を示し、Ｒ14は水素原子、ハロゲン原子、ハロC3-C6 シクロアルキル基、ハロC1-C6アルコキシ基、ハロC1-C6 アルキルチオ基、ハロC1-C6 アルキルスルフィニル基、ハロC1-C6アルキルスルホニル基、フェニル基、同一又は異なっても良く、ハロゲン原子、ハロC1-C6 アルキル基、ハロC1-C6アルコキシ基、ハロC1-C6 アルキルチオ基、ハロC1-C6 アルキルスルフィニル基又はハロC1-C6アルキルスルホニル基から選択される１以上の置換基を有する置換フェニル基、フェノキシ基、同一又は異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する置換フェノキシ基、フェニルチオ基、同一又は異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する置換フェニルチオ基、複素環基（前記に同じ。）又は同一若しくは異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する複素環基（前記に同じ。）を示す。）を示す。）を示す。又、Ｙ1 及びＹ2 は隣り合ったＹ3 と一緒になっ  て縮合環（縮合環とはナフタレン、テトラヒドロナフタレン、インデン、インダン、キノリン、キナゾリン、クロマン、イソクロマン、インドール、インドリン、ベンゾジオキサン、ベンゾジオキソール、ベンゾフラン、ジヒロベンゾフラン、ベンゾチオフェン、ジヒドロベンゾチオフェン、ベンゾオキサゾール、ベンゾチアゾール、ベンズイミダゾール又はインダゾールを示す。）を形成することができ、該縮���環は同一又は異なっても良く、ハロゲン原子、C1-C6アルキル基、ハロC1-C6 アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基、ハロC1-C6 アルキルスルホニル基、フェニル基、同一又は異なっても良く、ハロゲン原子、C1-C6アルキル基、ハロC1-C6 アルキル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、複素環基（前記に同じ。）又は同一若しくは異なっても良く、ハロゲン原子、C1-C6アルキル基、ハロC1-C6 アルキル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）から選択される１以上の置換基を有することもできる。  Ｚ1及びＺ2 は酸素原子又は硫黄原子を示す。〕で表される請求項２記載のフタル酸ジアミド誘導体。
【請求項４】
一般式(I-2)
【化３】
1999240857.tif 000003
〔式中、Ｒ1 、Ｒ2 及びＲ3 は同一又は異なっても良く、水素原子、 C3-C6シクロアルキル基、ハロC3-C6シクロアルキル基又は−Ａ1-Ｑl （式中、Ａ1 はC1-C8アルキレン基、 C3-C6アルケニレン基又はC3-C6 アルキニレン基を示し、Ｑは水素原子、ハロゲン原子、シアノ基、ニトロ基、ハロC1-C6アルキル基、C3- C6シクロアルキル基、ハロ C3-C6シクロアルキル基、C1-C6アルコキシカルボニル基、同一又は異なっても良いジC1-C6 アルコキシホスホリル基、同一又は異なっても良いジC1-C6アルコキシチオホスホリル基、ジフェニルホスフィノ基、ジフェニルホスホノ基、フェニル基、同一又は異なっても良く、ハロゲン原子、C1-C6アルキル基、ハロC1- C6アルキル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、複素環基（複素環基とはピリジル基、ピリジン−Ｎ−オキシド基、ピリミジニル基、フリル基、テトラヒドロフリル基、チエニル基、テトラヒドロチエニル基、テトラヒドロピラニル基、テトラヒドロチオピラニル基、オキサゾリル基、イソキサゾリル基、オキサジアゾリル基、チアゾリル基、イソチアゾリル基、チアジアゾリル基、イミダゾリル基、トリアゾリル基又はピラゾリル基を示す。）、同一又は異なっても良く、ハロゲン原子、C1-C6アルキル基、ハロC1-C6 アルキル基、 C1-C6アルコキシ基、ハロC1-C6アルコキシ基、C1- C6アルキルチオ基、ハロC1-C6 アルキルチオ基、C1-C6アルキルスルフィニル基、ハロC1-C6 アルキルスルフィニル基、 C1-C6アルキルスルホニル基又はハロC1-C6アルキルスルホニル基から選択される１以上の置換基を有する複素環基（前記に同じ。）又は−Ｚ3-Ｒ5（式中、Ｚ3 は−Ｏ−又は−Ｎ（Ｒ6)−（式中、Ｒ6 は水素原子、C1-C6アルキルカルボニル基、ハロC1-C6 アルキルカルボニル基、C1-C6アルコキシカルボニル基、フェニルカルボニル基、同一又は異なっても良く、ハロゲン原子、C1-C6アルキル基、ハロC1-C6 アルキル基、 C1-C6アルコキシ基、ハロC1-C6アルコキシ基、 C1-C6アルキルチオ基、ハロC1-C6 アルキルチオ基、C1-C6アルキルスルフィニル基、ハロC1- C6アルキルスルフィニル基、C1-C6アルキルスルホニル基又はハロC1-C6 アルキルスルホニル基から選択される１以上の置換基を有する置換フェニルカルボニル基、フェニルC1-C4アルコキシカルボニル基又は同一若しくは異なっても良く、ハロゲン原子、C1-C6 アルキル基、ハロC1-C6アルキル基、C1-C6 アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基又はハロC1-C6アルキルスルホニル基から選択される１以上の置換基を環上に有する置換フェニルC1-C4 アルコキシカルボニル基を示す。）を示し、Ｒ5は水素原子、 C1-C6アルキル基、ハロC1-C6 アルキル基、C3-C6アルケニル基、ハロC3-C6 アルケニル基、C3-C6アルキニル基、ハロC3-C6 アルキニル基、 C3-C6シクロアルキル基、ハロC3-C6シクロアルキル基、 C1-C6アルキルカルボニル基、ハロC1-C6アルキルカルボニル基、 C1-C6アルコキシカルボニル基、フェニル基、同一又は異なっても良く、ハロゲン原子、C1-C6アルキル基、ハロC1- C6アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、フェニルC1-C4アルキル基、同一又は異なっても良く、ハロゲン原子、C1-C6 アルキル基、ハロC1-C6アルキル基、C1-C6 アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基又はハロC1-C6アルキルスルホニル基から選択される１以上の置換基を環上に有する置換フェニルC1-C4 アルキル基、複素環基（前記に同じ。）又は同一若しくは異なっても良く、ハロゲン原子、C1-C6アルキル基、ハロC1-C6 アルキル基、 C1-C6アルコキシ基、ハロC1-C6アルコキシ基、C1-C6 アルキルチオ基、ハロC1-C6アルキルチオ基、C1- C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）を示す。）を示す。
ｌは１〜４の整数を示す。）を示す。又、Ｒ1 及びＲ2 は互いに結合して１〜３個の同一又は異なっても良く、酸素原子又は窒素原子により中断されても良い４〜７員環を形成することもできる。
Ｘ1 及びＸ2 は同一又は異なっても良く、ハロゲン原子、シアノ基、C1-C6アルキル基、ハロC1-C6 アルキル基、C1-C6 アルコキシ基、ハロC1-C6アルコキシ基、C1-C6 アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基を示す。又、Ｘ1 及びＸ2は一緒になって縮合環（縮合環とはナフタレン、テトラヒドロナフタレン、インデン、インダン、キノリン、キナゾリン、クロマン、イソクロマン、インドール、インドリン、ベンゾジオキサン、ベンゾジオキソール、ベンゾフラン、ジヒドロベンゾフラン、ベンゾチオフェン、ジヒドロベンゾチオフェン、ベンゾオキサゾール、ベンゾチアゾール、ベンズイミダゾール又はインダゾールを示す。）を形成することができ、該縮合環は同一又は異なっても良く、ハロゲン原子、C1-C6アルキル基、ハロC1-C6 アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基、ハロC1-C6 アルキルスルホニル基、フェニル基、同一又は異なっても良く、ハロゲン原子、C1-C6アルキル基、ハロC1-C6 アルキル基、 C1-C6アルコキシ基、ハロC1-C6アルコキシ基、 C1-C6アルキルチオ基、ハロC1- C6アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、複素環基（前記に同じ）、同一又は異なっても良く、ハロゲン原子、C1-C6アルキル基、ハロC1-C6 アルキル基、C1-C6 アルコキシ基、ハロC1-C6アルコキシ基、C1-C6 アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）から選択される１以上の置換基を有することもできる。
Ｙは同一又は異なっても良く、水素原子、ハロゲン原子、シアノ基、ニトロ基、ハロC3-C6 シクロアルキル基、フェニル基、同一又は異なっても良く、ハロゲン原子、C1-C6アルキル基、ハロC1-C6 アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、複素環基（前記に同じ。）、同一又は異なっても良く、ハロゲン原子、C1-C6アルキル基、ハロC1-C6 アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）又は−Ａ2-Ｒ7（式中、Ａ2 は−Ｏ−、−Ｓ−、−ＳＯ−、−ＳＯ2-、−Ｃ（＝Ｏ）−、−Ｃ（＝ＮＯＲ8)−（式中、Ｒ8は水素原子、 C1-C6アルキル基、ハロC1-C6 アルキル基、C3-C6アルケニル基、ハロC3-C6 アルケニル基、 C3-C6アルキニル基、シクロC3-C6アルキル基、フェニルC1-C4 アルキル基又は同一若しくは異なっても良く、ハロゲン原子、C1-C6アルキル基、ハロC1-C6 アルキル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、 C1-C6アルキルスルホニル基又はハロC1-C6アルキルスルホニル基から選択される１以上の置換基を環上に有する置換フェニルC1-C4 アルキル基を示す。）、C1-C6アルキレン基、ハロC1-C6 アルキレン基、C2-C6 アルケニレン基、ハロC2-C6アルケニレン基、C2-C6 アルキニレン基又はハロC3-C6 アルキニレン基を示し、
(1) Ａ2 が−Ｏ−、−Ｓ−、−ＳＯ−又は−ＳＯ2-を示す場合、Ｒ7 はハロC3-C6シクロアルキル基、ハロC3-C6 シクロアルケニル基、フェニル基、同一又は異なっても良く、ハロゲン原子、C1-C6アルキル基、ハロC1-C6 アルキル基、C1-C6 アルコキシ基、ハロC1-C6アルコキシ基、 C1-C6アルキルチオ基、ハロC1- C6アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、複素環基（前記に同じ。）、同一又は異なっても良く、ハロゲン原子、C1-C6アルキル基、ハロC1-C6 アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）又は−Ａ3-Ｒ9（式中、Ａ3 はC1-C6 アルキレン基、ハロC1-C6アルキレン基、 C3-C6アルケニレン基、ハロC3-C6 アルケニレン基、C3-C6アルキニレン基又はハロC3-C6 アルキニレン基を示し、Ｒ9 は水素原子、ハロゲン原子、C3-C6シクロアルキル基、ハロC3-C6 シクロアルキル基、 C1-C6アルコキシカルボニル基、フェニル基、同一又は異なっても良く、ハロゲン原子、C1-C6アルキル基、ハロC1-C6 アルキル基、C1-C6 アルコキシ基、ハロC1-C6アルコキシ基、C1- C6アルキルチオ基、ハロC1-C6 アルキルチオ基、C1-C6アルキルスルフィニル基、ハロC1-C6 アルキルスルフィニル基、 C1-C6アルキルスルホニル基又はハロC1-C6アルキルスルホニル基から選択される１以上の置換基を有する置換フェニル基又は−Ａ4-Ｒ10（式中、Ａ4は−Ｏ−、−Ｓ−、−ＳＯ−、−ＳＯ2-又は−Ｃ（＝Ｏ）を示し、Ｒ10はC1-C6アルキル基、ハロC1-C6 アルキル基、C3-C6 アルケニル基、ハロC3-C6アルケニル基、シクロC3-C6 アルキル基、ハロシクロC3-C6 アルキル基、フェニル基、同一又は異なっても良く、ハロゲン原子、C1-C6アルキル基、ハロC1-C6 アルキル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基又はハロC1- C6アルキルスルホニル基から選択される１以上の置換基を有する置換フェニル基、複素環基（前記に同じ。）又は同一若しくは異なっても良く、ハロゲン原子、C1-C6アルキル基、ハロC1-C6 アルキル基、 C1-C6アルコキシ基、ハロC1-C6アルコキシ基、C1-C6 アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）を示す。）を示し、
(2) Ａ2 が−Ｃ（＝Ｏ）−又は−Ｃ（＝ＮＯＲ8)−（式中、Ｒ8 は前記に同じ。）を示す場合、Ｒ7はC1-C6 アルキル基、ハロC1-C6 アルキル基、 C2-C6アルケニル基、ハロC2-C6アルケニル基、 C3-C6シクロアルキル基、ハロC3-C6 シクロアルキル基、C1-C6アルコキシ基、 C1-C6アルキルチオ基、モノC1-C6 アルキルアミノ基、同一又は異なっても良いジC1-C6アルキルアミノ基、フェニル基、同一又は異なっても良く、ハロゲン原子、C1-C6 アルキル基、ハロC1-C6アルキル基、C1-C6 アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基又はハロC1-C6アルキルスルホニル基から選択される１以上の置換基を有する置換フェニル基、フェニルアミノ基、同一又は異なっても良く、ハロゲン原子、 C1-C6アルキル基、ハロC1-C6アルキル基、C1-C6 アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基又はハロC1-C6アルキルスルホニル基から選択される１以上の置換基を環上に有する置換フェニルアミノ基、複素環基（前記に同じ。）又は同一若しくは異なっても良く、ハロゲン原子、C1-C6アルキル基、ハロC1-C6 アルキル基、C1-C6 アルコキシ基、ハロC1-C6アルコキシ基、C1-C6 アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）を示し、
(3) Ａ2 が C1-C6アルキレン基、ハロC1-C6 アルキレン基、C2-C6アルケニレン基、ハロC2-C6 アルケニレン基、 C2-C6アルキニレン基又はハロC3-C6アルキニレン基を示す場合、Ｒ7 は水素原子、ハロゲン原子、 C3-C6シクロアルキル基、ハロC3-C6シクロアルキル基、 C1-C6アルコキシカルボニル基、フェニル基、同一又は異なっても良く、ハロゲン原子、C1-C6アルキル基、ハロC1-C6 アルキル基、C1-C6アルコキシ基、ハロC1-C6 アルコキシ基、C1-C6 アルキルチオ基、ハロC1-C6アルキルチオ基、 C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、複素環基（前記に同じ。）、同一又は異なっても良く、ハロゲン原子、C1-C6アルキル基、ハロC1-C6 アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1- C6アルキルスルフィニル基、C1-C6アルキルスルホニル基又はハロC1-C6 アルキルスルホニル基から選択される１以上の置換基を有する複素環基（前記に同じ。）又は−Ａ5-Ｒ12（式中、Ａ5は−Ｏ−、−Ｓ−、−ＳＯ−又は−ＳＯ2-を示し、Ｒ12はC3-C6シクロアルキル基、ハロC3-C6 シクロアルキル基、フェニル基、同一又は異なっても良く、ハロゲン原子、 C1-C6アルキル基、ハロC1-C6アルキル基、C1-C6 アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基又はハロC1-C6アルキルスルホニル基から選択される１以上の置換基を有する置換フェニル基、複素環基（前記に同じ。）、同一又は異なっても良く、ハロゲン原子、 C1-C6アルキル基、ハロC1-C6アルキル基、 C1-C6アルコキシ基、ハロC1-C6 アルコキシ基、C1-C6アルキルチオ基、ハロC1-C6 アルキルチオ基、C1-C6アルキルスルフィニル基、ハロC1-C6 アルキルスルフィニル基、 C1-C6アルキルスルホニル基又はハロC1-C6アルキルスルホニル基から選択される１以上の置換基を有する複素環基（前記に同じ。）又は−Ａ6-Ｒ14（式中、Ａ6はC1-C6 アルキレン基、ハロC1-C6 アルキレン基、C2-C6アルケニレン基、ハロC2-C6 アルケニレン基、 C2-C6アルキニレン基又はハロC3-C6アルキニレン基を示し、Ｒ14は水素原子、ハロゲン原子、C3- C6シクロアルキル基、ハロC3-C6シクロアルキル基、 C1-C6アルコキシ基、ハロC1-C6 アルコキシ基、C1-C6アルキルチオ基、ハロC1-C6 アルキルチオ基、C1-C6アルキルスルフィニル基、ハロC1-C6 アルキルスルフィニル基、 C1-C6アルキルスルホニル基、ハロC1-C6アルキルスルホニル基、フェニル基、同一又は異なっても良く、ハロゲン原子、C1-C6 アルキル基、ハロC1-C6アルキル基、C1-C6 アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、C1-C6 アルキルスルホニル基又はハロC1-C6アルキルスルホニル基から選択される１以上の置換基を有する置換フェニル基、フェノキシ基、同一又は異なっても良く、ハロゲン原子、C1-C6アルキル基、ハロC1-C6 アルキル基、C1- C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェノキシ基、フェニルチオ基、同一又は異なっても良く、ハロゲン原子、C1-C6アルキル基、ハロC1-C6 アルキル基、C1-C6 アルコキシ基、ハロC1-C6アルコキシ基、C1-C6 アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニルチオ基、複素環基（前記に同じ）又は同一若しくは異なっても良く、ハロゲン原子、C1-C6アルキル基、ハロC1-C6 アルキル基、C1-C6 アルコキシ基、ハロC1-C6アルコキシ基、C1-C6 アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ）示す。）を示し、ｍは１〜５の整数を示す。
又、Ｙはフェニル環上の隣り合った炭素原子と一緒になって縮合環（前記に同じ。）を形成することができ、該縮合環は同一又は異なっても良く、ハロゲン原子、C1-C6アルキル基、ハロC1-C6 アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基、ハロC1-C6 アルキルスルホニル基、フェニル基、同一又は異なっても良く、ハロゲン原子、C1-C6アルキル基、ハロC1-C6 アルキル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、複素環基（前記に同じ。）又は同一若しくは異なっても良く、ハロゲン原子、C1-C6アルキル基、ハロC1-C6 アルキル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）から選択される１以上の置換基を有することもできる。
Ｚ1 及びＺ2 は酸素原子又は硫黄原子を示す。〕
で表される請求項２記載のフタル酸ジアミド誘導体。
【請求項５】
一般式(I-3)
【化４】
1999240857.tif 000004
〔式中、Ｒ1 、Ｒ2 及びＲ3 は同一又は異なっても良く、水素原子、 C3-C6シクロアルキル基、ハロC3-C6シクロアルキル基又は−Ａ1-Ｑl （式中、Ａ1 は C1-C8アルキレン基、C3-C6アルケニレン基又はC3-C6 アルキニレン基を示し、Ｑは水素原子、ハロゲン原子、シアノ基、ニトロ基、ハロC1-C6アルキル基、C3-C6 シクロアルキル基、ハロ C3-C6シクロアルキル基、C1-C6アルコキシカルボニル基、同一又は異なっても良いジC1-C6 アルコキシホスホリル基、同一又は異なっても良いジC1-C6アルコキシチオホスホリル基、ジフェニルホスフィノ基、ジフェニルホスホノ基、フェニル基、同一又は異なっても良く、ハロゲン原子、C1-C6アルキル基、ハロC1-C6 アルキル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、複素環基（複素環基とはピリジル基、ピリジン−Ｎ−オキシド基、ピリミジニル基、フリル基、テトラヒドロフリル基、チエニル基、テトラヒドロチエニル基、テトラヒドロピラニル基、テトラヒドロチオピラニル基、オキサゾリル基、イソキサゾリル基、オキサジアゾリル基、チアゾリル基、イソチアゾリル基、チアジアゾリル基、イミダゾリル基、トリアゾリル基又はピラゾリル基を示す。）、同一又は異なっても良く、ハロゲン原子、C1-C6アルキル基、ハロC1-C6 アルキル基、 C1-C6アルコキシ基、ハロC1-C6アルコキシ基、C1- C6アルキルチオ基、ハロC1-C6 アルキルチオ基、C1-C6アルキルスルフィニル基、ハロC1-C6 アルキルスルフィニル基、 C1-C6アルキルスルホニル基又はハロC1-C6アルキルスルホニル基から選択される１以上の置換基を有する複素環基（前記に同じ。）又は−Ｚ3-Ｒ5（式中、Ｚ3 は−Ｏ−又は−Ｎ（Ｒ6)−（式中、Ｒ6 は水素原子、C1-C6アルキルカルボニル基、ハロC1-C6 アルキルカルボニル基、C1-C6アルコキシカルボニル基、フェニルカルボニル基、同一又は異なっても良く、ハロゲン原子、C1-C6アルキル基、ハロC1-C6 アルキル基、 C1-C6アルコキシ基、ハロC1-C6アルコキシ基、 C1-C6アルキルチオ基、ハロC1-C6 アルキルチオ基、C1-C6アルキルスルフィニル基、ハロC1- C6アルキルスルフィニル基、C1-C6アルキルスルホニル基又はハロC1-C6 アルキルスルホニル基から選択される１以上の置換基を有する置換フェニルカルボニル基、フェニルC1-C4アルコキシカルボニル基又は同一若しくは異なっても良く、ハロゲン原子、C1-C6 アルキル基、ハロC1-C6アルキル基、 C1-C6アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基又はハロC1-C6アルキルスルホニル基から選択される１以上の置換基を環上に有する置換フェニルC1-C4 アルコキシカルボニル基を示す。）を示し、Ｒ5は水素原子、 C1-C6アルキル基、ハロC1-C6 アルキル基、C3-C6アルケニル基、ハロC3-C6 アルケニル基、C3-C6アルキニル基、ハロC3-C6 アルキニル基、 C3-C6シクロアルキル基、ハロC3-C6シクロアルキル基、 C1-C6アルキルカルボニル基、ハロC1-C6アルキルカルボニル基、 C1-C6アルコキシカルボニル基、フェニル基、同一又は異なっても良く、ハロゲン原子、C1-C6アルキル基、ハロC1- C6アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、フェニルC1-C4アルキル基、同一又は異なっても良く、ハロゲン原子、C1-C6 アルキル基、ハロC1-C6アルキル基、C1-C6 アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基又はハロC1-C6アルキルスルホニル基から選択される１以上の置換基を環上に有する置換フェニルC1-C4 アルキル基、複素環基（前記に同じ。）又は同一若しくは異なっても良く、ハロゲン原子、C1-C6アルキル基、ハロC1-C6 アルキル基、 C1-C6アルコキシ基、ハロC1-C6アルコキシ基、C1-C6 アルキルチオ基、ハロC1-C6アルキルチオ基、C1- C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）を示す。）を示す。ｌは１〜４の整数を示す。）を示す。又、Ｒ1 及びＲ2 は互いに結合して１〜３個の同一又は異なっても良く、酸素原子又は窒素原子により中断されても良い４〜７員環を形成することもできる。
Ｘ1 及びＸ2 は同一又は異なっても良く、ハロゲン原子、シアノ基、C1-C6アルキル基、ハロC1-C6 アルキル基、C1-C6 アルコキシ基、ハロC1-C6アルコキシ基、C1-C6 アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基を示す。又、Ｘ1 及びＸ2は一緒になって縮合環（縮合環とはナフタレン、テトラヒドロナフタレン、インデン、インダン、キノリン、キナゾリン、クロマン、イソクロマン、インドール、インドリン、ベンゾジオキサン、ベンゾジオキソール、ベンゾフラン、ジヒドロベンゾフラン、ベンゾチオフェン、ジヒドロベンゾチオフェン、ベンゾオキサゾール、ベンゾチアゾール、ベンズイミダゾール又はインダゾールを示す。）を形成することができ、該縮合環は同一又は異なっても良く、ハロゲン原子、C1-C6アルキル基、ハロC1-C6 アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基、ハロC1-C6 アルキルスルホニル基、フェニル基、同一又は異なっても良く、ハロゲン原子、C1-C6アルキル基、ハロC1-C6 アルキル基、 C1-C6アルコキシ基、ハロC1-C6アルコキシ基、 C1-C6アルキルチオ基、ハロC1- C6アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、複素環基（前記に同じ）又は同一若しくは異なっても良く、ハロゲン原子、C1-C6アルキル基、ハロC1-C6 アルキル基、C1-C6 アルコキシ基、ハロC1-C6アルコキシ基、C1-C6 アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）から選択される１以上の置換基を有することもできる。
Ｙ1 及びＹ3 は同一又は異なっても良く、水素原子、ハロゲン原子、C1-C6アルキル基、ハロC1-C6 アルキル基、C1-C6 アルコキシ基、ハロC1-C6アルコキシ基、 C1-C6アルキルチオ基、ハロ C1-C6アルキルチオ基、フェノキシ基、同一又は異なっても良く、ハロゲン原子、C1-C6アルキル基、ハロC1-C6 アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェノキシ基、ピリジルオキシ基、又は同一若しくは異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する置換ピリジルオキシ基を示し、Ｙ2は水素原子、ハロゲン原子、ハロC3-C6 シクロアルキル基又は−Ａ2-Ｒ7（式中、Ａ2 は−Ｏ−、−Ｓ−、−ＳＯ−、−ＳＯ2-、C1-C6 アルキレン基、ハロC1-C6アルキレン基、C2-C6 アルケニレン基、ハロC2-C6 アルケニレン基、C2-C6アルキニレン基又はハロC3-C6 アルキニレン基を示し、
(1) Ａ2 が−Ｏ−、−Ｓ−、−ＳＯ−又は−ＳＯ2-を示す場合、Ｒ7 はハロC3-C6シクロアルキル基、同一又は異なっても良く、ハロゲン原子、ハロC1-C6 アルキル基、ハロC1-C6アルコキシ基、ハロC1-C6 アルキルチオ基、ハロC1-C6 アルキルスルフィニル基又はハロC1-C6アルキルスルホニル基から選択される１以上の置換基を有する置換フェニル基、同一又は異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する置換ピリジルオキシ基又は−Ａ3-Ｒ9（式中、Ａ3 はハロC1-C6 アルキレン基又はハロC3-C6アルケニレン基を示し、Ｒ9 は水素原子、ハロゲン原子、ハロC3-C6 シクロアルキル基、フェニル基、同一又は異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する置換フェニル基又は−Ａ4-Ｒ10（式中、Ａ4は−Ｏ−、−Ｓ−、−ＳＯ−又は−ＳＯ2-を示し、Ｒ10はC1-C6 アルキル基、ハロC1-C6アルキル基、C3-C6 アルケニル基、ハロC3- C6アルケニル基、C3-C6シクロアルキル基、ハロC3-C6 シクロアルキル基、フェニル基、同一又は異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する置換フェニル基を示す。）を示す。）を示す。
(2) Ａ2 がC1-C6 アルキレン基、ハロC1-C6 アルキレン基、C2-C6アルケニレン基、ハロC2-C6 アルケニレン基、C2-C6 アルキニレン基又はハロC3-C6アルキニレン基を示す場合、Ｒ7 は水素原子、ハロゲン原子、ハロC3-C6 シクロアルキル基、フェニル基、同一又は異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する置換フェニル基又は−Ａ5-Ｒ12（式中、Ａ5は−Ｏ−、−Ｓ−、−ＳＯ−又は−ＳＯ2-を示し、Ｒ12はC3-C6 シクロアルキル基、ハロC3-C6シクロアルキル基、フェニル基、同一又は異なっても良く、ハロゲン原子、ハロC1-C6 アルキル基、ハロC1-C6アルコキシ基、ハロC1-C6 アルキルチオ基、ハロC1-C6 アルキルスルフィニル基又はハロC1-C6アルキルスルホニル基から選択される１以上の置換基を有する置換フェニル基又は−Ａ6-Ｒ14（式中、Ａ6はC1-C6 アルキレン基、ハロC1-C6 アルキレン基、C2-C6アルケニレン基又はハロC2-C6 アルケニレン基を示し、Ｒ14は水素原子、ハロゲン原子、ハロC3-C6シクロアルキル基、ハロC1-C6 アルコキシ基、ハロC1-C6 アルキルチオ基、ハロC1-C6アルキルスルフィニル基、ハロC1-C6 アルキルスルホニル基、フェニル基、同一又は異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する置換フェニル基、フェノキシ基、同一又は異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する置換フェノキシ基、フェニルチオ基又は同一若しくは異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する置換フェニルチオ基を示す。）を示す。）を示す。）を示す。
又、Ｙ1 及びＹ2 は隣り合ったＹ3 と一緒になって縮合環（前記に同じ。）を形成することができ、該縮合環は同一又は異なっても良く、ハロゲン原子、C1-C6アルキル基、ハロC1-C6 アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基、ハロC1-C6 アルキルスルホニル基、フェニル基又は同一若しくは異なっても良く、ハロゲン原子、C1-C6アルキル基、ハロC1-C6 アルキル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基から選択される１以上の置換基を有することもできる。
Ｚ1 及びＺ2 は酸素原子又は硫黄原子を示す。〕で表される請求項４記載のフタル酸ジアミド誘導体。
【請求項６】
一般式(I)
【化５】
1999240857.tif 000005
｛式中、Ｒ1 、Ｒ2 及びＲ3 は同一又は異なっても良く、水素原子、シアノ基、 C3-C6シクロアルキル基、ハロC3-C6シクロアルキル基、 C3-C6シクロアルケニル基、ハロC3-C6 シクロアルケニル基又は−Ａ1-Ｑl（式中、Ａ1 は−Ｏ−、−Ｓ−、−ＳＯ2-、−Ｃ（＝Ｏ）−、−Ｎ（Ｒ4)−（式中、Ｒ4は C1-C6アルキルカルボニル基、ハロC1-C6 アルキルカルボニル基、C1-C6アルコキシカルボニル基、フェニルカルボニル基又は同一若しくは異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロC2-C6アルキニル基、 C1-C6アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する置換フェニルカルボニル基を示す。）、 C1-C8アルキレン基、C3-C6アルケニレン基又はC3-C6 アルキニレン基を示し、
(1) Ａ1 が−Ｏ−又は−Ｎ（Ｒ4)−（式中、Ｒ4 は前記に同じ。）を示す場合、Ｑは水素原子、C1-C6アルキル基、ハロC1-C6 アルキル基、 C3-C6アルケニル基、ハロC3-C6アルケニル基、 C3-C6アルキニル基、フェニル基、同一又は異なっても良く、ハロゲン原子、シアノ基、ニトロ基、C1-C6アルキル基、ハロC1- C6アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1- C6アルキルスルホニル基、モノC1-C6アルキルアミノ基又は同一若しくは異なっても良いジC1-C6 アルキルアミノ基から選択される１以上の置換基を有する置換フェニル基、フェニルC1-C4アルキル基又は同一若しくは異なっても良く、ハロゲン原子、シアノ基、ニトロ基、 C1-C6アルキル基、ハロC1-C6アルキル基、C2-C6 アルケニル基、ハロ C2-C6アルケニル基、C2-C6アルキニル基、ハロ C2-C6アルキニル基、 C1-C6アルコキシ基、ハロC1-C6アルコキシ基、 C1-C6アルキルチオ基、ハロC1-C6 アルキルチオ基、C1-C6アルキルスルフィニル基、ハロC1- C6アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を環上に有する置換フェニルC1-C4アルキル基を示し、
(2) Ａ1 が−Ｓ−、−ＳＯ2-又は−Ｃ（＝Ｏ）−を示す場合、ＱはC1-C6アルキル基、ハロC1-C6 アルキル基、 C3-C6アルケニル基、ハロC3-C6アルケニル基、 C3-C6アルキニル基、 C1-C6アルコキシ基、モノC1-C6アルキルアミノ基、同一又は異なっても良いジC1-C6 アルキルアミノ基、C1-C6アルコキシカルボニルアミノ基、 C1-C6アルコキシカルボニルC1-C6アルキルアミノ基、フェニル基、同一又は異なっても良く、ハロゲン原子、シアノ基、ニトロ基、 C1-C6アルキル基、ハロC1-C6アルキル基、 C2-C6アルケニル基、ハロ C2-C6アルケニル基、C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換フェニル基、フェニルアミノ基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を環上に有する置換フェニルアミノ基、ナフチル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6アルキルスルフィニル基、 C1-C6アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する置換ナフチル基、複素環基（複素環基とはピリジル基、ピリジン−Ｎ−オキシド基、ピリミジニル基、フリル基、テトラヒドロフリル基、チエニル基、テトラヒドロチエニル基、テトラヒドロピラニル基、テトラヒドロチオピラニル基、オキサゾリル基、イソキサゾリル基、オキサジアゾリル基、チアゾリル基、イソチアゾリル基、チアジアゾリル基、イミダゾリル基、トリアゾリル基又はピラゾリル基を示す。）又は同一若しくは異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する複素環基（前記に同���。）を示し、
(3) Ａ1 が C1-C8アルキレン基、 C3-C6アルケニレン基又はC3-C6アルキニレン基を示す場合、Ｑは水素原子、ハロゲン原子、シアノ基、ニトロ基、ハロC1-C6アルキル基、 C3-C6シクロアルキル基、ハロ C3-C6シクロアルキル基、C1-C6アルコキシカルボニル基、同一又は異なっても良いジC1-C6 アルコキシホスホリル基、同一又は異なっても良いジC1-C6アルコキシチオホスホリル基、ジフェニルホスフィノ基、ジフェニルホスホノ基、フェニル基、同一又は異なっても良く、ハロゲン原子、シアノ基、ニトロ基、C1-C6アルキル基、ハロC1- C6アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換フェニル基、ナフチル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、C2-C6 アルキニル基、ハロC2-C6アルキニル基、 C1-C6アルコキシ基、ハロC1-C6アルコキシ基、C1- C6アルキルチオ基、ハロC1-C6 アルキルチオ基、C1-C6アルキルスルフィニル基、ハロC1-C6 アルキルスルフィニル基、C1-C6アルキルスルホニル基、ハロ C1-C6アルキルスルホニル基、モノC1-C6アルキルアミノ基又は同一若しくは異なっても良いジC1-C6 アルキルアミノ基から選択される１以上の置換基を有する置換ナフチル基、複素環基（前記に同じ。）、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロC2-C6アルキニル基、C1-C6 アルコキシ基、ハロC1-C6アルコキシ基、C1- C6アルキルチオ基、ハロC1-C6 アルキルチオ基、C1-C6アルキルスルフィニル基、ハロC1-C6 アルキルスルフィニル基、 C1-C6アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する複素環基（前記に同じ。）又は−Ｚ3-Ｒ5 （式中、Ｚ3は−Ｏ−又は−Ｎ（Ｒ6)−（式中、Ｒ6 は水素原子、C1-C6アルキルカルボニル基、ハロC1-C6 アルキルカルボニル基、 C1-C6アルコキシカルボニル基、フェニルカルボニル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1- C6アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換フェニルカルボニル基、フェニルC1-C4アルコキシカルボニル基又は同一若しくは異なっても良く、ハロゲン原子、シアノ基、ニトロ基、C1-C6アルキル基、ハロC1-C6 アルキル基、C2-C6 アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1- C6アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を環上に有する置換フェニルC1-C4アルコキシカルボニル基を示す。）を示し、Ｒ5 は水素原子、 C1-C6アルキル基、ハロC1-C6アルキル基、 C3-C6アルケニル基、ハロC3-C6 アルケニル基、C3-C6アルキニル基、ハロC3-C6 アルキニル基、 C3-C6シクロアルキル基、ハロC3-C6シクロアルキル基、 C1-C6アルキルカルボニル基、ハロC1-C6アルキルカルボニル基、 C1-C6アルコキシカルボニル基、フェニル基、同一又は異なっても良く、ハロゲン原子、シアノ基、ニトロ基、C1-C6アルキル基、ハロC1- C6アルキル基、 C2-C6アルケニル基、ハロC2-C6アルケニル基、C2-C6 アルキニル基、ハロ C2-C6アルキニル基、C1-C6アルコキシ基、ハロC1-C6 アルコキシ基、 C1-C6アルキルチオ基、ハロC1-C6アルキルチオ基、C1-C6 アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換フェニル基、フェニルC1-C4アルキル基、同一又は異なっても良く、ハロゲン原子、シアノ基、ニトロ基、 C1-C6アルキル基、ハロC1-C6アルキル基、 C2-C6アルケニル基、ハロ C2-C6アルケニル基、C2-C6アルキニル基、ハロ C2-C6アルキニル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、 C1-C6アルキルスルホニル基、ハロC1-C6アルキルスルホニル基、モノC1-C6 アルキルアミノ基又は同一若しくは異なっても良いジC1-C6アルキルアミノ基から選択される１以上の置換基を環上に有する置換フェニルC1-C4 アルキル基、ナフチル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、C1-C6 アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する置換ナフチル基、複素環基（前記に同じ。）又は同一若しくは異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、C1-C6アルキルチオ基、ハロC1-C6 アルキルチオ基、C1-C6アルキルスルフィニル基、ハロC1-C6 アルキルスルフィニル基、 C1-C6アルキルスルホニル基、ハロC1-C6アルキルスルホニル基、モノC1-C6 アルキルアミノ基又は同一若しくは異なっ���も良いジC1-C6アルキルアミノ基から選択される１以上の置換基を有する複素環基（前記に同じ。）を示す。）を示す。
ｌは１〜４の整数を示す。）を示す。又、Ｒ1 及びＲ2 は互いに結合して１〜３個の同一又は異なっても良く、酸素原子又は窒素原子により中断されても良い４〜７員環を形成することもできる。
Ｘは同一又は異なっても良く、水素原子、ハロゲン原子、シアノ基、ニトロ基、 C3-C6シクロアルキル基、ハロC3-C6シクロアルキル基、フェニル基、同一又は異なっても良く、ハロゲン原子、シアノ基、ニトロ基、 C1-C6アルキル基、ハロC1-C6アルキル基、 C2-C6アルケニル基、ハロ C2-C6アルケニル基、C2-C6アルキニル基、ハロ C2-C6アルキニル基、 C1-C6アルコキシ基、ハロC1-C6アルコキシ基、C1-C6 アルキルチオ基、ハロC1-C6 アルキルチオ基、C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換フェニル基、ナフチル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換ナフチル基、複素環基（前記に同じ。）、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する複素環基（前記に同じ。）又は−Ａ2-Ｒ7（式中、Ａ2 は−Ｏ−、−Ｓ−、−ＳＯ−、−ＳＯ2-、−Ｃ（＝Ｏ）−、−Ｃ（＝ＮＯＲ8)−（式中、Ｒ8は水素原子、 C1-C6アルキル基、ハロC1-C6 アルキル基、C3-C6アルケニル基、ハロC3-C6 アルケニル基、 C3-C6アルキニル基、C3-C6シクロアルキル基、フェニルC1-C4 アルキル基又は同一若しくは異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、C1-C6 アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を環上に有する置換フェニルC1-C4アルキル基を示す。）、C1-C6 アルキレン基、ハロC1-C6 アルキレン基、C2-C6アルケニレン基、ハロC2-C6 アルケニレン基、C2-C6 アルキニレン基又はハロC3-C6アルキニレン基を示し、
(1) Ａ2 が−Ｏ−、−Ｓ−、−ＳＯ−又は−ＳＯ2-を示す場合、Ｒ7 は水素原子、C1-C6アルキル基、ハロC1-C6 アルキル基、 C3-C6アルケニル基、ハロC3-C6アルケニル基、 C3-C6アルキニル基、ハロC3-C6 アルキニル基、C3-C6シクロアルキル基、ハロC3-C6 シクロアルキル基、 C3-C6シクロアルケニル基、ハロC3-C6シクロアルケニル基、同一又は異なっても良いジC1-C6 アルコキシホスホリル基、同一又は異なっても良いジC1-C6アルコキシチオホスホリル基、フェニル基、同一又は異なっても良く、ハロゲン原子、シアノ基、ニトロ基、 C1-C6アルキル基、ハロC1-C6アルキル基、 C2-C6アルケニル基、ハロ C2-C6アルケニル基、C2-C6アルキニル基、ハロ C2-C6アルキニル基、C1-C6アルコキシ基、ハロC1- C6アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換フェニル基、ナフチル基、同一又は異なっても良く、ハロゲン原子、シアノ基、ニトロ基、C1-C6アルキル基、ハロC1-C6 アルキル基、C2-C6 アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1- C6アルキルスルフィニル基、C1-C6アルキルスルホニル基、ハロC1-C6 アルキルスルホニル基、モノC1-C6 アルキルアミノ基又は同一若しくは異なっても良いジC1-C6アルキルアミノ基から選択される１以上の置換基を有する置換ナフチル基、複素環基（前記に同じ。）、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6アルキルスルフィニル基、C1-C6 アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する複素環基（前記に同じ。）又は−Ａ3-Ｒ9 （式中、Ａ3は−Ｃ（＝Ｏ）−、−ＳＯ2-、 C1-C6アルキレン基、ハロC1-C6アルキレン基、 C2-C6アルケニレン基、ハロC2-C6 アルケニレン基、C3-C6アルキニレン基又はハロC3-C6 アルキニレン基を示し、
(i) Ａ3 が−Ｃ（＝Ｏ）−又は−ＳＯ2-を示す場合、Ｒ9 はC1-C6アルキル基、ハロC1-C6 アルキル基、 C1-C6アルコキシ基、モノC1-C6アルキルアミノ基、同一又は異なっても良いジC1-C6 アルキルアミノ基、フェニル基、同一又は異なっても良く、ハロゲン原子、シアノ基、ニトロ基、C1-C6アルキル基、ハロC1- C6アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6アルキルスルフィニル基、 C1-C6アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する置換フェニル基、ナフチル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換ナフチル基、複素環基（前記に同じ。）又は同一若しくは異なっても良く、ハロゲン原子、シアノ基、ニトロ基、C1-C6アルキル基、ハロC1-C6 アルキル基、 C2-C6アルケニル基、ハロC2-C6 アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する複素環基（前記に同じ。）を示し、
(ii)Ａ3 が C1-C6アルキレン基、ハロC1-C6 アルキレン基、C2-C6アルケニレン基、ハロC2-C6 アルケニレン基、 C3-C6アルキニレン基又はハロC3-C6アルキニレン基を示す場合、Ｒ9 は水素原子、ハロゲン原子、シアノ基、 C3-C6シクロアルキル基、ハロC3-C6シクロアルキル基、 C1-C6アルコキシカルボニル基、フェニル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、C2-C6 アルキニル基、ハロ C2-C6アルキニル基、C1-C6アルコキシ基、ハロC1-C6 アルコキシ基、C1-C6アルキルチオ基、ハロC1-C6 アルキルチオ基、C1-C6 アルキルスルフィニル基、ハロC1-C6アルキルスルフィニル基、 C1-C6アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する置換フェニル基又は−Ａ4-Ｒ10（式中、Ａ4は−Ｏ−、−Ｓ−、−ＳＯ−、−ＳＯ2-、−Ｃ（＝Ｏ）−又は−Ｎ（Ｒ11）−（式中、Ｒ11は水素原子、C1-C6アルキル基、ハロC1-C6 アルキル基、 C3-C6アルケニル基、C3-C6アルキニル基、C3-C6 シクロアルキル基、フェニル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換フェニル基、ナフチル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6アルキルスルフィニル基、 C1-C6アルキルスルホニル基、ハロC1-C6アルキルスルホニル基、モノC1-C6 アルキルアミノ基又は同一若しくは異なっても良いジ C1-C6アルキルアミノ基から選択される１以上の置換基を有する置換ナフチル基、複素環基（前記に同じ。）又は同一若しくは異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基、ハロ C1-C6アルキルスルホニル基、モノC1-C6アルキルアミノ基又は同一若しくは異なっても良いジC1-C6 アルキルアミノ基から選択される１以上の置換基を有する複素環基（前記に同じ。）を示す。）を示し、Ｒ10は水素原子、C1-C6アルキル基、ハロC1-C6 アルキル基、C3-C6 アルケニル基、ハロC3-C6アルケニル基、C3- C6アルキニル基、ハロC3-C6 アルキニル基、C3-C6シクロアルキル基、ハロC3-C6 シクロアルキル基、C3-C6 シクロアルケニル基、ハロC3-C6シクロアルケニル基、フェニル基、同一又は異なっても良く、ハロゲン原子、シアノ基、ニトロ基、 C1-C6アルキル基、ハロC1-C6アルキル基、 C2-C6アルケニル基、ハロ C2-C6アルケニル基、C2-C6アルキニル基、ハロ C2-C6アルキニル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基、ハロC1-C6 アルキルスルホニル基、モノC1-C6 アルキルアミノ基又は同一若しくは異なっても良いジC1-C6アルキルアミノ基から選択される１以上の置換基を有する置換フェニル基、ナフチル基、同一又は異なっても良く、ハロゲン原子、シアノ基、ニトロ基、 C1-C6アルキル基、ハロC1-C6アルキル基、 C2-C6アルケニル基、ハロC2-C6 アルケニル基、C2-C6アルキニル基、ハロC2-C6 アルキニル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換ナフチル基、複素環基（前記に同じ。）又は同一若しくは異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロC2-C6アルキニル基、C1-C6 アルコキシ基、ハロC1-C6 アルコキシ基、C1-C6アルキルチオ基、ハロC1-C6 アルキルチオ基、C1-C6 アルキルスルフィニル基、ハロC1-C6アルキルスルフィニル基、C1-C6 アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する複素環基（前記に同じ。）を示す。）を示す。）を示す。
(2) Ａ2 が−Ｃ（＝Ｏ）−又は−Ｃ（＝ＮＯＲ8)−（式中、Ｒ8 は前記に同じ。）を示す場合、Ｒ7はC1-C6 アルキル基、ハロC1-C6 アルキル基、 C2-C6アルケニル基、ハロC2-C6アルケニル基、 C3-C6シクロアルキル基、ハロC3-C6 シクロアルキル基、C1-C6アルコキシ基、 C1-C6アルキルチオ基、モノC1-C6アルキルアミノ基、同一又は異なっても良いジC1-C6 アルキルアミノ基、フェニル基、同一又は異なっても良く、ハロゲン原子、シアノ基、ニトロ基、C1-C6アルキル基、ハロC1- C6アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換フェニル基、フェニルアミノ基、同一又は異なっても良く、ハロゲン原子、シアノ基、ニトロ基、C1-C6アルキル基、ハロC1- C6アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基、ハロC1-C6アルキルスルホニル基、モノC1-C6 アルキルアミノ基又は同一若しくは異なっても良いジC1-C6アルキルアミノ基から選択される１以上の置換基を環上に有する置換フェニルアミノ基、ナフチル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロC2-C6アルキニル基、C1-C6 アルコキシ基、ハロC1-C6アルコキシ基、 C1-C6アルキルチオ基、ハロC1- C6アルキルチオ基、C1-C6アルキルスルフィニル基、ハロC1-C6 アルキルスルフィニル基、 C1-C6アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する置換ナフチル基、複素環基（前記に同じ。）又は同一若しくは異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、C1-C6 アルキルチオ基、ハロC1-C6アルキルチオ基、C1-C6 アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する複素環基（前記に同じ。）を示し、
(3) Ａ2 が C1-C6アルキレン基、ハロC1-C6 アルキレン基、C2-C6アルケニレン基、ハロC2-C6 アルケニレン基、 C2-C6アルキニレン基又はハロC3-C6アルキニレン基を示す場合、Ｒ7 は水素原子、ハロゲン原子、 C3-C6シクロアルキル基、ハロC3-C6シクロアルキル基、C1-C6 アルコキシカルボニル基、フェニル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する置換フェニル基、ナフチル基、同一又は異なっても良く、ハロゲン原子、シアノ基、ニトロ基、 C1-C6アルキル基、ハロC1-C6アルキル基、 C2-C6アルケニル基、ハロ C2-C6アルケニル基、C2-C6アルキニル基、ハロ C2-C6アルキニル基、 C1-C6アルコキシ基、ハロC1-C6アルコキシ基、 C1-C6アルキルチオ基、ハロC1-C6 アルキルチオ基、C1-C6アルキルスルフィニル基、ハロC1- C6アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換ナフチル基、複素環基（前記に同じ。）、同一又は異なっても良く、ハロゲン原子、シアノ基、ニトロ基、C1-C6アルキル基、ハロC1-C6 アルキル基、 C2-C6アルケニル基、ハロC2-C6アルケニル基、C2-C6 アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1- C6アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する複素環基（前記に同じ。）又は−Ａ5-Ｒ12（式中、Ａ5は−Ｏ−、−Ｓ−、−ＳＯ−、−ＳＯ2-又は−Ｎ（Ｒ13）−（式中、Ｒ13は水素原子、C1-C6アルキル基、ハロC1-C6 アルキル基、 C2-C6アルケニル基、 C2-C6アルキニル基、C3-C6シクロアルキル基、フェニル基、同一又は異なっても良く、ハロゲン原子、シアノ基、ニトロ基、 C1-C6アルキル基、ハロC1-C6アルキル基、 C2-C6アルケニル基、ハロ C2-C6アルケニル基、C2-C6アルキニル基、ハロ C2-C6アルキニル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1- C6アルキルアミノ基から選択される１以上の置換基を有する置換フェニル基、ナフチル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する置換ナフチル基、複素環基（前記に同じ。）又は同一若しくは異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノ C1-C6アルキルアミノ基又は同一若しくは異なっても良いジC1-C6アルキルアミノ基から選択される１以上の置換基を有する複素環基（前記に同じ。）を示す。）を示し、Ｒ12は水素原子、 C3-C6シクロアルキル基、ハロC3-C6シクロアルキル基、フェニル基、同一又は異なっても良く、ハロゲン原子、シアノ基、ニトロ基、 C1-C6アルキル基、ハロC1-C6アルキル基、 C2-C6アルケニル基、ハロ C2-C6アルケニル基、C2-C6アルキニル基、ハロ C2-C6アルキニル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換フェニル基、ナフチル基、同一又は異なっても良く、ハロゲン原子、シアノ基、ニトロ基、C1-C6アルキル基、ハロC1- C6アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、C1-C6 アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換ナフチル基、複素環基（前記に同じ。）、同一又は異なっても良く、ハロゲン原子、シアノ基、ニトロ基、C1-C6アルキル基、ハロC1-C6 アルキル基、C2-C6アルケニル基、ハロC2-C6 アルケニル基、 C2-C6アルキニル基、ハロC2-C6アルキニル基、 C1-C6アルコキシ基、ハロC1-C6アルコキシ基、 C1-C6アルキルチオ基、ハロC1-C6 アルキルチオ基、C1-C6アルキルスルフィニル基、ハロC1- C6アルキルスルフィニル基、 C1-C6アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する複素環基（前記に同じ。）又は−Ａ6-Ｒ14（式中、Ａ6は−Ｃ（＝Ｏ）−、−ＳＯ2-、 C1-C6アルキレン基、ハロC1-C6アルキレン基、 C2-C6アルケニレン基、ハロC2-C6 アルケニレン基、C2-C6アルキニレン基又はハロC3-C6 アルキニレン基を示し、
(i) Ａ6 が−Ｃ（＝Ｏ）−又は−ＳＯ2-を示す場合、Ｒ14はC1-C6アルキル基、ハロC1-C6 アルキル基、フェニル基、同一又は異なっても良く、ハロゲン原子、シアノ基、ニトロ基、 C1-C6アルキル基、ハロC1-C6アルキル基、 C2-C6アルケニル基、ハロ C2-C6アルケニル基、C2-C6アルキニル基、ハロ C2-C6アルキニル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換フェニル基、ナフチル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換ナフチル基、複素環基（前記に同じ。）又は同一若しくは異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する複素環基（前記に同じ。）を示し、
(ii)Ａ6 が C1-C6アルキレン基、ハロC1-C6 アルキレン基、C2-C6アルケニレン基、ハロC2-C6 アルケニレン基、 C2-C6アルキニレン基又はハロC3-C6アルキニレン基を示す場合、Ｒ14は水素原子、ハロゲン原子、シアノ基、 C3-C6シクロアルキル基、ハロC3-C6シクロアルキル基、 C1-C6アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基、ハロC1-C6アルキルスルホニル基、 C1-C6アルキルカルボニル基、ハロC1-C6アルキルカルボニル基、 C1-C6アルコキシカルボニル基、フェニル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6 アルキルアミノ基又は同一若しくは異なっても良いジC1-C6アルキルアミノ基から選択される１以上の置換基を有する置換フェニル基、フェノキシ基、同一又は異なっても良く、ハロゲン原子、シアノ基、ニトロ基、 C1-C6アルキル基、ハロC1-C6アルキル基、 C2-C6アルケニル基、ハロ C2-C6アルケニル基、C2-C6アルキニル基、ハロ C2-C6アルキニル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基、ハロC1-C6 アルキルスルホニル基、モノC1 -C6アルキルアミノ基又は同一若しくは異なっても良いジC1-C6アルキルアミノ基から選択される１以上の置換基を有する置換フェノキシ基、フェニルチオ基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、C1-C6 アルキルチオ基、ハロC1-C6アルキルチオ基、C1-C6 アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換フェニルチオ基、ナフチル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、C1-C6 アルキルチオ基、ハロC1-C6アルキルチオ基、C1-C6 アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換ナフチル基、複素環基（前記に同じ）又は同一若しくは異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、C1-C6 アルキルチオ基、ハロC1-C6アルキルチオ基、C1-C6 アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する複素環基（前記に同じ）を示す。）を示す。）を示す。）を示す。
ｎは１〜４の整数を示す。又、Ｘはフェニル環上の隣り合った炭素原子と一緒になって縮合環（縮合環とはナフタレン、テトラヒドロナフタレン、インデン、インダン、キノリン、キナゾリン、クロマン、イソクロマン、インドール、インドリン、ベンゾジオキサン、ベンゾジオキソール、ベンゾフラン、ジヒドロベンゾフラン、ベンゾチオフェン、ジヒドロベンゾチオフェン、ベンゾオキサゾール、ベンゾチアゾール、ベンズイミダゾール又はインダゾールを示す。）を形成することができ、該縮合環は同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基、同一又は異なっても良いジC1-C6 アルキルアミノ基、フェニル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6アルキルスルフィニル基、 C1-C6アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する置換フェニル基、ナフチル基、同一又は異なっても良く、ハロゲン原子、シアノ基、ニトロ基、 C1-C6アルキル基、ハロC1-C6アルキル基、 C2-C6アルケニル基、ハロ C2-C6アルケニル基、C2-C6アルキニル基、ハロ C2-C6アルキニル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換ナフチル基、複素環基（前記に同じ）又は同一若しくは異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する複素環基（前記に同じ。）から選択される１以上の置換基を有することもできる。
Ｙは同一又は異なっても良く、水素原子、ハロゲン原子、シアノ基、ニトロ基、 C3-C6シクロアルキル基、ハロC3-C6シクロアルキル基、同一又は異なっても良いジC1-C6 アルコキシホスホリル基、同一又は異なっても良いジC1-C6アルコキシチオホスホリル基、フェニル基、同一又は異なっても良く、ハロゲン原子、シアノ基、ニトロ基、 C1-C6アルキル基、ハロC1-C6アルキル基、 C2-C6アルケニル基、ハロ C2-C6アルケニル基、C2-C6アルキニル基、ハロ C2-C6アルキニル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換フェニル基、ナフチル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、C1-C6 アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換ナフチル基、複素環基（前記に同じ。）、同一又は異なっても良く、ハロゲン原子、シアノ基、ニトロ基、C1-C6アルキル基、ハロC1- C6アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する複素環基（前記に同じ。）又は−Ａ2-Ｒ7（式中、Ａ2 及びＲ7 は前記に同じ。）を示し、ｍは１〜５の整数を示す。
又、Ｙはフェニル環上の隣り合った炭素原子と一緒になって縮合環（前記に同じ。）を形成することができ、該縮合環は同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基、同一又は異なっても良いジC1-C6 アルキルアミノ基、フェニル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換フェニル基、ナフチル基、同一又は異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、 C1-C6アルキルチオ基、ハロC1-C6アルキルチオ基、C1-C6 アルキルスルフィニル基、ハロC1-C6 アルキルスルフィニル基、C1-C6アルキルスルホニル基、ハロC1-C6 アルキルスルホニル基、モノC1-C6アルキルアミノ基又は同一若しくは異なっても良いジC1-C6 アルキルアミノ基から選択される１以上の置換基を有する置換ナフチル基、複素環基（前記に同じ。）又は同一若しくは異なっても良く、ハロゲン原子、シアノ基、ニトロ基、C1-C6アルキル基、ハロC1-C6 アルキル基、 C2-C6アルケニル基、ハロC2-C6アルケニル基、 C2-C6アルキニル基、ハロ C2-C6アルキニル基、C1-C6アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基、ハロC1-C6アルキルスルホニル基、モノC1-C6 アルキルアミノ基又は同一若しくは異なっても良いジC1-C6アルキルアミノ基から選択される１以上の置換基を有する複素環基（前記に同じ。）から選択される１以上の置換基を有することもできる。 Ｚ1 及びＺ2は酸素原子又は硫黄原子を示す。｝
で表されるフタル酸ジアミド誘導体を有効成分として含有することを特徴とする農園芸用殺虫剤。
【請求項７】
Ｒ1 、Ｒ2 及びＲ3 は同一又は異なっても良く、水素原子、 C3-C6シクロアルキル基、ハロC3-C6シクロアルキル又は−Ａ1-Ｑl （式中、Ａ1 は C1-C8アルキレン基、C3-C6アルケニレン基又はC3-C6 アルキニレン基を示し、Ｑは水素原子、ハロゲン原子、シアノ基、ニトロ基、ハロC1-C6アルキル基、C3- C6シクロアルキル基、ハロ C3-C6シクロアルキル基、C1-C6アルコキシカルボニル基、同一又は異なっても良いジC1-C6 アルコキシホスホリル基、同一又は異なっても良いジC1-C6アルコキシチオホスホリル基、ジフェニルホスフィノ基、ジフェニルホスホノ基、フェニル基、同一又は異なっても良く、ハロゲン原子、C1-C6アルキル基、ハロC1- C6アルキル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、複素環基（複素環基とはピリジル基、ピリジン−Ｎ−オキシド基、ピリミジニル基、フリル基、テトラヒドロフリル基、チエニル基、テトラヒドロチエニル基、テトラヒドロピラニル基、テトラヒドロチオピラニル基、オキサゾリル基、イソキサゾリル基、オキサジアゾリル基、チアゾリル基、イソチアゾリル基、チアジアゾリル基、イミダゾリル基、トリアゾリル基又はピラゾリル基を示す。）、同一又は異なっても良く、ハロゲン原子、C1-C6アルキル基、ハロC1-C6 アルキル基、 C1-C6アルコキシ基、ハロC1-C6アルコキシ基、C1- C6アルキルチオ基、ハロC1-C6 アルキルチオ基、C1-C6アルキルスルフィニル基、ハロC1-C6 アルキルスルフィニル基、 C1-C6アルキルスルホニル基又はハロC1-C6アルキルスルホニル基から選択される１以上の置換基を有する複素環基（前記に同じ。）又は−Ｚ3-Ｒ5（式中、Ｚ3 は−Ｏ−又は−Ｎ（Ｒ6)−（式中、Ｒ6 は水素原子、C1-C6アルキルカルボニル基、ハロC1-C6 アルキルカルボニル基、C1-C6アルコキシカルボニル基、フェニルカルボニル基、同一又は異なっても良く、ハロゲン原子、C1-C6アルキル基、ハロC1-C6 アルキル基、 C1-C6アルコキシ基、ハロC1-C6アルコキシ基、 C1-C6アルキルチオ基、ハロC1-C6 アルキルチオ基、C1-C6アルキルスルフィニル基、ハロC1- C6アルキルスルフィニル基、C1-C6アルキルスルホニル基又はハロC1- C6アルキルスルホニル基から選択される１以上の置換基を有する置換フェニルカルボニル基、フェニルC1-C4アルコキシカルボニル基又は同一若しくは異なっても良く、ハロゲン原子、C1-C6 アルキル基、ハロC1-C6アルキル基、 C1-C6アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基又はハロC1-C6アルキルスルホニル基から選択される１以上の置換基を環上に有する置換フェニルC1-C4 アルコキシカルボニル基を示す。）を示し、Ｒ5は水素原子、 C1-C6アルキル基、ハロC1-C6 アルキル基、C3-C6アルケニル基、ハロC3-C6 アルケニル基、C3-C6アルキニル基、ハロC3-C6 アルキニル基、 C3-C6シクロアルキル基、ハロC3-C6シクロアルキル基、C1-C6 アルキルカルボニル基、ハロC1-C6アルキルカルボニル基、 C1-C6アルコキシカルボニル基、フェニル基、同一又は異なっても良く、ハロゲン原子、C1-C6アルキル基、ハロC1- C6アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、フェニルC1-C4アルキル基、同一又は異なっても良く、ハロゲン原子、C1-C6 アルキル基、ハロC1-C6アルキル基、C1-C6 アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基又はハロC1-C6アルキルスルホニル基から選択される１以上の置換基を環上に有する置換フェニルC1-C4 アルキル基、複素環基（前記に同じ。）又は同一若しくは異なっても良く、ハロゲン原子、C1-C6アルキル基、ハロC1-C6 アルキル基、 C1-C6アルコキシ基、ハロC1-C6アルコキシ基、C1-C6 アルキルチオ基、ハロC1-C6アルキルチオ基、C1- C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）を示す。）を示し、ｌは１〜４の整数を示す。）を示し、又、Ｒ1 及びＲ2 は互いに結合して１〜３個の同一又は異なっても良く、酸素原子又は窒素原子により中断されても良い４〜７員環を形成することもでき、
Ｘは同一又は異なっても良く、水素原子、ハロゲン原子、シアノ基、ニトロ基、 C3-C6シクロアルキル基、ハロC3-C6シクロアルキル基、フェニル基、同一又は異なっても良く、ハロゲン原子、C1-C6 アルキル基、ハロC1-C6アルキル基、C1-C6 アルコキシ基、ハロC1-C6 アルコキシ基、C1-C6アルキルチオ基、ハロC1-C6 アルキルチオ基、C1-C6 アルキルスルフィニル基、ハロC1-C6アルキルスルフィニル基、C1-C6 アルキルスルホニル基又はハロC1-C6アルキルスルホニル基から選択される１以上の置換基を有する置換フェニル基、複素環基（前記に同じ。）、同一又は異なっても良く、ハロゲン原子、 C1-C6アルキル基、ハロC1-C6アルキル基、 C1-C6アルコキシ基、ハロC1 -C6アルコキシ基、C1-C6アルキルチオ基、ハロC1-C6 アルキルチオ基、C1- C6アルキルスルフィニル基、ハロC1-C6アルキルスルフィニル基、 C1-C6アルキルスルホニル基又はハロC1-C6アルキルスルホニル基から選択される１以上の置換基を有する複素環基（前記に同じ。）又は−Ａ2-Ｒ7 （式中、Ａ2は−Ｏ−、−Ｓ−、−ＳＯ−、−ＳＯ2-、−Ｃ（＝０）−、−Ｃ（＝ＮＯＲ8)−（式中、Ｒ8 は水素原子、C1-C6アルキル基、ハロC1-C6 アルキル基、C3-C6 アルケニル基、ハロC3-C6アルケニル基、C3-C6 アルキニル基、シクロC3-C6 アルキル基、フェニルC1-C4アルキル基又は同一又は異なっても良く、ハロゲン原子、C1-C6 アルキル基、ハロC1-C6アルキル基、 C1-C6アルコキシ基、ハロC1-C6 アルコキシ基、C1-C6アルキルチオ基、ハロC1-C6 アルキルチオ基、C1-C6アルキルスルフィニル基、ハロC1-C6 アルキルスルフィニル基、 C1-C6アルキルスルホニル基又はハロC1-C6アルキルスルホニル基から選択される１以上の置換基を環上に有する置換フェニルC1-C4 アルキル基を示す。）、C1-C6アルキレン基、ハロC1-C6 アルキレン基、C2-C6 アルケニレン基、ハロC2-C6アルケニレン基、C2-C6 アルキニレン基又はハロC3-C6 アルキニレン基を示し、
(1) Ａ2 が−Ｏ−、−Ｓ−、−ＳＯ−又は−ＳＯ2-を示す場合、Ｒ7 はハロC3-C6シクロアルキル基、ハロC3-C6 シクロアルケニル基、フェニル基、同一又は異なっても良く、ハロゲン原子、C1-C6アルキル基、ハロC1-C6 アルキル基、C1- C6アルコキシ基、ハロC1-C6アルコキシ基、 C1-C6アルキルチオ基、ハロC1- C6アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、複素環基（前記に同じ。）、同一又は異なっても良く、ハロゲン原子、C1-C6アルキル基、ハロC1-C6 アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）又は−Ａ3-Ｒ9（式中、Ａ3 はC1-C6 アルキレン基、ハロC1-C6アルキレン基、 C3-C6アルケニレン基、ハロC3-C6 アルケニレン基、C3-C6アルキニレン基又はハロC3-C6 アルキニレン基を示し、Ｒ9 は水素原子、ハロゲン原子、C3-C6シクロアルキル基、ハロC3-C6 シクロアルキル基、 C1-C6アルコキシカルボニル基、フェニル基、同一又は異なっても良く、ハロゲン原子、C1-C6アルキル基、ハロC1- C6アルキル基、C1-C6 アルコキシ基、ハロC1-C6アルコキシ基、C1-C6 アルキルチオ基、ハロC1-C6 アルキルチオ基、C1-C6アルキルスルフィニル基、ハロC1- C6アルキルスルフィニル基、 C1-C6アルキルスルホニル基又はハロC1-C6アルキルスルホニル基から選択される１以上の置換基を有する置換フェニル基又は−Ａ4-Ｒ10（式中、Ａ4は−Ｏ−、−Ｓ−、−ＳＯ−、−ＳＯ2-又は−Ｃ（＝Ｏ）を示し、Ｒ10はC1-C6アルキル基、ハロC1-C6 アルキル基、C3-C6 アルケニル基、ハロC3-C6アルケニル基、 C3-C6シクロアルキル基、ハロC3-C6 シクロアルキル基、フェニル基、同一又は異なっても良く、ハロゲン原子、C1-C6アルキル基、ハロC1- C6アルキル基、C1-C6アルコキシ基、ハロC1-C6 アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基又はハロC1- C6アルキルスルホニル基から選択される１以上の置換基を有する置換フェニル基、複素環基（前記に同じ。）又は同一若しくは異なっても良く、ハロゲン原子、C1-C6アルキル基、ハロC1-C6 アルキル基、 C1-C6アルコキシ基、ハロC1-C6アルコキシ基、C1-C6 アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）を示す。）を示す。）を示し、
(2) Ａ2 が−Ｃ（＝Ｏ）−又は−Ｃ（＝ＮＯＲ8)−（式中、Ｒ8 は前記に同じ。）を示す場合、Ｒ7はC1-C6 アルキル基、ハロC1-C6 アルキル基、 C2-C6アルケニル基、ハロC2-C6アルケニル基、 C3-C6シクロアルキル基、ハロC3-C6 シクロアルキル基、C1-C6アルコキシ基、 C1-C6アルキルチオ基、モノC1-C6 アルキルアミノ基、同一又は異なっても良いジC1-C6アルキルアミノ基、フェニル基、同一又は異なっても良く、ハロゲン原子、C1-C6 アルキル基、ハロC1-C6アルキル基、C1-C6 アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基又はハロC1-C6アルキルスルホニル基から選択される１以上の置換基を有する置換フェニル基、フェニルアミノ基、同一又は異なっても良く、ハロゲン原子、 C1-C6アルキル基、ハロC1-C6アルキル基、C1-C6 アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基又はハロC1-C6アルキルスルホニル基から選択される１以上の置換基を環上に有する置換フェニルアミノ基、複素環基（前記に同じ。）又は同一若しくは異なっても良く、ハロゲン原子、C1-C6アルキル基、ハロC1-C6 アルキル基、C1-C6 アルコキシ基、ハロC1-C6アルコキシ基、C1-C6 アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）を示し、
(3) Ａ2 が C1-C6アルキレン基、ハロC1-C6 アルキレン基、C2-C6アルケニレン基、ハロC2-C6 アルケニレン基、 C2-C6アルキニレン基又はハロC3-C6アルキニレン基を示す場合、Ｒ7 は水素原子、ハロゲン原子、 C3-C6シクロアルキル基、ハロC3-C6シクロアルキル基、 C1-C6アルコキシカルボニル基、フェニル基、同一又は異なっても良く、ハロゲン原子、C1-C6アルキル基、ハロC1-C6 アルキル基、C1-C6アルコキシ基、ハロC1-C6 アルコキシ基、C1-C6 アルキルチオ基、ハロC1-C6アルキルチオ基、 C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、複素環基（前記に同じ。）、同一又は異なっても良く、ハロゲン原子、C1-C6アルキル基、ハロC1-C6 アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1- C6アルキルスルフィニル基、C1-C6アルキルスルホニル基又はハロC1-C6 アルキルスルホニル基から選択される１以上の置換基を有する複素環基（前記に同じ。）又は−Ａ5-Ｒ12（式中、Ａ5は−Ｏ−、−Ｓ−、−ＳＯ−又は−ＳＯ2-を示し、Ｒ12はC3-C6シクロアルキル基、ハロC3-C6 シクロアルキル基、フェニル基、同一又は異なっても良く、ハロゲン原子、 C1-C6アルキル基、ハロC1-C6アルキル基、C1-C6 アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基又はハロC1-C6アルキルスルホニル基から選択される１以上の置換基を有する置換フェニル基、複素環基（前記に同じ。）、同一又は異なっても良く、ハロゲン原子、 C1-C6アルキル基、ハロC1-C6アルキル基、 C1-C6アルコキシ基、ハロC1-C6 アルコキシ基、C1-C6アルキルチオ基、ハロC1-C6 アルキルチオ基、C1-C6アルキルスルフィニル基、ハロC1-C6 アルキルスルフィニル基、 C1-C6アルキルスルホニル基又はハロC1-C6アルキルスルホニル基から選択される１以上の置換基を有する複素環基（前記に同じ。）又は−Ａ6-Ｒ14（式中、Ａ6はC1-C6 アルキレン基、ハロC1-C6 アルキレン基、C2-C6アルケニレン基、ハロC2-C6 アルケニレン基、 C2-C6アルキニレン基又はハロC3-C6アルキニレン基を示し、Ｒ14は水素原子、ハロゲン原子、C3- C6シクロアルキル基、ハロC3-C6シクロアルキル基、 C1-C6アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基、ハロC1-C6アルキルスルホニル基、フェニル基、同一又は異なっても良く、ハロゲン原子、C1-C6 アルキル基、ハロC1-C6アルキル基、C1- C6アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、C1-C6 アルキルスルホニル基又はハロC1-C6アルキルスルホニル基から選択される１以上の置換基を有する置換フェニル基、フェノキシ基、同一又は異なっても良く、ハロゲン原子、C1-C6アルキル基、ハロC1-C6 アルキル基、C1- C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェノキシ基、フェニルチオ基、同一又は異なっても良く、ハロゲン原子、C1-C6アルキル基、ハロC1-C6 アルキル基、C1-C6 アルコキシ基、ハロC1-C6アルコキシ基、C1-C6 アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニルチオ基、複素環基（前記に同じ）又は同一若しくは異なっても良く、ハロゲン原子、C1-C6アルキル基、ハロC1-C6 アルキル基、C1-C6 アルコキシ基、ハロC1-C6アルコキシ基、C1-C6 アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ）を示す。）を示す。）を示し、
ｎは１〜４の整数を示し、又、Ｘはフェニル環上の隣り合った炭素原子と一緒になって縮合環（縮合環とはナフタレン、テトラヒドロナフタレン、インデン、インダン、キノリン、キナゾリン、クロマン、イソクロマン、インドール、インドリン、ベンゾジオキサン、ベンゾジオキソール、ベンゾフラン、ジヒドロベンゾフラン、ベンゾチオフェン、ジヒドロベンゾチオフェン、ベンゾオキサゾール、ベンゾチアゾール、ベンズイミダゾール又はインダゾールを示す。）を形成することができ、該縮合環は同一又は異なっても良く、ハロゲン原子、C1-C6アルキル基、ハロC1-C6 アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基、ハロC1-C6 アルキルスルホニル基、フェニル基、同一又は異なっても良く、ハロゲン原子、C1-C6アルキル基、ハロC1-C6 アルキル基、 C1-C6アルコキシ基、ハロC1-C6アルコキシ基、 C1-C6アルキルチオ基、ハロC1- C6アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、複素環基（前記に同じ）又は同一若しくは異なっても良く、ハロゲン原子、C1-C6アルキル基、ハロC1-C6 アルキル基、C1-C6 アルコキシ基、ハロC1-C6アルコキシ基、C1-C6 アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）から選択される１以上の置換基を有することもでき、
Ｙは同一又は異なっても良く、水素原子、ハロゲン原子、シアノ基、ニトロ基、ハロC3-C6 シクロアルキル基、フェニル基、同一又は異なっても良く、ハロゲン原子、C1-C6アルキル基、ハロC1-C6 アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、複素環基（前記に同じ。）、同一又は異なっても良く、ハロゲン原子、C1-C6アルキル基、ハロC1-C6 アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）又は−Ａ2-Ｒ7（式中、Ａ2 及びＲ7 は前記に同じ。）を示し、ｍは１〜５の整数を示す。
又、Ｙはフェニル環上の隣り合った炭素原子と一緒になって縮合環（前記に同じ。）を形成することができ、該縮合環は同一又は異なっても良く、ハロゲン原子、C1-C6アルキル基、ハロC1-C6 アルキル基、C1-C6 アルコキシ基、ハロC1-C6アルコキシ基、 C1-C6アルキルチオ基、ハロC1-C6アルキルチオ基、 C1-C6アルキルスルフィニル基、ハロC1-C6 アルキルスルフィニル基、C1-C6アルキルスルホニル基、ハロC1-C6 アルキルスルホニル基、フェニル基、同一又は異なっても良く、ハロゲン原子、C1-C6アルキル基、ハロC1-C6 アルキル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、複素環基（前記に同じ。）又は同一若しくは異なっても良く、ハロゲン原子、C1-C6アルキル基、ハロC1-C6 アルキル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）から選択される１以上の置換基を有することもでき、
Ｚ1 及びＺ2 は酸素原子又は硫黄原子を示す請求項６記載の農園芸用殺虫剤。
【請求項８】
一般式(I-1)
【化６】
1999240857.tif 000006
〔式中、Ｒ1 、Ｒ2 及びＲ3 は同一又は異なっても良く、水素原子、 C3-C6シクロアルキル基、ハロC3-C6シクロアルキル又は−Ａ1-Ｑl （式中、Ａ1 は C1-C8アルキレン基、C3-C6アルケニレン基又はC3-C6 アルキニレン基を示し、Ｑは水素原子、ハロゲン原子、シアノ基、ニトロ基、ハロC1-C6アルキル基、C3-C6 シクロアルキル基、ハロ C3-C6シクロアルキル基、C1-C6アルコキシカルボニル基、同一又は異なっても良いジC1-C6 アルコキシホスホリル基、同一又は異なっても良いジC1-C6アルコキシチオホスホリル基、ジフェニルホスフィノ基、ジフェニルホスホノ基、フェニル基、同一又は異なっても良く、ハロゲン原子、C1-C6アルキル基、ハロC1- C6アルキル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、複素環基（複素環基とはピリジル基、ピリジン−Ｎ−オキシド基、ピリミジニル基、フリル基、テトラヒドロフリル基、チエニル基、テトラヒドロチエニル基、テトラヒドロピラニル基、テトラヒドロチオピラニル基、オキサゾリル基、イソキサゾリル基、オキサジアゾリル基、チアゾリル基、イソチアゾリル基、チアジアゾリル基、イミダゾリル基、トリアゾリル基又はピラゾリル基を示す。）、同一又は異なっても良く、ハロゲン原子、C1-C6アルキル基、ハロC1-C6 アルキル基、 C1-C6アルコキシ基、ハロC1-C6アルコキシ基、C1- C6アルキルチオ基、ハロC1-C6 アルキルチオ基、C1-C6アルキルスルフィニル基、ハロC1-C6 アルキルスルフィニル基、 C1-C6アルキルスルホニル基又はハロC1-C6アルキルスルホニル基から選択される１以上の置換基を有する複素環基（前記に同じ。）又は−Ｚ3-Ｒ5（式中、Ｚ3 は−Ｏ−又は−Ｎ（Ｒ6)−（式中、Ｒ6 は水素原子、C1-C6アルキルカルボニル基、ハロC1-C6 アルキルカルボニル基、C1-C6アルコキシカルボニル基、フェニルカルボニル基、同一又は異なっても良く、ハロゲン原子、C1-C6アルキル基、ハロC1-C6 アルキル基、 C1-C6アルコキシ基、ハロC1-C6アルコキシ基、 C1-C6アルキルチオ基、ハロC1-C6 アルキルチオ基、C1-C6アルキルスルフィニル基、ハロC1- C6アルキルスルフィニル基、C1-C6アルキルスルホニル基又はハロC1-C6 アルキルスルホニル基から選択される１以上の置換基を有する置換フェニルカルボニル基、フェニルC1-C4アルコキシカルボニル基又は同一若しくは異なっても良く、ハロゲン原子、C1-C6 アルキル基、ハロC1-C6アルキル基、C1-C6 アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基又はハロC1-C6アルキルスルホニル基から選択される１以上の置換基を環上に有する置換フェニルC1-C4 アルコキシカルボニル基を示す。）を示し、Ｒ5は水素原子、 C1-C6アルキル基、ハロC1-C6 アルキル基、C3-C6アルケニル基、ハロC3-C6 アルケニル基、C3-C6アルキニル基、ハロC3-C6 アルキニル基、 C3-C6シクロアルキル基、ハロC3-C6シクロアルキル基、 C1-C6アルキルカルボニル基、ハロC1-C6アルキルカルボニル基、 C1-C6アルコキシカルボニル基、フェニル基、同一又は異なっても良く、ハロゲン原子、C1-C6アルキル基、ハロC1- C6アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、フェニルC1-C4アルキル基、同一又は異なっても良く、ハロゲン原子、C1-C6 アルキル基、ハロC1-C6アルキル基、C1-C6 アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基又はハロC1-C6アルキルスルホニル基から選択される１以上の置換基を環上に有する置換フェニルC1-C4 アルキル基、複素環基（前記に同じ。）又は同一若しくは異なっても良く、ハロゲン原子、C1-C6アルキル基、ハロC1-C6 アルキル基、 C1-C6アルコキシ基、ハロC1-C6アルコキシ基、C1-C6 アルキルチオ基、ハロC1-C6アルキルチオ基、C1- C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）を示す。）を示す。）を示す。ｌは１〜４の整数を示す。）を示す。又、Ｒ1 及びＲ2 は互いに結合して１〜３個の同一又は異なっても良く、酸素原子又は窒素原子により中断されても良い４〜７員環を形成することもできる。
Ｘは水素原子又はニトロ基を示し、Ｙ1 及びＹ3 は同一又は異なっても良く、水素原子、ハロゲン原子、C1-C6アルキル基、ハロC1-C6 アルキル基、C1-C6 アルコキシ基、ハロC1-C6アルコキシ基、 C1-C6アルキルチオ基、ハロC1-C6 アルキルチオ基、フェノキシ基、同一又は異なっても良く、ハロゲン原子、C1-C6アルキル基、ハロC1-C6 アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェノキシ基、ピリジルオキシ基又は同一若しくは異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する置換ピリジルオキシ基を示し、Ｙ2はハロC3-C6 シクロアルキル基、フェニル基、同一又は異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する置換フェニル基、複素環基（前記に同じ）、同一又は異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する複素環基（前記に同じ。）又は−Ａ2-Ｒ7（式中、Ａ2 は−Ｏ−、−Ｓ−、−ＳＯ−、−ＳＯ2-、ハロC1-C6 アルキレン基、C2-C6アルケニレン基、ハロC2-C6 アルケニレン基、C2-C6 アルキニレン基又はハロC3-C6アルキニレン基を示し、
(1) Ａ2 が−Ｏ−、−Ｓ−、−ＳＯ−又は−ＳＯ2-を示す場合、Ｒ7 はハロC3-C6シクロアルキル基、ハロC3-C6 シクロアルケニル基、同一又は異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する置換フェニル基、複素環基（前記に同じ。）、同一又は異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する複素環基（前記に同じ。）又は−Ａ3-Ｒ9（式中、Ａ3 はハロC1-C6 アルキレン基、ハロC3-C6アルケニレン基、C3-C6 アルキニレン基又はハロC3-C6 アルキニレン基を示し、Ｒ9は水素原子、ハロゲン原子、フェニル基、同一又は異なっても良く、ハロゲン原子、ハロC1-C6 アルキル基、ハロC1-C6アルコキシ基、ハロC1-C6 アルキルチオ基、ハロC1-C6 アルキルスルフィニル基又はハロC1-C6アルキルスルホニル基から選択される１以上の置換基を有する置換フェニル基又は−Ａ4-Ｒ10（式中、Ａ4は−Ｏ−、−Ｓ−、−ＳＯ−又は−ＳＯ2-を示し、Ｒ10はC1-C6 アルキル基、ハロC1-C6アルキル基、C3-C6 アルケニル基、ハロC3-C6 アルケニル基、C3-C6シクロアルキル基、ハロC3-C6 シクロアルキル基、フェニル基、同一又は異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する置換フェニル基、複素環基（前記に同じ。）又は同一若しくは異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する複素環基（前記に同じ。）を示す。）を示す。）を示し、
(2) Ａ2 がハロC1-C6 アルキレン基、C2-C6 アルケニレン基、ハロC2-C6アルケニレン基、C2-C6 アルキニレン基又はハロC3-C6 アルキニレン基を示す場合、Ｒ7は水素原子、ハロゲン原子、ハロC3-C6 シクロアルキル基、フェニル基、同一又は異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する置換フェニル基又は−Ａ5-Ｒ12（式中、Ａ5は−Ｏ−、−Ｓ−、−ＳＯ−又は−ＳＯ2-を示し、Ｒ12はC3-C6 シクロアルキル基、ハロC3-C6シクロアルキル基、フェニル基、同一又は異なっても良く、ハロゲン原子、ハロC1-C6 アルキル基、ハロC1-C6アルコキシ基、ハロC1-C6 アルキルチオ基、ハロC1-C6 アルキルスルフィニル基又はハロC1-C6アルキルスルホニル基から選択される１以上の置換基を有する置換フェニル基、複素環基（前記に同じ。）、同一又は異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する複素環基（前記に同じ。）又は−Ａ6-Ｒ14（式中、Ａ6はC1-C6 アルキレン基、ハロC1-C6 アルキレン基、C2-C6アルケニレン基、ハロC2-C6 アルケニレン基、C2-C6 アルキニレン基又はハロC3-C6アルキニレン基を示し、Ｒ14は水素原子、ハロゲン原子、ハロC3-C6 シクロアルキル基、ハロC1-C6アルコキシ基、ハロC1-C6 アルキルチオ基、ハロC1-C6 アルキルスルフィニル基、ハロC1-C6アルキルスルホニル基、フェニル基、同一又は異なっても良く、ハロゲン原子、ハロC1-C6 アルキル基、ハロC1-C6アルコキシ基、ハロC1-C6 アルキルチオ基、ハロC1-C6 アルキルスルフィニル基又はハロC1-C6アルキルスルホニル基から選択される１以上の置換基を有する置換フェニル基、フェノキシ基、同一又は異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する置換フェノキシ基、フェニルチオ基、同一又は異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する置換フェニルチオ基、複素環基（前記に同じ。）又は同一若しくは異なっても良く、ハロゲン原子、ハロC1-C6アルキル基、ハロC1-C6 アルコキシ基、ハロC1-C6 アルキルチオ基、ハロC1-C6アルキルスルフィニル基又はハロC1-C6 アルキルスルホニル基から選択される１以上の置換基を有する複素環基（前記に同じ。）を示す。）を示す。）を示す。又、Ｙ1 及びＹ2 は隣り合ったＹ3 と一緒になっ  て縮合環（縮合環とはナフタレン、テトラヒドロナフタレン、インデン、インダン、キノリン、キナゾリン、クロマン、イソクロマン、インドール、インドリン、ベンゾジオキサン、ベンゾジオキソール、ベンゾフラン、ジヒロベンゾフラン、ベンゾチオフェン、ジヒドロベンゾチオフェン、ベンゾオキサゾール、ベンゾチアゾール、ベンズイミダゾール又はインダゾールを示す。）を形成することができ、該縮���環は同一又は異なっても良く、ハロゲン原子、C1-C6アルキル基、ハロC1-C6 アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基、ハロC1-C6 アルキルスルホニル基、フェニル基、同一又は異なっても良く、ハロゲン原子、C1-C6アルキル基、ハロC1-C6 アルキル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、複素環基（前記に同じ。）又は同一若しくは異なっても良く、ハロゲン原子、C1-C6アルキル基、ハロC1-C6 アルキル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）から選択される１以上の置換基を有することもできる。  Ｚ1及びＺ2 は酸素原子又は硫黄原子を示す。〕で表される請求項７記載の農園芸用殺虫剤。
【請求項９】
一般式(I-2)
【化７】
1999240857.tif 000007
〔式中、Ｒ1 、Ｒ2 及びＲ3 は同一又は異なっても良く、水素原子、 C3-C6シクロアルキル基、ハロC3-C6シクロアルキル基又は−Ａ1-Ｑl （式中、Ａ1 はC1-C8アルキレン基、 C3-C6アルケニレン基又はC3-C6 アルキニレン基を示し、Ｑは水素原子、ハロゲン原子、シアノ基、ニトロ基、ハロC1-C6アルキル基、C3- C6シクロアルキル基、ハロ C3-C6シクロアルキル基、C1-C6アルコキシカルボニル基、同一又は異なっても良いジC1-C6 アルコキシホスホリル基、同一又は異なっても良いジC1-C6アルコキシチオホスホリル基、ジフェニルホスフィノ基、ジフェニルホスホノ基、フェニル基、同一又は異なっても良く、ハロゲン原子、C1-C6アルキル基、ハロC1- C6アルキル基、 C1-C6アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、複素環基（複素環基とはピリジル基、ピリジン−Ｎ−オキシド基、ピリミジニル基、フリル基、テトラヒドロフリル基、チエニル基、テトラヒドロチエニル基、テトラヒドロピラニル基、テトラヒドロチオピラニル基、オキサゾリル基、イソキサゾリル基、オキサジアゾリル基、チアゾリル基、イソチアゾリル基、チアジアゾリル基、イミダゾリル基、トリアゾリル基又はピラゾリル基を示す。）、同一又は異なっても良く、ハロゲン原子、C1-C6アルキル基、ハロC1-C6 アルキル基、 C1-C6アルコキシ基、ハロC1-C6アルコキシ基、C1- C6アルキルチオ基、ハロC1-C6 アルキルチオ基、C1-C6アルキルスルフィニル基、ハロC1-C6 アルキルスルフィニル基、 C1-C6アルキルスルホニル基又はハロC1-C6アルキルスルホニル基から選択される１以上の置換基を有する複素環基（前記に同じ。）又は−Ｚ3-Ｒ5（式中、Ｚ3 は−Ｏ−又は−Ｎ（Ｒ6)−（式中、Ｒ6 は水素原子、C1-C6アルキルカルボニル基、ハロC1-C6 アルキルカルボニル基、C1-C6アルコキシカルボニル基、フェニルカルボニル基、同一又は異なっても良く、ハロゲン原子、C1-C6アルキル基、ハロC1-C6 アルキル基、 C1-C6アルコキシ基、ハロC1-C6アルコキシ基、 C1-C6アルキルチオ基、ハロC1-C6 アルキルチオ基、C1-C6アルキルスルフィニル基、ハロC1- C6アルキルスルフィニル基、C1-C6アルキルスルホニル基又はハロC1-C6 アルキルスルホニル基から選択される１以上の置換基を有する置換フェニルカルボニル基、フェニルC1-C4アルコキシカルボニル基又は同一若しくは異なっても良く、ハロゲン原子、C1-C6 アルキル基、ハロC1-C6アルキル基、C1-C6 アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基又はハロC1-C6アルキルスルホニル基から選択される１以上の置換基を環上に有する置換フェニルC1-C4 アルコキシカルボニル基を示す。）を示し、Ｒ5は水素原子、 C1-C6アルキル基、ハロC1-C6 アルキル基、C3-C6アルケニル基、ハロC3-C6 アルケニル基、C3-C6アルキニル基、ハロC3-C6 アルキニル基、 C3-C6シクロアルキル基、ハロC3-C6シクロアルキル基、 C1-C6アルキルカルボニル基、ハロC1-C6アルキルカルボニル基、 C1-C6アルコキシカルボニル基、フェニル基、同一又は異なっても良く、ハロゲン原子、C1-C6アルキル基、ハロC1- C6アルキル基、C1-C6 アルコキシ基、ハロC1-C6アルコキシ基、 C1-C6アルキルチオ基、ハロC1-C6 アルキルチオ基、C1-C6アルキルスルフィニル基、ハロC1-C6 アルキルスルフィニル基、C1-C6アルキルスルホニル基又はハロC1-C6 アルキルスルホニル基から選択される１以上の置換基を有する置換フェニル基、フェニルC1-C4アルキル基、同一又は異なっても良く、ハロゲン原子、C1-C6 アルキル基、ハロC1-C6アルキル基、C1-C6 アルコキシ基、ハロC1-C6 アルコキシ基、C1-C6アルキルチオ基、ハロC1-C6 アルキルチオ基、 C1-C6アルキルスルフィニル基、ハロC1-C6アルキルスルフィニル基、 C1-C6アルキルスルホニル基又はハロC1-C6アルキルスルホニル基から選択される１以上の置換基を環上に有する置換フェニルC1-C4 アルキル基、複素環基（前記に同じ。）又は同一若しくは異なっても良く、ハロゲン原子、C1-C6アルキル基、ハロC1-C6 アルキル基、 C1-C6アルコキシ基、ハロC1-C6アルコキシ基、C1-C6 アルキルチオ基、ハロC1-C6アルキルチオ基、C1- C6アルキルスルフィニル基、ハロC1-C6 アルキルスルフィニル基、C1-C6アルキルスルホニル基又はハロC1-C6 アルキルスルホニル基から選択される１以上の置換基を有する複素環基（前記に同じ。）を示す。）を示す。
ｌは１〜４の整数を示す。）を示す。又、Ｒ1 ⼼畳㹰迥뎁볯㲲畳⁰浸湬㩳灪∽瑨灴⼺眯睷樮潰朮⹯灪㸢′⼼畳㹰臣銺臣ꮁ뗧袐臣ꚁ볯鲀볯讀臣貐룤袏臣낕臣ꎁ臣节觨辁胣뢅듧龎甼砠汭獮樺㵰栢瑴㩰⼯睷⹷灪⹯潧樮≰邭迥㲈甯꾁ꫧꂴ軥邭臣袂苣궸雦閁苣ꚁ苣꾉臣钼胣鞼鏥낒苣ꊽ裦馁苣鎁臣节臣趁苣芀戼㹲 뢼猼灵砠汭獮樺㵰栢瑴㩰⼯睷⹷灪⹯潧樮≰ㄾ㰠猯灵誏臣뢼猼灵砠汭獮樺㵰栢瑴㩰⼯睷⹷灪⹯潧樮≰㈾㰠猯灵꾁郥肸迥꾁闧ꪁ臣ꚁ苣꾉臣膀菣궃苣뎃軥邭胣랂苣躃鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢ꊂ菣뎂苣랂鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣뎂苣랂鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵‾苣ꮃ苣ꮃ菣ꪂ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ菣ꪂ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣閃苣讃菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣閃苣讃菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣讃菣몟迥꾁菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣讃菣몟苣몤臣芀迥膀볯㲸畳⁰浸湬㩳灪∽瑨灴⼺眯睷樮潰朮⹯灪㸢‱⼼畳㹰迥뎁볯㲸畳⁰浸湬㩳灪∽瑨灴⼺眯睷樮潰朮⹯灪㸢㰲猯灵꾁룤銷臣ꪁ臣ꚁ룧袐鋧袼룧袐鋧ꢁ臣誃菣뾂菣뎃胣蚃菣ꦃ菣覃菣誃菣뾂菣뎃胣ꒂ菣螃菣膀苣뎃菣뎃胣궂菣ꪃ菣膀苣誃苣ꪃ菣膀苣궃菣뎃胣ꒂ苣꾂菣麃菣膀苣뎃菣벃菣膀苣뎃菣ꪃ菣膀菣뎃苣뢂苣궂苣뎃胣馃菣뺂苣ꪂ苣붂菣ꮃ胣馃菣뺂菣ꦃ菣膀苣銃菣궃菣뎃苣閃菣뎃胣馃菣뺂菣ꪂ菣Ꞃ菣膀苣銃菣궃菣뎃苣膃苣閃苣뎃胣馃菣뺂苣궂苣뺂菣ꮃ胣馃菣뺂菣ꊂ苣벃菣膀菣뎃苣ꒂ菣肃苣벃菣袏臣ꒂ菣肃苣벃菣銂ꓧ馁胣覼苣ꊽ裦馁苣鎁臣貁臣趁胣늩룧袐鋧꾁郥肸迥꾁闧ꪁ臣ꚁ苣꾉臣膀菣궃苣뎃軥邭胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ鿥膀㱃畳⁢浸湬㩳灪∽瑨灴���眯睷樮潰朮⹯灪㸢㰱猯扵ⴾ㱃畳⁢浸湬㩳灪∽瑨灴⼺眯睷樮潰朮⹯灪㸢㰶猯扵‾苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣膃苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣ꎂ菣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣讃菣몟胣閃苣讃菣몟胣貐룤袏臣낕臣ꎁ臣节觨辁胣较菣늂菣龎귥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣뎂苣랂鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣뎂苣랂鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ菣ꪂ鿥膀菣궃㱃畳⁢浸湬㩳灪∽瑨灴⼺眯睷樮潰朮⹯灪㸢㰱猯扵ⴾ䌠猼扵砠汭獮樺㵰栢瑴㩰⼯睷⹷灪⹯潧樮≰㘾⼼畳㹢苣ꮃ苣ꮃ菣ꪂ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣閃苣讃菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣閃苣讃菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣讃菣몟迥꾁菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣讃菣몟臣覂臩麊臣貂苣醼믤誸臣꺽迦몟苣覜臣讂뷧鮏菣Ꞃ菣ꮃ鿥膀ꓨꂴ鋧몟볯趉꣨ꮁ郥颁볯膀郥肸迥꾁闧ꪁ臣ꚁ苣꾉臣膀菣궃苣뎃軥邭胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢���猯扵‾苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣ꎂ菣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥袏臣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣鮃菣ꮃ鿥讁苣뢁諦閁苣讂볯ꖻ룤꺁뷧鮏鿥銂鳦馁苣螤듧낒鿥袼觥風臣貐臣芀볯讁苣뢁諦閁苣讂볯ꖻ룤꺁뷧鮏鿥銂鳦馁苣鎁臣节臣趁苣芀戼㹲 림臣貐룤袏臣낕臣ꎁ臣节觨辁胣뒰듧龎귥膀菣궃苣뎃軥邭胣랂苣躃鿥膀菣袃菣몟胣较菣䎭猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾㰠猯扵랂苣궃苣ꮃ苣ꮃ鿥膀菣Ꞃ菣ꮃ鿥膀郥肸迥꾁闧ꪁ臣ꚁ苣꾉臣膀菣궃苣뎃軥邭胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵‾苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣膃苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣ꎂ菣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥袏臣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣鮃菣ꮃ鿥讁苣뢁諦閁苣讂볯ꖻ룤꺁뷧鮏鿥銂鳦馁苣꺽迦閃苣讃菣몟胣螤듧낒鿥袼觥風臣貐臣芀볯膀郥肸迥꾁闧ꪁ臣���苣꾉臣膀菣궃苣뎃軥邭胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵‾苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣膃苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣ꎂ菣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥袏臣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣鮃菣ꮃ鿥讁苣뢁諦閁苣讂볯ꖻ룤꺁뷧鮏鿥銂鳦馁苣螤듧낒鿥袼觥風臣貐臣芀볯袏臣銈볯㲡畳⁰浸湬㩳灪∽瑨灴⼺眯睷樮潰朮⹯灪㸢㰲猯灵ⴾ볯㲲畳⁰浸湬㩳灪∽瑨灴⼺眯睷樮潰朮⹯灪㸢㰷猯灵袼볥궸胣ꆼ猼灵砠汭獮樺㵰栢瑴㩰⼯睷⹷灪⹯潧樮≰㈾㰠猯灵꾁裢꾼裢膀裢뎼裢膀裢뎼볯銈胣銈볯꾼猼扵砠汭獮樺㵰栢瑴㩰⼯睷⹷灪⹯潧樮≰㈾⼼畳㹢膀裢ꎼ볯鶼볯覼裢膀裢ꎼ볯鶼볯꾼볯㲲畳⁰浸湬㩳灪∽瑨灴⼺眯睷樮潰朮⹯灪㸢㰸猯灵⤾裢袼볥궸胣늼猼灵砠汭獮樺㵰栢瑴㩰⼯睷⹷灪⹯潧樮≰㠾⼼畳㹰臣뒰듧龎귥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ鿥膀㱃畳⁢浸湬㩳灪∽瑨灴⼺眯睷樮潰朮⹯灪㸢㰳猯扵ⴾ㱃畳⁢浸湬㩳灪∽瑨灴⼺眯睷樮潰朮⹯灪㸢㰶猯扵ꊂ菣놂菣ꮃ鿥膀菣궃㱃畳⁢浸湬㩳灪∽瑨灴⼺眯睷樮潰朮⹯灪㸢㰳猯扵ⴾ㱃畳⁢浸湬㩳灪∽瑨灴⼺眯睷樮潰朮⹯灪㸢‶⼼畳㹢苣ꮃ苣讃菣몟胣₁㱃畳⁢浸湬㩳灪∽瑨灴⼺眯睷樮潰朮⹯灪㸢㰳猯扵ⴾ㱃畳⁢浸湬㩳灪∽瑨灴⼺眯睷樮潰朮⹯灪㸢㰶猯扵ꊂ菣궂菣ꮃ鿥膀苣꾂菣䎭猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾⼼畳㹢苣ꮃ苣ꮃ鿥膀菣Ꞃ菣ꮃ㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‴⼼畳㹢苣ꮃ苣ꮃ鿥袏臣貐룤ꖋ臣辁臣낕臣ꎁ臣节觨辁胣较菣늂菣龎귥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶���扵ꊂ菣궂菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣뎂苣랂鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣뎂苣랂鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ菣ꪂ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ菣ꪂ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣閃苣讃菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣閃苣讃菣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥袏臣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣讃菣몟臣覂臩麊臣貂苣醼믤誸臣꺽迦몟苣낒룤ꮁ鳦馁苣꺽迦閃苣讃菣䎫猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㐾㰠猯扵ꊂ菣궂菣몟苣몤臣芀볯膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣뎃鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣것菣몟胣䎁猼扵砠汭獮樺㵰栢瑴㩰⼯睷⹷灪⹯潧樮≰㈾⼼畳㹢䌭猼扵砠汭獮樺㵰栢瑴㩰⼯睷⹷灪⹯潧樮≰㘾㰠猯扵ꊂ菣놂菣것菣몟胣较菣䎭猼扵砠汭獮樺㵰栢瑴㩰⼯睷⹷灪⹯潧樮≰㈾⼼畳㹢䌭猼扵砠汭獮樺㵰栢瑴㩰⼯睷⹷灪⹯潧樮≰㘾⼼畳㹢苣ꮃ苣讃菣뎃鿥膀㱃畳⁢浸湬㩳灪∽瑨灴⼺眯睷樮潰朮⹯灪㸢㰲猯扵ⴾ㱃畳⁢浸湬㩳灪∽瑨灴⼺眯睷樮潰朮⹯灪㸢‶⼼畳㹢苣ꮃ苣讃菣뎃鿥袏臣较菣䎭猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾㰠猯扵ꊂ菣궂菣것菣몟苣몤臣膀戼㹲⠊⤱ꆼ猼灵砠汭獮樺㵰栢瑴㩰⼯睷⹷灪⹯潧樮≰㈾㰠猯灵貁裢꾼裢膀裢뎼裢膀裢뎼볯銈迥꾁裢뎼볯㲯畳⁢浸湬㩳灪∽瑨灴⼺眯睷樮潰朮⹯灪㸢㰲猯扵ⴾ苣몤臣뒠郥膀볯㲲畳⁰浸湬㩳灪∽瑨灴⼺眯睷樮潰朮⹯灪㸢‷⼼畳㹰臣较菣䎭猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾⼼畳㹢苣꾂菣ꊂ菣궂菣몟胣较菣䎭猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾㰠猯扵랂苣궃苣ꮃ苣讃菣몟胣閃苣讃菣몟胣貐룤袏臣낕臣ꎁ臣节觨辁胣较菣늂菣龎귥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣몟胣较菣䎭猼扵砠汭獮樺㵰���瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢ꊂ菣뎂苣랂鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣뎂苣랂鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ菣ꪂ鿥膀菣궃㱃畳⁢浸湬㩳灪∽瑨灴⼺眯睷樮潰朮⹯灪㸢㰱猯扵ⴾ䌠猼扵砠汭獮樺㵰栢瑴㩰⼯睷⹷灪⹯潧樮≰㘾⼼畳㹢苣ꮃ苣ꮃ菣ꪂ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣閃苣讃菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣閃苣讃菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣讃菣몟迥꾁菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣讃菣몟臣覂臩麊臣貂苣醼믤誸臣꺽迦몟苣覜臣讂뷧鮏菣Ꞃ菣ꮃ鿥膀ꓨꂴ鋧몟볯趉꣨ꮁ郥颁胣覼胣貐룤袏臣낕臣ꎁ臣节觨辁胣较菣늂菣龎귥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢ꊂ菣뎂苣랂鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣뎂苣랂鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ菣ꪂ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ菣ꪂ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣閃苣讃菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣閃苣讃菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣讃菣몟迥꾁菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣讃菣몟臣覂臩麊臣貂苣醼믤誸臣꺽迦몟苣覜臣讂ꓨꂴ鋧몟볯趉꣨ꮁ郥颁胣覼迥꾁裢ꆼ猼灵砠汭獮樺㵰栢瑴㩰⼯睷⹷灪⹯潧樮≰㌾⼼畳㹰늼猼灵砠汭獮樺㵰栢瑴㩰⼯睷⹷灪⹯潧樮≰㤾⼼畳㹰볯込룤膀볯㲡畳⁰浸湬㩳灪∽瑨灴⼺眯睷樮潰朮⹯灪㸢″⼼畳㹰臣䎯猼扵砠汭���樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢ꊂ菣궂菣뎃鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣뎃鿥膀䌠猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾⼼畳㹢苣ꮃ苣讃菣뎃鿥膀菣궃㱃畳⁢浸湬㩳灪∽瑨灴⼺眯睷樮潰朮⹯灪㸢㰳猯扵ⴾ㱃畳⁢浸湬㩳灪∽瑨灴⼺眯睷樮潰朮⹯灪㸢‶⼼畳㹢苣ꮃ苣讃菣뎃鿥膀㱃畳⁢浸湬㩳灪∽瑨灴⼺眯睷樮潰朮⹯灪㸢㰳猯扵ⴾ㱃畳⁢浸湬㩳灪∽瑨灴⼺眯睷樮潰朮⹯灪㸢㰶猯扵ꊂ菣궂菣것菣몟迥꾁菣궃㱃畳⁢浸湬㩳灪∽瑨灴⼺眯睷樮潰朮⹯灪㸢㰳猯扵ⴾ㱃畳⁢浸湬㩳灪∽瑨灴⼺眯睷樮潰朮⹯灪㸢‶⼼畳㹢苣ꮃ苣讃菣뎃鿥銂ꓧ鞁胣늼猼灵砠汭獮樺㵰栢瑴㩰⼯睷⹷灪⹯潧樮≰㤾㰠猯灵꾁냦ꂴ軥邭胣较菣늂菣龎귥膀㱃畳⁢浸湬㩳灪∽瑨灴⼺眯睷樮潰朮⹯灪㸢㰳猯扵ⴾ㱃畳⁢浸湬㩳灪∽瑨灴⼺眯睷樮潰朮⹯灪㸢㰶猯扵랂苣궃苣ꮃ苣ꮃ鿥膀菣궃㱃畳⁢浸湬㩳灪∽瑨灴⼺眯睷樮潰朮⹯灪㸢㰳猯扵ⴾ㱃畳⁢浸湬㩳灪∽瑨灴⼺眯睷樮潰朮⹯灪㸢‶⼼畳㹢苣꾂菣ꊂ菣궂菣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣뎂苣랂苣ꮃ菣讃菣몟胣閃苣讃菣몟胣貐룤袏臣낕臣ꎁ臣节觨辁胣较菣늂菣龎귥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢ꊂ菣뎂苣랂鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣뎂苣랂鿥膀㱃畳⁢浸湬㩳灪∽瑨灴⼺眯睷樮潰朮⹯灪㸢㰱猯扵ⴾ䌠猼扵砠汭獮樺㵰栢瑴㩰⼯睷⹷灪⹯潧樮≰㘾⼼畳㹢苣ꮃ苣ꮃ菣ꪂ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ菣ꪂ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣閃苣讃菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣閃苣讃菣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥袏臣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣讃菣몟臣覂臩麊臣貂苣醼믤誸臣꺽迦몟苣覜臣讂뷧鮏菣Ꞃ菣ꮃ鿥袏臣銈볯㲡畳⁰浸湬㩳灪∽瑨灴⼺眯睷樮潰朮⹯灪㸢㰴猯灵ⴾ볯㲲畳⁰浸湬㩳灪∽瑨灴⼺眯睷樮潰朮⹯灪㸢〱⼼畳㹰볯込룤膀볯㲡畳⁰浸湬㩳灪∽瑨灴⼺眯睷樮潰朮⹯灪㸢㰴猯灵꾁裢꾼裢膀裢뎼裢膀裢뎼볯銈���銈볯꾼猼扵砠汭獮樺㵰栢瑴㩰⼯睷⹷灪⹯潧樮≰㈾⼼畳㹢袏臣銈볯袼볯꾼볯銂ꓧ鞁胣늼猼灵砠汭獮樺㵰栢瑴㩰⼯睷⹷灪⹯潧樮≰ㄾ㰰猯灵꾁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣몟胣䎁猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾㰠猯扵ꊂ菣놂菣ꮃ鿥膀菣궃㱃畳⁢浸湬㩳灪∽瑨灴⼺眯睷樮潰朮⹯灪㸢㰳猯扵ⴾ㱃畳⁢浸湬㩳灪∽瑨灴⼺眯睷樮潰朮⹯灪㸢㰶猯扵ꊂ菣놂菣ꮃ鿥膀苣꾂菣䎭猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾㰠猯扵ꊂ菣궂菣몟胣较菣랂苣궃㱃畳⁢浸湬㩳灪∽瑨灴⼺眯睷樮潰朮⹯灪㸢㰳猯扵ⴾ㱃畳⁢浸湬㩳灪∽瑨灴⼺眯睷樮潰朮⹯灪㸢‶⼼畳㹢苣ꮃ苣ꮃ鿥膀菣Ꞃ菣ꮃ鿥膀郥肸迥꾁闧ꪁ臣ꚁ苣꾉臣膀菣궃苣뎃軥邭胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵‾苣ꮃ苣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣뎂苣랂鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵‾苣ꮃ苣궂苣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣膃苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ菣ꪂ鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣ꎂ菣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥袏臣较菣䎭猼扵砠汭獮樺㵰栢瑴㩰⼯睷⹷灪⹯潧樮≰ㄾ⼼畳㹢‭㱃畳⁢浸湬㩳灪∽瑨灴⼺眯睷樮潰朮⹯灪㸢㰶猯扵ꊂ菣궂菣릂菣鮃菣ꮃ鿥讁苣뢁諦閁苣讂볯ꖻ룤꺁뷧鮏鿥銂鳦馁苣꺽迦閃苣讃菣몟胣螤듧낒鿥袼觥風臣貐臣芀볯袏臣貐룤ꖋ臣辁臣낕臣ꎁ臣节觨辁胣较菣늂菣龎귥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣뎂苣랂鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮���朮⹯灪㸢㰶猯扵ꊂ菣뎂苣랂鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ菣ꪂ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ菣ꪂ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣閃苣讃菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣閃苣讃菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣讃菣몟迥꾁菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣讃菣몟臣覂臩麊臣貂苣醼믤誸臣꺽迦몟苣覜臣讂ꓨꂴ鋧몟볯趉꣨ꮁ郥颁胣覼苣몤臣芀볯銂ꓧ鞁胣㲁牢ਾ㈨ 볯㲡畳⁰浸湬㩳灪∽瑨灴⼺眯睷樮潰朮⹯灪㸢′⼼畳㹰臣銈볯袼볯꾼볯銈迥꾁裢ꎼ볯鶼볯꾼볯㲲畳⁰浸湬㩳灪∽瑨灴⼺眯睷樮潰朮⹯灪㸢㰸猯灵⤾裢袼볥궸胣늼猼灵砠汭獮樺㵰栢瑴㩰⼯睷⹷灪⹯潧樮≰㠾㰠猯灵꾁觥風臣貐臣芀볯銂ꓧ馁ꃥ袐胣늼猼灵砠汭獮樺㵰栢瑴㩰⼯睷⹷灪⹯潧樮≰㜾⼼畳㹰臣䎯猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣몟胣₁㱃畳⁢浸湬㩳灪∽瑨灴⼺眯睷樮潰朮⹯灪㸢㰲猯扵ⴾ㱃畳⁢浸湬㩳灪∽瑨灴⼺眯睷樮潰朮⹯灪㸢㰶猯扵ꊂ菣놂菣ꮃ鿥膀菣궃㱃畳⁢浸湬㩳灪∽瑨灴⼺眯睷樮潰朮⹯灪㸢㰲猯扵ⴾ㱃畳⁢浸湬㩳灪∽瑨灴⼺眯睷樮潰朮⹯灪㸢㰶猯扵ꊂ菣놂菣ꮃ鿥膀䌠猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾⼼畳㹢苣꾂菣ꊂ菣궂菣몟胣较菣䎭猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾㰠猯扵랂苣궃苣ꮃ苣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣뎂苣랂鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ菣ꪂ鿥膀菣躃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣龃菣몟胣貐룤袏臣낕臣ꎁ臣节觨蒁苣䎸猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣龃菣몟胣閃苣讃菣몟胣貐룤袏臣낕臣ꎁ臣节觨辁胣较菣늂菣龎귥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵‾苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣몟胣䎁猼扵���汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢ꊂ菣뎂苣랂鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣궂苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ菣ꪂ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ菣ꪂ鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣閃苣讃菣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥袏臣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣讃菣몟臣覂臩麊臣貂苣醼믤誸臣꺽迦몟苣覜臣讂뷧鮏菣Ꞃ菣ꮃ鿥膀菣Ꞃ菣ꮃ苣龃菣몟胣貐룤袏臣낕臣ꎁ臣节觨辁胣较菣늂菣龎귥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢ꊂ菣뎂苣랂鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣궂苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ菣ꪂ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ菣ꪂ鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣閃苣讃菣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥袏臣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣讃菣몟臣覂臩麊臣貂苣醼믤誸臣꺽迦몟苣낒룤ꮁ鳦馁苣꺽迦閃苣讃菣ꊂ菣躃鿥膀ꓨꂴ鋧몟볯趉꣨ꮁ郥颁胣覼迥꾁郥肸诨鞁臣꾁闧ꪁ臣ꚁ苣꾉臣膀菣궃苣뎃軥邭胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽���灴⼺眯睷樮潰朮⹯灪㸢‶⼼畳㹢苣ꮃ苣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣ꎂ菣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥袏臣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣鮃菣ꮃ鿥讁苣뢁諦閁苣讂볯ꖻ룤꺁뷧鮏鿥銂鳦馁苣螤듧낒鿥袼觥風臣貐臣芀볯銂ꓧ鞁胣㲁牢ਾ㌨ 볯㲡畳⁰浸湬㩳灪∽瑨灴⼺眯睷樮潰朮⹯灪㸢′⼼畳㹰臣₌㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣뎃鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣것菣몟胣䎁猼扵砠汭獮樺㵰栢瑴㩰⼯睷⹷灪⹯潧樮≰㈾⼼畳㹢䌭猼扵砠汭獮樺㵰栢瑴㩰⼯睷⹷灪⹯潧樮≰㘾⼼畳㹢苣ꮃ苣讃菣뎃鿥膀菣궃㱃畳⁢浸湬㩳灪∽瑨灴⼺眯睷樮潰朮⹯灪㸢㰲猯扵ⴾ㱃畳⁢浸湬㩳灪∽瑨灴⼺眯睷樮潰朮⹯灪㸢‶⼼畳㹢苣ꮃ苣讃菣뎃鿥膀䌠猼扵砠汭獮樺㵰栢瑴㩰⼯睷⹷灪⹯潧樮≰㈾⼼畳㹢䌭猼扵砠汭獮樺㵰栢瑴㩰⼯睷⹷灪⹯潧樮≰㘾⼼畳㹢苣ꮃ苣讃菣뎃鿥袏臣较菣䎭猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾⼼畳㹢苣ꮃ苣讃菣뎃鿥銂ꓧ馁ꃥ袐胣늼猼灵砠汭獮樺㵰栢瑴㩰⼯睷⹷灪⹯潧樮≰㜾㰠猯灵꾁냦ꂴ軥邭胣较菣늂菣龎귥膀䌠猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾⼼畳㹢苣꾂菣ꊂ菣궂菣몟胣较菣䎭猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾⼼畳㹢苣꾂菣ꊂ菣궂菣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣뎂苣랂苣ꮃ菣讃菣몟胣閃苣讃菣몟胣貐룤袏臣낕臣ꎁ臣节觨辁胣较菣늂菣龎귥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣몟胣䎁猼扵砠汭獮樺㵰栢瑴㩰⼯睷⹷灪⹯潧樮≰ㄾ⼼畳㹢䌭猼扵砠���獮樺㵰栢瑴㩰⼯睷⹷灪⹯潧樮≰㘾⼼畳㹢苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣뎂苣랂鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵‾苣ꮃ苣ꮃ菣ꪂ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣膃苣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣閃苣讃菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣閃苣讃菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣讃菣몟迥꾁菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣讃菣몟臣覂臩麊臣貂苣醼믤誸臣꺽迦몟苣覜臣讂뷧鮏菣Ꞃ菣ꮃ鿥膀ꓨꂴ鋧몟볯趉꣨ꮁ郥颁胣覼胣貐룤袏臣낕臣ꎁ臣节觨辁胣较菣늂菣龎귥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢ꊂ菣뎂苣랂鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣뎂苣랂鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ菣ꪂ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ菣ꪂ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣閃苣讃菣몟胣较菣䎭猼扵砠汭獮樺㵰栢瑴㩰⼯睷⹷灪⹯潧樮≰ㄾ⼼畳㹢‭㱃畳⁢浸湬㩳灪∽瑨灴⼺眯睷樮潰朮⹯灪㸢㰶猯扵ꊂ菣궂菣릂菣閃苣讃菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣讃菣몟迥꾁菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣讃菣몟臣覂臩麊臣貂苣醼믤誸臣꺽迦몟苣覜臣讂ꓨꂴ鋧몟볯趉꣨ꮁ郥颁胣覼迥꾁裢ꆼ猼灵砠汭獮樺㵰栢瑴㩰⼯睷⹷灪⹯潧樮≰㔾⼼畳㹰늼猼灵砠汭獮樺㵰栢瑴㩰⼯睷⹷灪⹯潧樮≰ㄾ㰲猯灵袼볥궸胣ꆼ猼灵砠汭獮樺㵰栢瑴㩰⼯睷⹷灪⹯潧樮≰㔾⼼畳㹰臣銈볯銈胣銈볯銈胣銈볯꾼裢袏臣銈볯꾼猼扵砠汭獮樺㵰栢瑴㩰⼯睷⹷灪⹯潧樮≰㈾⼼畳㹢銂ꓧ鞁胣늼猼灵砠汭獮樺㵰栢瑴㩰⼯睷⹷灪⹯潧樮≰ㄾ㰲猯灵���㱃畳⁢浸湬㩳灪∽瑨灴⼺眯睷樮潰朮⹯灪㸢㰳猯扵ⴾ㱃畳⁢浸湬㩳灪∽瑨灴⼺眯睷樮潰朮⹯灪㸢㰶猯扵랂苣궃苣ꮃ苣ꮃ鿥膀菣궃㱃畳⁢浸湬㩳灪∽瑨灴⼺眯睷樮潰朮⹯灪㸢㰳猯扵ⴾ㱃畳⁢浸湬㩳灪∽瑨灴⼺眯睷樮潰朮⹯灪㸢‶⼼畳㹢苣꾂菣ꊂ菣궂菣몟胣閃苣讃菣몟胣貐룤袏臣낕臣ꎁ臣节觨辁胣较菣늂菣龎귥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢ꊂ菣뎂苣랂鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣궂苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ菣ꪂ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ菣ꪂ鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣閃苣讃菣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥袏臣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣讃菣몟臣覂臩麊臣貂苣醼믤誸臣꺽迦몟苣覜臣讂뷧鮏菣Ꞃ菣ꮃ鿥膀ꓨꂴ鋧몟볯趉꣨ꮁ郥颁胣覼胣貐룤袏臣낕臣ꎁ臣节觨辁胣较菣늂菣龎귥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣뎂苣랂鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣궂苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ菣ꪂ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ菣ꪂ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣閃苣讃菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣閃苣讃菣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯���樮潰朮⹯灪㸢㰶猯扵ꊂ菣궂菣릂菣鮃菣ꮃ鿥袏臣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣讃菣몟臣覂臩麊臣貂苣醼믤誸臣꺽迦몟苣覜臣讂ꓨꂴ鋧몟볯趉꣨ꮁ郥颁胣覼迥꾁裢ꆼ猼灵砠汭獮樺㵰栢瑴㩰⼯睷⹷灪⹯潧樮≰㘾⼼畳㹰늼猼灵砠汭獮樺㵰栢瑴㩰⼯睷⹷灪⹯潧樮≰ㄾ㰴猯灵袼볥궸胣ꆼ猼灵砠汭獮樺㵰栢瑴㩰⼯睷⹷灪⹯潧樮≰㘾⼼畳㹰臣䎯猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢ꊂ菣궂菣뎃鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵‾苣ꮃ苣것菣몟胣䎁猼扵砠汭獮樺㵰栢瑴㩰⼯睷⹷灪⹯潧樮≰㈾⼼畳㹢䌭猼扵砠汭獮樺㵰栢瑴㩰⼯睷⹷灪⹯潧樮≰㘾⼼畳㹢苣ꮃ苣讃菣뎃鿥膀菣궃㱃畳⁢浸湬㩳灪∽瑨灴⼺眯睷樮潰朮⹯灪㸢㰲猯扵ⴾ㱃畳⁢浸湬㩳灪∽瑨灴⼺眯睷樮潰朮⹯灪㸢‶⼼畳㹢苣ꮃ苣讃菣뎃鿥膀䌠猼扵砠汭獮樺㵰栢瑴㩰⼯睷⹷灪⹯潧樮≰㈾⼼畳㹢䌭猼扵砠汭獮樺㵰栢瑴㩰⼯睷⹷灪⹯潧樮≰㘾⼼畳㹢苣ꮃ苣讃菣뎃鿥袏臣较菣䎭猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾⼼畳㹢苣ꮃ苣讃菣뎃鿥銂ꓧ鞁胣늼猼灵砠汭獮樺㵰栢瑴㩰⼯睷⹷灪⹯潧樮≰ㄾ㰴猯灵꾁냦ꂴ軥邭胣较菣늂菣龎귥膀㱃畳⁢浸湬㩳灪∽瑨灴⼺眯睷樮潰朮⹯灪㸢㰳猯扵ⴾ䌠猼扵砠汭獮樺㵰栢瑴㩰⼯睷⹷灪⹯潧樮≰㘾⼼畳㹢苣꾂菣ꊂ菣궂菣몟胣较菣䎭猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾⼼畳㹢苣꾂菣ꊂ菣궂菣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣뎂苣랂鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣궂苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ菣ꪂ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ菣ꪂ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣閃苣讃菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣閃苣讃菣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥膀菣Ꞃ菣ꮃ鿥膀郥肸迥꾁闧ꪁ臣ꚁ苣꾉臣膀菣궃苣뎃軥邭胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢ꊂ菣궂菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴���⼯睷⹷灪⹯潧樮≰㘾⼼畳㹢苣ꮃ苣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵‾苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣뎂苣랂鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣膃苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣閃苣讃菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵‾苣ꮃ苣ꮃ苣ꮃ菣讃菣몟迥꾁菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥讁苣뢁諦閁苣讂볯ꖻ룤꺁뷧鮏鿥銂鳦馁苣꺽迦閃苣讃菣몟胣閃苣躃苣랂鿥膀郥肸迥꾁闧ꪁ臣ꚁ苣꾉臣膀菣궃苣뎃軥邭胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ鿥膀㱃畳⁢浸湬㩳灪∽瑨灴⼺眯睷樮潰朮⹯灪㸢㰱猯扵ⴾ䌠猼扵砠汭獮樺㵰栢瑴㩰⼯睷⹷灪⹯潧樮≰㘾⼼畳㹢苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣膃苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣ꎂ菣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥袏臣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣鮃菣ꮃ鿥讁苣뢁諦閁苣讂볯ꖻ룤꺁뷧鮏鿥銂鳦馁苣꺽迦閃苣躃苣랂鿥膀菣Ꞃ菣ꮃ菣ꪂ鿥膀郥肸迥꾁闧ꪁ臣ꚁ苣꾉臣膀菣궃苣뎃軥邭胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳���∽瑨灴⼺眯睷樮潰朮⹯灪㸢‶⼼畳㹢苣ꮃ苣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣ꎂ菣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥袏臣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣鮃菣ꮃ鿥讁苣뢁諦閁苣讂볯ꖻ룤꺁뷧鮏鿥銂鳦馁苣꺽迦閃苣讃菣膃苣몟胣螤듧낒鿥袼觥風臣貐臣覼迥꾁郥肸诨鞁臣꾁闧ꪁ臣ꚁ苣꾉臣膀菣궃苣뎃軥邭胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣ꎂ菣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥袏臣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣鮃菣ꮃ鿥讁苣뢁諦閁苣讂볯ꖻ룤꺁뷧鮏鿥銂鳦馁苣螤듧낒鿥袼觥風臣貐臣覼ꓧ馁胣覼苣몤臣膀뷯꾁볯鲀볯꺁闦낕苣몤臣芀戼㹲 袏胣림臣閃苣讃菣낒룤꺁髩誂郥ꎁ臣궂듧龎귥ꢁ룤銷臣ꪁ臣ꚁ룧袐鋧袼觥風臣貐臣芀볯銂뷥邈臣讂臣ꢁ臣ꞁ臣���膀ꧨ꺸郥낒臣貐룤袏臣낕臣ꎁ臣节觨辁胣较菣늂菣龎귥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢ꊂ菣뎂苣랂鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣뎂苣랂鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ菣ꪂ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ菣ꪂ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣閃苣讃菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣閃苣讃菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣讃菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣鮃菣ꮃ鿥膀菣Ꞃ菣ꮃ鿥膀郥肸迥꾁闧ꪁ臣ꚁ苣꾉臣膀菣궃苣뎃軥邭胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣膃苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣ꎂ菣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥袏臣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣鮃菣ꮃ鿥讁苣뢁諦閁苣讂볯ꖻ룤꺁뷧鮏鿥銂鳦馁苣꺽迦閃苣讃菣몟胣螤듧낒鿥袼觥風臣貐臣芀볯袏臣貐룤ꖋ臣辁臣낕臣ꎁ臣节觨辁���较菣늂菣龎귥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣뎂苣랂鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣뎂苣랂鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ菣ꪂ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ菣ꪂ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣閃苣讃菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣閃苣讃菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣讃菣몟迥꾁菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣讃菣몟臣覂臩麊臣貂苣醼믤誸臣꺽迦몟苣覜臣讂ꓨꂴ鋧몟볯趉꣨ꮁ郥颁胣覼臣覂臩麊臣貂苣醼믤誸臣꺽迦몟苣覜臣讂臣ꢁ苣ꞁ臣讂胣㲂牢ਾ†볯㲺畳⁰浸湬㩳灪∽瑨灴⼺眯睷樮潰朮⹯灪㸢‱⼼畳㹰迥뎁볯㲺畳⁰浸湬㩳灪∽瑨灴⼺眯睷樮潰朮⹯灪㸢′⼼畳㹰臣뢅듧龎귥袏臣ꮡ믩龎귥銂ꓧ馁胣門戼㹲ꞁꇨ閁苣讂ꯨ花ꃩ鞼꣨覼臣늾鳥뢊铧몮駨ꒉ胣㲂䐯噉ਾ†††††††††††††† †††††††††††††㰠䥄㹖胣讫뇦薠볯邼胣㲑䐯噉ਾ††††††††††††††††䐼噉‾肸裨込䤨㌭㰩牢ਾ䐼噉邀賥颼胣㲑䐯噉ਾ䐼噉㰾⁡牨晥∽㤱㤹㐲㠰㜵琮晩㸢㤱㤹㐲㠰㜵琮晩ꃂ〰〰㠰⼼㹡⼼䥄㹖钀볥궸胣늼猼灵砠汭獮樺㵰栢瑴㩰⼯睷⹷灪⹯潧樮≰ㄾ㰠猯灵膀볯㲲畳⁰浸湬㩳灪∽瑨灴⼺眯睷樮潰朮⹯灪㸢′⼼畳㹰迥뎁볯㲲畳⁰浸湬㩳灪∽瑨灴⼺眯睷樮潰朮⹯灪㸢″⼼畳㹰臣貐룤袏臣낕臣ꎁ臣节觨辁胣뒰듧龎귥膀䌠猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾⼼畳㹢苣꾂菣ꊂ菣궂菣몟胣较菣䎭猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾⼼畳㹢苣꾂菣ꊂ菣궂菣몟迥꾁裢ꆼ猼灵砠汭獮樺㵰栢瑴㩰⼯睷⹷灪⹯潧樮≰ㄾ⼼畳㹰놼猼扵砠汭獮樺㵰栢瑴㩰⼯睷⹷灪⹯潧樮≰氾㰠猯扵袼볥궸胣ꆼ猼灵砠汭獮樺㵰栢瑴㩰⼯睷⹷灪⹯潧樮≰ㄾ㰠猯灵꾁䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㠾⼼畳㹢苣ꮃ苣것菣몟胣䎁猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾⼼畳㹢苣ꮃ苣讃菣뎃鿥袏臣䎯猼扵砠汭���樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾⼼畳㹢ꊂ菣궂菣것菣몟苣몤臣膀볯꾁냦ꂴ軥邭胣较菣늂菣龎귥膀苣ꊂ菣몟胣讃菣궃鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣몟胣䎁猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾⼼畳㹢랂苣궃苣ꮃ苣ꮃ鿥膀菣궃䌠猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾⼼畳㹢苣꾂菣ꊂ菣궂菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣ꮂ菣鲃菣ꮃ鿥膀郥肸迥꾁闧ꪁ臣ꚁ苣꾉臣뢂㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣궂苣鮃苣鮃菣ꮃ鿥膀郥肸迥꾁闧ꪁ臣ꚁ苣꾉臣뢂㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣뎂苣랂菣ꪂ菣릂菣ꪃ菣몟胣뢂菣Ꞃ菣ꮃ菣릂菣ꎂ菣몟胣뢂菣Ꞃ菣ꮃ菣릂菣躃鿥膀菣Ꞃ菣ꮃ鿥膀郥肸迥꾁闧ꪁ臣ꚁ苣꾉臣膀菣궃苣뎃軥邭胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵‾苣ꮃ苣ꮃ鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣膃苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣ꎂ菣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥袏臣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣鮃菣ꮃ鿥讁苣뢁諦閁苣讂볯ꖻ룤꺁뷧鮏鿥銂鳦馁苣꺽迦閃苣讃菣몟胣螤듧낒鿥袼ꓨꂴ鋧몟臣꾁菣ꪃ苣ꮃ鿥膀菣ꪃ苣뎃裢꺼裢ꪂ苣랂菣몟胣钃菣龃苣讃菣몟胣閃菣ꮃ鿥膀菣袃菣銃菣궃菣ꪃ菣몟胣膃苣讃菣몟胣蚃菣ꦃ菣覃菣膃苣讃菣몟胣蚃菣ꦃ菣覃菣钃菣讃菣몟胣蚃菣ꦃ菣覃菣膃苣钃菣讃菣몟���ꪂ苣떂苣ꪃ菣몟胣ꒂ苣궂苣뺂菣ꮃ鿥膀苣궂苣뢂苣뺂菣ꮃ鿥膀菣ꊂ苣ꪃ菣몟胣ꒂ苣膃苣뺂菣ꮃ鿥膀菣ꊂ苣ꊂ苣ꪃ菣몟胣ꒂ菣肃苣ꪃ菣몟胣袃菣ꊂ苣ꪃ菣몟迥꾁菣ꦃ苣ꪃ菣몟苣몤臣芀볯膀郥肸迥꾁闧ꪁ臣ꚁ苣꾉臣膀菣궃苣뎃軥邭胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣䎁猼扵砠汭獮樺㵰栢瑴㩰⼯睷⹷灪⹯潧樮≰ㄾ⼼畳㹢‭㱃畳⁢浸湬㩳灪∽瑨灴⼺眯睷樮潰朮⹯灪㸢㰶猯扵ꊂ菣궂菣膃苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣ꎂ菣ꮃ鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣讃菣몟迥꾁菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥讁苣뢁諦閁苣讂볯ꖻ룤꺁뷧鮏鿥銂鳦馁苣螤듧낒鿥袼觥風臣貐臣芀볯袏臣銈볯㲺畳⁰浸湬㩳灪∽瑨灴⼺眯睷樮潰朮⹯灪㸢㰳猯灵ⴾ볯㲲畳⁰浸湬㩳灪∽瑨灴⼺眯睷樮潰朮⹯灪㸢㰵猯灵袼볥궸胣몼猼灵砠汭獮樺㵰栢瑴㩰⼯睷⹷灪⹯潧樮≰㌾㰠猯灵꾁裢꾼甼砠汭獮樺㵰栢瑴㩰⼯睷⹷灪⹯潧樮≰銈迥㲈甯꾁裢꺼볯늼猼灵砠汭獮樺㵰栢瑴㩰⼯睷⹷灪⹯潧樮≰㘾⼼畳㹰銈볯込룤膀볯㲲畳⁰浸湬㩳灪∽瑨灴⼺眯睷樮潰朮⹯灪㸢‶⼼畳㹰臣뒰듧龎귥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣ꮂ菣鲃菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣讃菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣ꮂ菣鲃菣ꮃ鿥膀菣Ꞃ菣ꮃ苣ꮃ菣讃菣몟胣貐룤袏臣낕臣ꎁ臣节觨辁胣较菣늂菣龎귥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯���樮潰朮⹯灪㸢㰶猯扵ꊂ菣뎂苣랂鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣뎂苣랂鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ菣ꪂ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ菣ꪂ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣閃苣讃菣몟胣较菣䎭猼扵砠汭獮樺㵰栢瑴㩰⼯睷⹷灪⹯潧樮≰ㄾ⼼畳㹢‭㱃畳⁢浸湬㩳灪∽瑨灴⼺眯睷樮潰朮⹯灪㸢㰶猯扵ꊂ菣궂菣릂菣閃苣讃菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣讃菣몟迥꾁菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣讃菣몟臣覂臩麊臣貂苣醼믤誸臣꺽迦몟苣覜臣讂뷧鮏菣Ꞃ菣ꮃ苣ꮃ菣讃菣몟胣閃苣讃菣䎫猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㐾⼼畳㹢苣ꮃ苣궂苣ꮂ菣鲃菣ꮃ鿥袏臣貐룤ꖋ臣辁臣낕臣ꎁ臣节觨辁胣较菣늂菣龎귥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵‾苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣뎂苣랂鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣궂苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ菣ꪂ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ菣ꪂ鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣閃苣讃菣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥袏臣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣讃菣몟臣覂臩麊臣貂苣醼믤誸臣꺽迦몟苣낒룤ꮁ鳦馁苣꺽迦閃苣讃菣䎫猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㐾㰠猯扵ꊂ菣뎂苣랂苣ꮃ菣讃菣몟苣몤臣芀볯銂ꓧ鞁胣늼猼灵砠汭獮樺㵰栢瑴㩰⼯睷⹷灪⹯潧樮≰㔾⼼畳㹰臣뒰듧龎귥膀䌠猼扵砠汭���樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ鿥膀㱃畳⁢浸湬㩳灪∽瑨灴⼺眯睷樮潰朮⹯灪㸢㰳猯扵ⴾ㱃畳⁢浸湬㩳灪∽瑨灴⼺眯睷樮潰朮⹯灪㸢㰶猯扵ꊂ菣놂菣ꮃ鿥膀菣궃㱃畳⁢浸湬㩳灪∽瑨灴⼺眯睷樮潰朮⹯灪㸢㰳猯扵ⴾ㱃畳⁢浸湬㩳灪∽瑨灴⼺眯睷樮潰朮⹯灪㸢‶⼼畳㹢苣ꮃ苣讃菣몟胣䎁猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾⼼畳㹢苣ꮃ苣讃菣몟胣较菣䎭猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾㰠猯扵ꊂ菣궂菣ꮃ鿥膀䌠猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾⼼畳㹢苣꾂菣ꊂ菣궂菣몟胣较菣䎭猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾⼼畳㹢苣꾂菣ꊂ菣궂菣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣ꮂ菣鲃菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣ꮂ菣鲃菣ꮃ鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣ꮂ菣鲃菣ꮃ鿥膀菣Ꞃ菣ꮃ鿥膀郥肸迥꾁闧ꪁ臣ꚁ苣꾉臣膀菣궃苣뎃軥邭胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ䌠猼扵砠汭獮樺㵰栢瑴㩰⼯睷⹷灪⹯潧樮≰㘾⼼畳㹢苣ꮃ苣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵‾苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣膃苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣ꎂ菣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥袏臣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣鮃菣ꮃ鿥讁苣뢁諦閁苣讂볯ꖻ룤꺁뷧鮏鿥銂鳦馁苣꺽迦閃苣讃菣몟胣閃苣讃菣䎫猼扵砠汭獮樺㵰栢瑴㩰⼯睷⹷灪⹯潧樮≰ㄾ⼼畳㹢䌭猼扵���汭獮樺㵰栢瑴㩰⼯睷⹷灪⹯潧樮≰㐾⼼畳㹢苣ꮃ苣ꮃ鿥膀郥肸迥꾁闧ꪁ臣ꚁ苣꾉臣膀菣궃苣뎃軥邭胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢ꊂ菣궂菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵‾苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣뎂苣랂鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣膃苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣閃苣讃菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣讃菣몟迥꾁菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥讁苣뢁諦閁苣讂볯ꖻ룤꺁뷧鮏鿥銂鋧誸臣覜臣讂뷧鮏菣Ꞃ菣ꮃ㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‴⼼畳㹢苣ꮃ苣ꮃ鿥膀ꓨꂴ鋧몟볯趉꣨ꮁ郥颁胣覼迥꾁郥肸诨鞁臣꾁闧ꪁ臣ꚁ苣꾉臣膀菣궃苣뎃軥邭胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵‾苣ꮃ苣ꮃ鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ菣ꪂ鿥膀㱃畳⁢浸湬㩳灪∽瑨灴⼺眯睷樮潰朮⹯灪㸢㰱猯扵ⴾ䌠猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣ꎂ菣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥袏臣较菣䎭猼扵砠汭獮樺㵰栢瑴㩰���睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣鮃菣ꮃ鿥讁苣뢁諦閁苣讂볯ꖻ룤꺁뷧鮏鿥銂鳦馁苣螤듧낒鿥袼觥風臣貐臣芀볯銂ꓧ馁胣覼苣몤臣芀뷯꾁볯鲀볯꺁闦낕苣몤臣芀볯銂ꓧ馁胣袏胣늼猼灵砠汭獮樺㵰栢瑴㩰⼯睷⹷灪⹯潧樮≰ㄾ㰠猯灵誏臣늼猼灵砠汭獮樺㵰栢瑴㩰⼯睷⹷灪⹯潧樮≰㈾㰠猯灵꾁뫤蒁臣邵郥鞁臣醼胣鎼胥꺁郥肸迥꾁闧ꪁ臣ꚁ苣꾉臣膀藩ꂴ軥㲟⁵浸湬㩳灪∽瑨灴⼺眯睷樮潰朮⹯灪㸢귥袏⼼㹵臣銪듧龎귥ꮁ苣誂룤궖臣貂臣节觨蒁볯鲀볯ꆓ鋧銂뷥邈臣讂臣ꢁ苣ꞁ臣讂胣㲂牢ਾ볯㲸畳⁰浸湬㩳灪∽瑨灴⼺眯睷樮潰朮⹯灪㸢‱⼼畳㹰迥뎁볯㲸畳⁰浸湬㩳灪∽瑨灴⼺眯睷樮潰朮⹯灪㸢′⼼畳㹰臣貐룤袏臣낕臣ꎁ臣节觨辁胣较菣늂菣龎귥膀苣ꊂ菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵‾苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢ꊂ菣궂菣膃苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣ꎂ菣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥袏臣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣鮃菣ꮃ鿥銂ꓧ馁胣袏胣뢼猼灵砠汭獮樺㵰栢瑴㩰⼯睷⹷灪⹯潧樮≰ㄾ㰠猯灵誏臣뢼猼灵砠汭獮樺㵰栢瑴㩰⼯睷⹷灪⹯潧樮≰㈾⼼畳㹰臣肸럧ꮁ臣ꎁ臣꺸郥낒볯꺸郥낒臣꾁菣閃苣것菣膀菣袃菣銃菣궃菣閃苣것菣膀苣뎃菣뎃胣ꒂ菣肃菣膀苣躃菣뎃胣궂菣뺂菣뎃胣꾂菣麃菣膀苣붂苣궃菣뎃胣ꒂ菣覃菣ꮃ胣ꒂ菣覃菣뎃胣馃菣뺂苣ꪂ苣떂菣膀菣뎃苣뢂苣궂苣벃菣膀菣뎃苣閃菣뎃胣뢂菣覃菣馃菣뺂菣ꦃ菣膀菣뎃苣膃苣閃苣뎃胣뢂菣覃菣馃菣뺂菣ꪂ菣Ꞃ菣膀菣뎃苣ꪂ苣떂苣벃菣膀菣뎃苣膃苣뺂菣ꮃ胣馃菣몂苣龃菣뺂菣ꮃ迥꾁苣뎃菣뺂菣ꮃ苣몤臣芀볯銂뷥邈臣讂臣ꢁ臣ꞁ臣膀ꧨ꺸郥낒臣貐룤袏臣낕臣ꎁ臣节觨���辁胣较菣늂菣龎귥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢ꊂ菣뎂苣랂鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣뎂苣랂鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ菣ꪂ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ菣ꪂ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣閃苣讃菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣閃苣讃菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣讃菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣鮃菣ꮃ鿥膀菣Ꞃ菣ꮃ鿥膀郥肸迥꾁闧ꪁ臣ꚁ苣꾉臣膀菣궃苣뎃軥邭胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣膃苣몟胣较菣䎭猼扵砠汭獮樺㵰栢瑴㩰⼯睷⹷灪⹯潧樮≰ㄾ⼼畳㹢‭㱃畳⁢浸湬㩳灪∽瑨灴⼺眯睷樮潰朮⹯灪㸢㰶猯扵ꊂ菣궂菣膃苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣ꎂ菣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥袏臣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣鮃菣ꮃ鿥讁苣뢁諦閁苣讂볯ꖻ룤꺁뷧鮏鿥銂鳦馁苣꺽迦閃苣讃菣몟胣螤듧낒鿥袼觥風臣貐臣覼迥꾁郥肸诨鞁臣꾁闧ꪁ臣ꚁ苣꾉臣膀菣궃苣뎃軥邭胣䎁猼扵砠汭獮樺㵰栢瑴㩰⼯睷⹷���⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵‾苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣ꎂ菣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥袏臣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣鮃菣ꮃ鿥讁苣뢁諦閁苣讂볯ꖻ룤꺁뷧鮏鿥銂鳦馁苣螤듧낒鿥袼觥風臣貐臣芀볯讁苣뢁諦閁苣讂볯ꖻ룤꺁뷧鮏鿥銂鳦馁苣鎁臣节臣趁苣芀戼㹲림猼灵砠汭獮樺㵰栢瑴㩰⼯睷⹷灪⹯潧樮≰ㄾ㰠猯灵誏臣림猼灵砠汭獮樺㵰栢瑴㩰⼯睷⹷灪⹯潧樮≰㌾㰠猯灵꾁郥肸迥꾁闧ꪁ臣ꚁ苣꾉臣膀냦ꂴ軥邭胣较菣늂菣龎귥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢ꊂ菣뎂苣랂鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣뎂苣랂鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ菣ꪂ鿥膀菣궃䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ菣ꪂ鿥膀菣Ꞃ菣궂苣몟胣貐룤袏臣낕臣ꎁ臣节觨辁胣较菣늂菣龎귥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢ꊂ菣뎂苣랂鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢���猯扵ꊂ菣뎂苣랂鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ菣ꪂ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ菣ꪂ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣閃苣讃菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣閃苣讃菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣讃菣몟迥꾁菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣讃菣몟臣覂臩麊臣貂苣醼믤誸臣꺽迦몟苣覜臣讂뷧鮏菣Ꞃ菣궂苣몟胣钃菣뢂菣ꪂ苣랂鿥膀迥꾁郥肸诨鞁臣꾁闧ꪁ臣ꚁ苣꾉臣膀菣궃苣뎃軥邭胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥袏臣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣鮃菣ꮃ鿥讁苣뢁諦閁苣讂볯ꖻ룤꺁뷧鮏鿥銂鳦馁苣꺽迦钃菣뢂菣ꪂ苣랂鿥銂ꓧ鞁胣림猼灵砠汭獮樺㵰栢瑴㩰⼯睷⹷灪⹯潧樮≰㈾⼼畳㹰臣뒰듧龎귥膀菣궃苣뎃軥邭胣较菣䎭猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾㰠猯扵랂苣궃苣ꮃ苣ꮃ鿥袏臣銈볯㲡畳⁰浸湬㩳灪∽瑨灴⼺眯睷樮潰朮⹯灪㸢㰲猯灵ⴾ볯㲲畳⁰浸湬㩳灪∽瑨灴⼺眯睷樮潰朮⹯灪㸢㰷猯灵袼볥궸胣ꆼ猼灵砠汭獮樺㵰栢瑴㩰⼯睷⹷灪⹯潧樮≰㈾㰠猯灵꾁裢꾼裢膀裢뎼裢膀裢뎼볯銈胣銈볯꾼猼扵砠汭獮樺㵰栢瑴㩰⼯睷⹷灪⹯潧樮≰㈾⼼畳㹢膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣것菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣것菣몟胣䎁猼扵砠汭獮樺㵰栢瑴㩰⼯睷⹷灪⹯潧樮≰㈾⼼畳㹢䌭猼扵砠汭獮樺㵰栢瑴㩰⼯睷⹷灪⹯潧樮≰㘾㰠猯扵ꊂ菣놂菣것菣몟胣较菣䎭猼扵砠汭獮樺㵰栢瑴㩰⼯睷⹷灪⹯潧樮≰㈾⼼畳㹢䌭猼扵砠汭獮樺㵰栢瑴㩰⼯睷⹷灪⹯潧樮≰㘾㰠猯扵ꊂ菣놂菣것菣몟胣䎁猼扵砠汭獮樺㵰栢瑴㩰⼯睷⹷灪⹯潧樮≰㈾⼼畳㹢䌭猼扵砠汭獮樺㵰栢瑴㩰⼯睷⹷灪⹯潧樮≰㘾⼼畳㹢苣ꮃ苣讃菣뎃鿥袏���较菣䎭猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾㰠猯扵ꊂ菣궂菣것菣몟苣몤臣膀戼㹲⠊⤱ꆼ猼灵砠汭獮樺㵰栢瑴㩰⼯睷⹷灪⹯潧樮≰㈾㰠猯灵貁裢꾼裢膀裢뎼裢膀裢뎼볯銈迥꾁裢뎼볯㲯畳⁢浸湬㩳灪∽瑨灴⼺眯睷樮潰朮⹯灪㸢㰲猯扵ⴾ苣몤臣뒠郥膀볯㲲畳⁰浸湬㩳灪∽瑨灴⼺眯睷樮潰朮⹯灪㸢‷⼼畳㹰臣较菣䎭猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾⼼畳㹢苣꾂菣ꊂ菣궂菣몟胣貐룤袏臣낕臣ꎁ臣节觨辁胣较菣늂菣龎귥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣뎂苣랂鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ菣ꪂ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣ꎂ菣ꮃ鿥袏臣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣讃菣몟臣覂臩麊臣貂苣醼믤誸臣꺽迦몟苣覜臣讂뷧鮏菣Ꞃ菣ꮃ鿥膀郥肸迥꾁闧ꪁ臣ꚁ苣꾉臣膀菣궃苣뎃軥邭胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥袏臣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣鮃菣ꮃ鿥讁苣뢁諦閁苣讂볯ꖻ룤꺁뷧鮏鿥銂鳦馁苣꺽迦钃菣뢂菣ꪂ苣랂鿥袏臣銈볯㲡畳⁰浸湬㩳灪∽瑨灴⼺眯睷樮潰朮⹯灪㸢㰳猯灵ⴾ볯㲲畳⁰浸湬㩳灪∽瑨灴⼺眯睷樮潰朮⹯灪㸢㰹猯灵袼볥궸胣ꆼ猼灵砠汭獮樺㵰栢瑴㩰⼯睷⹷灪⹯潧樮≰㌾㰠猯灵꾁菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣것菣몟迥꾁菣궃㱃畳⁢浸湬㩳灪∽瑨灴⼺眯睷樮潰朮⹯灪㸢㰳猯扵ⴾ㱃畳⁢浸湬㩳灪∽瑨灴⼺眯睷樮潰朮⹯灪㸢㰶猯扵ꊂ菣놂菣것菣몟苣몤臣膀볯㲲畳⁰浸湬㩳灪∽瑨灴⼺眯睷樮潰朮⹯灪㸢‹⼼畳㹰臣뒰듧龎귥膀菣궃苣뎃軥邭胣较菣䎭猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾㰠猯扵랂苣궃苣ꮃ苣ꮃ鿥膀菣Ꞃ菣ꮃ鿥膀郥肸迥꾁闧ꪁ臣ꚁ苣꾉臣膀菣궃苣뎃軥邭胣较菣䎭猼扵砠汭獮樺㵰栢瑴���⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥袏臣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣鮃菣ꮃ鿥讁苣뢁諦閁苣讂볯ꖻ룤꺁뷧鮏鿥銂鳦馁苣꺽迦閃苣讃菣몟迥꾁裢ꆼ猼灵砠汭獮樺㵰栢瑴㩰⼯睷⹷灪⹯潧樮≰㐾⼼畳㹰늼猼灵砠汭獮樺㵰栢瑴㩰⼯睷⹷灪⹯潧樮≰ㄾ㰰猯灵袼볥궸胣ꆼ猼灵砠汭獮樺㵰栢瑴㩰⼯睷⹷灪⹯潧樮≰㐾⼼畳㹰臣銈볯銈胣銈볯銈胣銈볯꾼裢袏臣銈볯꾼猼扵砠汭獮樺㵰栢瑴㩰⼯睷⹷灪⹯潧樮≰㈾⼼畳㹢銂ꓧ鞁胣늼猼灵砠汭獮樺㵰栢瑴㩰⼯睷⹷灪⹯潧樮≰ㄾ㰰猯灵꾁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣몟胣䎁猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾㰠猯扵ꊂ菣놂菣ꮃ鿥膀菣궃㱃畳⁢浸湬㩳灪∽瑨灴⼺眯睷樮潰朮⹯灪㸢㰳猯扵ⴾ䌠猼扵砠汭獮樺㵰栢瑴㩰⼯睷⹷灪⹯潧樮≰㘾⼼畳㹢苣ꮃ苣讃菣몟胣䎁猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾⼼畳㹢苣꾂菣ꊂ菣궂菣몟胣较菣䎭猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾㰠猯扵랂苣궃苣ꮃ苣ꮃ鿥膀菣Ꞃ菣ꮃ鿥膀郥肸迥꾁闧ꪁ臣ꚁ苣꾉臣膀菣궃苣뎃軥邭胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥袏臣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣鮃菣ꮃ鿥讁苣뢁諦閁苣讂볯ꖻ룤꺁뷧鮏鿥銂鳦馁苣꺽迦閃苣讃菣몟苣몤臣芀볯銂ꓧ馁胣㲂牢ਾ㈨ 볯㲡畳⁰浸湬㩳灪∽瑨灴⼺眯睷樮潰朮⹯灪㸢′⼼畳㹰臣䎌猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣뎃鿥膀菣궃㱃畳⁢浸湬㩳灪∽瑨灴⼺眯睷樮潰朮⹯灪㸢㰱猯扵ⴾ㱃畳⁢浸湬㩳���∽瑨灴⼺眯睷樮潰朮⹯灪㸢‶⼼畳㹢苣ꮃ苣것菣몟胣䎁猼扵砠汭獮樺㵰栢瑴㩰⼯睷⹷灪⹯潧樮≰㈾⼼畳㹢䌭猼扵砠汭獮樺㵰栢瑴㩰⼯睷⹷灪⹯潧樮≰㘾⼼畳㹢苣ꮃ苣讃菣뎃鿥膀菣궃㱃畳⁢浸湬㩳灪∽瑨灴⼺眯睷樮潰朮⹯灪㸢㰲猯扵ⴾ㱃畳⁢浸湬㩳灪∽瑨灴⼺眯睷樮潰朮⹯灪㸢‶⼼畳㹢苣ꮃ苣讃菣뎃鿥膀㱃畳⁢浸湬㩳灪∽瑨灴⼺眯睷樮潰朮⹯灪㸢㰲猯扵ⴾ㱃畳⁢浸湬㩳灪∽瑨灴⼺眯睷樮潰朮⹯灪㸢‶⼼畳㹢苣ꮃ苣讃菣뎃鿥袏臣较菣䎭猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾⼼畳㹢苣ꮃ苣讃菣뎃鿥銂ꓧ馁ꃥ袐胣늼猼灵砠汭獮樺㵰栢瑴㩰⼯睷⹷灪⹯潧樮≰㜾㰠猯灵꾁냦ꂴ軥邭胣较菣늂菣龎귥膀菣궃㱃畳⁢浸湬㩳灪∽瑨灴⼺眯睷樮潰朮⹯灪㸢㰳猯扵ⴾ㱃畳⁢浸湬㩳灪∽瑨灴⼺眯睷樮潰朮⹯灪㸢‶⼼畳㹢苣꾂菣ꊂ菣궂菣몟胣閃苣讃菣몟胣貐룤袏臣낕臣ꎁ臣节觨辁胣较菣늂菣龎귥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣뎂苣랂鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ菣ꪂ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣閃苣讃菣몟迥꾁菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣讃菣몟臣覂臩麊臣貂苣醼믤誸臣꺽迦몟苣覜臣讂뷧鮏菣Ꞃ菣ꮃ鿥袏臣銈볯㲡畳⁰浸湬㩳灪∽瑨灴⼺眯睷樮潰朮⹯灪㸢㰵猯灵ⴾ볯㲲畳⁰浸湬㩳灪∽瑨灴⼺眯睷樮潰朮⹯灪㸢㈱⼼畳㹰볯込룤膀볯㲡畳⁰浸湬㩳灪∽瑨灴⼺眯睷樮潰朮⹯灪㸢㰵猯灵꾁裢꾼裢膀裢뎼裢膀裢뎼볯銈迥꾁裢뎼볯㲯畳⁢浸湬㩳灪∽瑨灴⼺眯睷樮潰朮⹯灪㸢㰲猯扵ⴾ苣몤臣膀볯㲲畳⁰浸湬㩳灪∽瑨灴⼺眯睷樮潰朮⹯灪㸢㈱⼼畳㹰臣䎯猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾㰠猯扵랂苣궃苣ꮃ苣ꮃ鿥膀菣궃㱃畳⁢浸湬㩳灪∽瑨灴⼺眯睷樮潰朮⹯灪㸢㰳猯扵ⴾ㱃畳⁢浸湬㩳灪∽瑨灴⼺眯睷樮潰朮⹯灪㸢㰶猯扵랂苣궃苣ꮃ苣ꮃ鿥膀菣Ꞃ菣ꮃ鿥膀郥肸迥꾁闧ꪁ臣ꚁ苣꾉臣膀菣궃苣뎃軥邭胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣閃苣讃菣몟迥꾁菣궃㱃畳⁢浸湬㩳灪∽瑨灴⼺眯睷樮潰朮⹯灪㸢㰱猯扵ⴾ㱃畳⁢浸湬㩳���∽瑨灴⼺眯睷樮潰朮⹯灪㸢㰶猯扵ꊂ菣궂菣릂菣鮃菣ꮃ鿥讁苣뢁諦閁苣讂볯ꖻ룤꺁뷧鮏鿥銂鳦馁苣꺽迦閃苣讃菣몟迥꾁裢ꆼ猼灵砠汭獮樺㵰栢瑴㩰⼯睷⹷灪⹯潧樮≰㘾⼼畳㹰늼猼灵砠汭獮樺㵰栢瑴㩰⼯睷⹷灪⹯潧樮≰ㄾ㰴猯灵袼볥궸胣ꆼ猼灵砠汭獮樺㵰栢瑴㩰⼯睷⹷灪⹯潧樮≰㘾⼼畳㹰臣䎯猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣뎃鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣것菣몟胣䎁猼扵砠汭獮樺㵰栢瑴㩰⼯睷⹷灪⹯潧樮≰㈾⼼畳㹢䌭猼扵砠汭獮樺㵰栢瑴㩰⼯睷⹷灪⹯潧樮≰㘾⼼畳㹢苣ꮃ苣讃菣뎃鿥袏臣较菣䎭猼扵砠汭獮樺㵰栢瑴㩰⼯睷⹷灪⹯潧樮≰㈾⼼畳㹢䌭猼扵砠汭獮樺㵰栢瑴㩰⼯睷⹷灪⹯潧樮≰㘾㰠猯扵ꊂ菣놂菣것菣몟苣몤臣膀볯㲲畳⁰浸湬㩳灪∽瑨灴⼺眯睷樮潰朮⹯灪㸢㐱⼼畳㹰臣뒰듧龎귥膀菣궃苣뎃軥邭胣较菣䎭猼扵砠汭獮樺㵰栢瑴㩰⼯睷⹷灪⹯潧樮≰㌾⼼畳㹢䌭猼扵砠汭獮樺㵰栢瑴㩰⼯睷⹷灪⹯潧樮≰㘾⼼畳㹢苣꾂菣ꊂ菣궂菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣뎂苣랂鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ菣ꪂ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣閃苣讃菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣鮃菣ꮃ鿥膀菣Ꞃ菣ꮃ鿥膀郥肸迥꾁闧ꪁ臣ꚁ苣꾉臣膀菣궃苣뎃軥邭胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥袏臣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣鮃菣ꮃ鿥讁苣뢁諦閁苣讂볯ꖻ룤꺁뷧鮏鿥銂鳦馁苣꺽迦閃苣讃菣몟胣閃苣躃苣랂鿥膀郥肸迥꾁闧ꪁ臣ꚁ苣꾉臣膀菣궃苣뎃軥邭胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣较菣䎭猼扵砠汭獮樺㵰���瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥袏臣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣鮃菣ꮃ鿥讁苣뢁諦閁苣讂볯ꖻ룤꺁뷧鮏鿥銂鳦馁苣꺽迦閃苣躃苣랂鿥膀菣Ꞃ菣ꮃ菣ꪂ鿥袏臣貐룤ꖋ臣辁臣낕臣ꎁ臣节觨辁胣较菣늂菣龎귥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣뎂苣랂鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ菣ꪂ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣閃苣讃菣몟迥꾁菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣讃菣몟臣覂臩麊臣貂苣醼믤誸臣꺽迦몟苣覜臣讂뷧鮏菣Ꞃ菣ꮃ菣ꪂ鿥銂ꓧ馁胣覼苣몤臣芀볯銂ꓧ馁胣㲂牢ਾ迥膀볯㲹畳⁰浸湬㩳灪∽瑨灴⼺眯睷樮潰朮⹯灪㸢‱⼼畳㹰迥뎁볯㲹畳⁰浸湬㩳灪∽瑨灴⼺眯睷樮潰朮⹯灪㸢′⼼畳㹰臣ꎚ苣袐臣龁볯㲹畳⁰浸湬㩳灪∽瑨灴⼺眯睷樮潰朮⹯灪㸢″⼼畳㹰臣肸럧ꮁ臣ꎁ臣꺸郥낒볯趉꣨ꮁ郥颁胣覼苣ꊽ裦馁苣鎁臣貁臣趁胣늩룧袐鋧꾁郥肸迥꾁闧ꪁ臣ꚁ苣꾉臣膀菣궃苣뎃軥邭胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵‾苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣膃苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣ꎂ菣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣讃菣몟胣閃苣讃菣몟迥꾁郥���诨鞁臣꾁闧ꪁ臣ꚁ苣꾉臣膀菣궃苣뎃軥邭胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣膃苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣ꎂ菣ꮃ鿥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣鮃菣ꮃ鿥袏臣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣鮃菣ꮃ鿥讁苣뢁諦閁苣讂볯ꖻ룤꺁뷧鮏鿥銂鳦馁苣꺽迦閃苣讃菣몟臣覂臩麊臣貂苣醼믤誸臣꺽迦몟苣覜臣讂臣ꢁ苣ꞁ臣讂胣㲂牢ਾ†볯㲺畳⁰浸湬㩳灪∽瑨灴⼺眯睷樮潰朮⹯灪㸢‱⼼畳㹰迥뎁볯㲺畳⁰浸湬㩳灪∽瑨灴⼺眯睷樮潰朮⹯灪㸢′⼼畳㹰臣뢅듧龎귥袏臣ꮡ믩龎귥銂ꓧ馁胣門臣ꢡ臣貂苣讫뇦薠볯風볨꺁뻨銜諨ꢔ껦ꮙ觥芀⼼䥄㹖 †††††††††††††ਠ††††††††††††††䐼噉邀ꯨ花ꃩ醼볯醀⼼䥄㹖 †††††††††††††††㰠䥄㹖†鳦ꢔ뷤ꦉ臣覂껥ꮙ苣늘駩馁苣龁苣ꮁꯨ花ꃩ隼胣醼볯꺁臣骁苣讁룤薠꣨覼臣늾鳥뢊铧몮駨ꒉ臣覜諥辇苣뺯뇨鲽觧ꮁ蟥蚐臣讂臣ꢁ苣릉뻥ꢁ臣讂뻨銜諨ꢔ껦ꮙ觥꺁뷤ꢔ雦閳胣㲂䐯噉ਾ†††††††††††††† †††††††††††ਠ†††††††††† †††††††ਠ䐼噉邀触骶ꏨꎭ볯醀⼼䥄㹖㰊䥄㹖胣鲣귦뺯뇨뢛ꇩ趐胣躘듧뢛⼼䥄㹖㰊䥄㹖胣鲣귦뺯뇨薠鯧趐胣邼볯醼볯㲑䐯噉ਾ䐼噉邀ꏨꎭ雦閳胣覤鯦㲴䐯噉ਾ䐼噉邀ꏨꎭ臣薆껥醀⼼䥄㹖㰊䥄㹖胣邼볯醼볯醀⼼䥄㹖螤듧낒鿥袼觥風臣貐臣芀볯膀郥肸迥꾁闧ꪁ臣ꚁ苣꾉臣膀菣궃苣뎃軥邭胣랂苣躃鿥膀菣袃菣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀䌠猼扵砠汭獮樺㵰栢瑴㩰⼯睷⹷灪⹯潧樮≰㈾⼼畳㹢䌭猼扵���汭獮樺㵰栢瑴㩰⼯睷⹷灪⹯潧樮≰㘾⼼畳㹢苣ꮃ苣讃菣몟胣较菣₭㱃畳⁢浸湬㩳灪∽瑨灴⼺眯睷樮潰朮⹯灪㸢㰲猯扵ⴾ㱃畳⁢浸湬㩳灪∽瑨灴⼺眯睷樮潰朮⹯灪㸢㰶猯扵ꊂ菣놂菣ꮃ鿥膀㱃畳⁢浸湬㩳灪∽瑨灴⼺眯睷樮潰朮⹯灪㸢㰲猯扵ⴾ㱃畳⁢浸湬㩳灪∽瑨灴⼺眯睷樮潰朮⹯灪㸢㰶猯扵ꊂ菣궂菣ꮃ鿥膀菣궃㱃畳⁢浸湬㩳灪∽瑨灴⼺眯睷樮潰朮⹯灪㸢㰲猯扵‾䌭猼扵砠汭獮樺㵰栢瑴㩰⼯睷⹷灪⹯潧樮≰㘾⼼畳㹢苣ꮃ苣讃菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣뎂苣랂鿥膀㱃畳⁢浸湬㩳灪∽瑨灴⼺眯睷樮潰朮⹯灪㸢㰱猯扵ⴾ䌠猼扵砠汭獮樺㵰栢瑴㩰⼯睷⹷灪⹯潧樮≰㘾⼼畳㹢苣ꮃ苣ꮃ菣ꪂ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣膃苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣閃苣讃菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣閃苣讃菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣讃菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢ꊂ菣궂菣릂菣鮃菣ꮃ鿥膀菣躃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣ꊂ菣躃鿥袏臣貐룤ꖋ臣辁臣낕臣ꎁ臣节觨蒁苣䎸猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣ꊂ菣躃鿥讁苣뢁諦閁苣讂볯ꖻ룤꺁뷧鮏鿥銂鳦馁苣螤듧낒鿥袼觥風臣貐臣芀볯袏臣銈볯㲺畳⁰浸湬㩳灪∽瑨灴⼺眯睷樮潰朮⹯灪㸢㰳猯灵ⴾ볯㲲畳⁰浸湬㩳灪∽瑨灴⼺眯睷樮潰朮⹯灪㸢㰵猯灵袼볥궸胣몼猼灵砠汭獮樺㵰栢瑴㩰⼯睷⹷灪⹯潧樮≰㌾㰠猯灵꾁裢꾼甼砠汭獮樺㵰栢瑴㩰⼯睷⹷灪⹯潧樮≰銈迥㲈甯꾁裢꺼볯늼猼灵砠汭獮樺㵰栢瑴㩰⼯睷⹷灪⹯潧樮≰㘾⼼畳㹰銈볯込룤膀볯㲲畳⁰浸湬㩳灪∽瑨灴⼺眯睷樮潰朮⹯灪㸢‶⼼畳㹰臣뒰듧龎귥膀㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣ꮂ菣鲃菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣讃菣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣뎂苣랂苣ꮃ菣讃菣몟胣閃苣讃菣ꮂ菣鲃菣ꮃ鿥膀郥肸迥꾁闧ꪁ臣ꚁ苣꾉臣膀菣궃苣뎃軥邭胣랂苣躃鿥膀菣袃菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ���ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ鿥膀䌠猼扵砠汭獮樺㵰栢瑴㩰⼯睷⹷灪⹯潧樮≰㈾⼼畳㹢䌭猼扵砠汭獮樺㵰栢瑴㩰⼯睷⹷灪⹯潧樮≰㘾⼼畳㹢苣ꮃ苣讃菣몟胣较菣䎭猼扵砠汭獮樺㵰栢瑴㩰⼯睷⹷灪⹯潧樮≰㈾⼼畳㹢䌭猼扵砠汭獮樺㵰栢瑴㩰⼯睷⹷灪⹯潧樮≰㘾⼼畳㹢苣ꮃ苣讃菣몟胣₁㱃畳⁢浸湬㩳灪∽瑨灴⼺眯睷樮潰朮⹯灪㸢㰲猯扵ⴾ㱃畳⁢浸湬㩳灪∽瑨灴⼺眯睷樮潰朮⹯灪㸢㰶猯扵ꊂ菣궂菣ꮃ鿥膀菣궃䌠猼扵砠汭獮樺㵰栢瑴㩰⼯睷⹷灪⹯潧樮≰㈾⼼畳㹢䌭猼扵砠汭獮樺㵰栢瑴㩰⼯睷⹷灪⹯潧樮≰㘾⼼畳㹢苣ꮃ苣讃菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣뎂苣랂鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ菣ꪂ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣膃苣몟胣₁㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣릂菣閃苣讃菣몟胣较菣䎭猼扵砠汭獮樺㵰栢瑴㩰⼯睷⹷灪⹯潧樮≰ㄾ⼼畳㹢‭㱃畳⁢浸湬㩳灪∽瑨灴⼺眯睷樮潰朮⹯灪㸢㰶猯扵ꊂ菣궂菣릂菣閃苣讃菣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣讃菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣릂菣鮃菣ꮃ鿥膀菣躃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣ꊂ菣躃鿥袏臣貐룤ꖋ臣辁臣낕臣ꎁ臣节觨蒁苣䎸猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣ꊂ菣躃鿥讁苣뢁諦閁苣讂볯ꖻ룤꺁뷧鮏鿥銂鳦馁苣꺽迦閃苣讃菣ꮂ菣鲃菣ꮃ鿥膀ਊਊ䐼噉邀触骶ꏨꎭ볯醀⼼䥄㹖㰊䥄㹖胣鲣귦뺯뇨뢛ꇩ趐胣躘듧뢛⼼䥄㹖㰊䥄㹖胣鲣귦뺯뇨薠鯧趐胣邼볯醼볯㲕䐯噉ਾ䐼噉邀ꏨꎭ雦閳胣覤鯦㲴䐯噉ਾ䐼噉邀ꏨꎭ臣薆껥醀⼼䥄㹖㰊䥄㹖胣邼볯醼볯醀⼼䥄㹖貐룤ꖋ臣辁臣낕臣ꎁ臣节觨辁胣较菣늂菣龎귥膀苣ꊂ菣몟胣讃菣궃鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢㰶猯扵ꊂ菣궂菣몟胣₁㱃畳⁢浸湬㩳灪∽瑨灴⼺眯睷樮潰朮⹯灪㸢㰲猯扵ⴾ㱃畳⁢浸湬㩳灪∽瑨灴⼺眯睷樮潰朮⹯灪㸢㰶猯扵ꊂ菣놂菣ꮃ鿥膀菣궃䌠猼扵砠汭獮樺㵰栢瑴㩰⼯睷⹷灪⹯潧樮≰㈾⼼畳㹢䌭猼扵砠汭獮樺㵰栢瑴㩰⼯睷⹷灪⹯潧樮≰㘾⼼畳㹢苣ꮃ苣讃���몟胣䎁猼扵砠汭獮樺㵰栢瑴㩰⼯睷⹷灪⹯潧樮≰㈾⼼畳㹢䌭猼扵砠汭獮樺㵰栢瑴㩰⼯睷⹷灪⹯潧樮≰㘾⼼畳㹢苣ꮃ苣讃菣몟胣较菣₭㱃畳⁢浸湬㩳灪∽瑨灴⼺眯睷樮潰朮⹯灪㸢㰲猯扵ⴾ㱃畳⁢浸湬㩳灪∽瑨灴⼺眯睷樮潰朮⹯灪㸢㰶猯扵ꊂ菣궂菣ꮃ鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣궂苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣膃苣몟胣䎁猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣ꎂ菣ꮃ鿥膀菣궃㱃畳⁢浸湬㩳灪∽瑨灴⼺眯睷樮潰朮⹯灪㸢㰱猯扵ⴾ㱃畳⁢浸湬㩳灪∽瑨灴⼺眯睷樮潰朮⹯灪㸢‶⼼畳㹢苣ꮃ苣ꮃ苣ꮃ菣ꎂ菣ꮃ鿥膀䌠猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣讃菣몟胣较菣䎭猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣ꮃ菣讃菣몟胣ꊃ菣䎎猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾㰠猯扵ꊂ菣궂菣ꊂ菣躃鿥袏臣貐룤ꖋ臣辁臣낕臣ꎁ臣节觨蒁苣䎸猼扵砠汭獮樺㵰栢瑴㩰⼯睷⹷灪⹯潧樮≰ㄾ⼼畳㹢䌭猼扵砠汭獮樺㵰栢瑴㩰⼯睷⹷灪⹯潧樮≰㘾⼼畳㹢苣ꮃ苣ꮃ苣龃菣몟臣覂臩麊臣貂苣醼믤誸臣꺽迦몟苣覜臣讂ꓨꂴ鋧몟볯趉꣨ꮁ郥颁胣覼苣몤臣芀볯銂ꓧ馁胣㲂牢ਾ뷯꾁볯鲀볯꺁闦낕苣몤臣芀볯銂ꓧ馁胣袏胣늼猼灵砠汭獮樺㵰栢瑴㩰⼯睷⹷灪⹯潧樮≰ㄾ㰠猯灵誏臣늼猼灵砠汭獮樺㵰栢瑴㩰⼯睷⹷灪⹯潧樮≰㈾㰠猯灵꾁뫤蒁臣邵郥鞁臣醼胣鎼胥꺁郥肸迥꾁闧ꪁ臣ꚁ苣꾉臣膀藩ꂴ軥㲟⁵浸湬㩳灪∽瑨灴⼺眯睷樮潰朮⹯灪㸢귥袏⼼㹵臣銪듧龎귥ꮁ苣誂룤궖臣貂臣节觨蒁볯鲀볯ꆓ鋧銂뷥邈臣讂臣ꢁ苣ꞁ臣讂胣㲂牢ਾਊਊ†††††† †††ਠ††㰊戯摯㹹㰊栯浴㹬